(57)【要約】  様々な飲料製造システム、構成部材および方法が開示されている。幾つかの実施の形態では、システムは、抽出機械および飲料ポッドを有する。抽出機械は、飲料ポッドを収容することができる抽出チャンバユニットを有することができる。抽出チャンバユニットを、複数の飲料ポッドタイプを収容するように適応させることができる。幾つかの実施の形態は、抽出チャンバを有しかつ抽出チャンバユニットをユーザに提供するために移動するドロワを有する。幾つかの実施の形態はロッキング機構を有する。
2018521740.tif 000002
【特許請求の範囲】
【請求項１】
飲料を製造するための抽出機械であって、該抽出機械は、
ハウジングと、
液体源と、
該液体源から液体の流れを供給するように構成された導管と、
前記ハウジングによって支持された抽出チャンバユニットと、を備え、
該抽出チャンバユニットは、
飲料製造作動中に前記液体の流れを受け取るように構成されており、
第１の直径を有する第１の飲料ポッドを収容するように構成されたチャンバを有する第１の本体部分と、
前記第１の直径よりも小さい第２の直径を有する第２の飲料ポッドを収容するように構成されたチャンバを有する第２の本体部分であって、該第２の本体部分は、少なくとも部分的に前記第１の本体部分の前記チャンバ内に配置されており、前記第２の本体部分は、概して前記抽出チャンバユニットの軸方向軸線に対して平行な方向に前記第１の本体部分に対して移動するように構成されている、第２の本体部分と、
前記第１の本体部分の前記チャンバに配置されかつ前記第１の本体部分と前記第２の本体部分との間で圧縮されるように構成されたばねと、
前記第１の本体部分に取り付けられるように構成された蓋と、を有しており、
前記抽出機械は、
前記第１の飲料ポッドが前記第１の本体部分の前記チャンバに収容されたとき、前記第２の本体部分が前記ばねの付勢力に対抗して前記第１の本体部分内へ下方に移動させられ、
前記第１の飲料ポッドが前記第１の本体部分の前記チャンバから取り出されたとき、前記第２の本体部分が前記ばねの付勢力によって上方へ移動させられるように、
構成されている、飲料を製造するための抽出機械。
【請求項２】
前記抽出機械は、さらに、前記第２の飲料ポッドが前記第２の本体部分の前記チャンバに収容されたときには、前記第２の本体部分が前記第１の本体部分に対して実質的に固定されたままであるように構成されている、請求項１記載の抽出機械。
【請求項３】
前記第１の本体部分は、さらに、ロッキング機構を有し、前記第２の本体部分は、さらに、溝を有し、前記第１の本体部分の前記ロッキング機構は、前記蓋が前記第１の本体部分に取り付けられたときには前記第２の本体部分の前記溝に少なくとも部分的に配置され、前記蓋が前記第１の本体部分に取り付けられていないときには前記第２の本体部分の前記溝の外側に配置されるように、
構成されている、請求項１記載の抽出機械。
【請求項４】
前記ロッキング機構は、前記抽出チャンバユニットの前記軸方向軸線に対して概して垂直な平面において並進するように構成されている、請求項３記載の抽出機械。
【請求項５】
前記ロッキング機構は半径方向外方へ付勢されている、請求項４記載の抽出機械。
【請求項６】
前記第１の本体部分は、第１の開口を有し、前記第２の本体部分は、第２の開口を有し、前記第１の開口および前記第２の開口は、これらの開口を通じて飲料を排出するように構成されており、前記第１の開口および前記第２の開口は半径方向に整列させられている、請求項１記載の抽出機械。
【請求項７】
前記第１の本体部分は、さらに、作動部材を備える係合アセンブリを有し、前記第２の本体部分は、さらに、開閉するように構成された弁を有し、前記作動部材は、前記第１の飲料ポッドが前記第１の本体部分に収容されるときに前記弁に係合し、これにより、該弁を開放させるように構成されている、請求項６記載の抽出機械。
【請求項８】
前記弁は、前記抽出チャンバユニットの前記軸方向軸線に対して概して平行に並進するように構成されている、請求項７記載の抽出機械。
【請求項９】
前記弁は、さらに、該弁の長さを通って軸方向に延びる通路を有する、請求項８記載の抽出機械。
【請求項１０】
前記抽出チャンバユニットは、さらに、前記蓋が前記第１の本体部分に取り付けられていないときには前記第２の本体部分の一部が前記第１の本体部分から軸方向に延びるように構成されている、請求項１記載の抽出機械。
【請求項１１】
前記第２の本体部分は、前記第１の飲料ポッドが前記第１の本体部分の前記チャンバに収容されたときに前記第１の飲料ポッドの基部に当接するように構成された上縁部を有する、請求項１記載の抽出機械。
【請求項１２】
前記抽出チャンバユニットは、さらに、前記第１の飲料ポッドが前記第１の本体部分の前記チャンバに収容されたときに、前記第２の本体部分が前記第１の本体部分の前記チャンバの底面に当接するように構成されている、請求項１記載の抽出機械。
【請求項１３】
前記蓋は、さらに、第１のシーリングリングおよび第２のシーリングリングを有し、前記第１のシーリングリングは前記第１の飲料ポッドに係合するように構成されており、前記第２のシーリングリングは前記第２の飲料ポッドに係合するように構成されている、請求項１記載の抽出機械。
【請求項１４】
飲料を製造するために抽出機械を使用する方法であって、
開口と、該開口の周囲に配置された係合アセンブリとを有する第１の本体部分と、
該第１の本体部分内に配置されかつ弁アセンブリを有する第２の本体部分と、
前記第１の本体部分内に配置されかつ前記第２の本体部分を付勢するように構成された付勢部材と、
前記第１の本体部分に取り付けられるように構成された蓋と、
を備える飲料容器アセンブリ内へ飲料ポッドを収容し、
該飲料ポッドを前記第２の本体部分の上側部分に着座させ、
前記飲料ポッドを介して前記第２の本体部分に下向きの力を加え、
前記ばねの付勢力に対抗して前記第２の本体部分を移動させ、
前記蓋を前記第１の本体部分に取り付け、これにより、抽出チャンバを形成し、
飲料を製造するために液体を前記抽出チャンバ内の前記飲料ポッド内へ導入し、
前記飲料を排出する、
ことを含む、飲料を製造するために抽出機械を使用する方法。
【請求項１５】
さらに、前記第１の本体部分の突出した先端部によって前記第２の本体部分における弁アセンブリを作動させ、これにより、前記弁アセンブリを開放させることを含む、請求項１４記載の方法。
【請求項１６】
前記ばねの付勢力に対抗して前記第２の本体部分を移動させることは、前記第１の本体部分の内側底面に対して前記第２の本体部分を当接させることを含む、請求項１４記載の方法。
【請求項１７】
飲料ポッドアセンブリであって、
複数の開口を有する基部と、
該基部と接続された概して円筒状の側壁と、
膜によって被覆された開口を備える上端部と、
前記基部上に配置されたフィルタであって、固体を通過させず、液体を通過させるように構成されたフィルタと、
前記基部から上方へ延びる複数の突出部を有するバフリング構造であって、前記基部と前記フィルタとの間に物理的障害を提供し、これにより、前記フィルタを前記基部から離間させ、前記フィルタを前記第１の基部と前記フィルタとの間に配置されたから離間させるように構成されている、バフリング構造と、
を備える、飲料ポッドアセンブリ。
【請求項１８】
平面図で見て、前記バフリング構造は、複数の同心円として成形されている、請求項１７記載の飲料ポッドアセンブリ。
【請求項１９】
前記基部における前記複数の開口は、複数の概して円形および概してカプセル状の開口を含む、請求項１７記載の飲料ポッドアセンブリ。
【請求項２０】
前記膜は、取外し可能な箔を含む、請求項１７記載の飲料ポッドアセンブリ。
【発明の詳細な説明】
【技術分野】
【０００１】
分野
本開示は、一杯分の飲料を製造するシステムなどの、飲料を製造するためのシステムに関する。
【０００２】
関連技術の説明
一回分飲料機械は、一回分、または時には一杯分の所望の飲料を製造するように設計された装置である。（複数杯用のカラフを有するドリップ式コーヒーメーカなどの）その他のタイプの飲料機械と比較して、一回分飲料機械は、飲料を準備する時間を短縮することによって利便性を高めることができる。
【０００３】
幾つかの一回分飲料機械は、飲料を製造するために１つまたは複数の飲料成分または原料を含有するポッド（カートリッジまたはカプセルとも呼ばれる）を使用する。概して、このようなポッドは、一回分飲料機械に収容され、一回分の飲料を製造するために使用され、その後、機械から手作業で取り出され、廃棄される。
【０００４】
図面の簡単な説明
様々な実施の形態が、例示のために添付の図面に示されている。図面は、本開示の範囲を限定するものと解されるべきではない。種々の開示された実施の形態の様々な特徴を組み合わせ、本開示の一部である付加的な実施の形態を形成することができる。あらゆる実施の形態のあらゆる１つの特徴または特徴のあらゆる組合せを、あらゆるその他の実施の形態に含むことができる。
【図面の簡単な説明】
【０００５】
【図１Ａ】抽出機械を有する、飲料製造システムの１つの実施の形態を概略的に示している。
【図１Ｂ】抽出機械を有する、飲料製造システムの１つの実施の形態を概略的に示している。
【図２Ａ】抽出機械の１つの実施の形態の斜視図を示している。
【図２Ｂ】図２Ａの断面図を示している。
【図３Ａ】抽出チャンバユニットの１つの実施の形態の斜視図を示している。
【図３Ｂ】第１の軸線に沿った図３Ａの抽出チャンバユニットの断面図を示している。
【図３Ｃ】第２の軸線に沿った、蓋を備えない図３Ａの抽出チャンバユニットの断面図を示している。
【図４Ａ】図３Ａの抽出チャンバユニットの蓋の下側斜視図を示している。
【図４Ｂ】図４Ａの蓋の穴あき入口の斜視図である。
【図５Ａ】図３Ａの抽出チャンバユニットの内側部分の側面図を示している。
【図５Ｂ】図５Ａの内側部分の上側斜視図を示している。
【図５Ｃ】図５Ａの内側部分の下側斜視図を示している。
【図６Ａ】抽出チャンバユニットの１つの実施の形態を用いて第１のサイズの飲料ポッドを抽出する方法の１つの実施の形態を概略的に示している。
【図６Ｂ】図４Ａの蓋を備える、第１のサイズの挿入された飲料ポッドを備える第２の軸線に沿った図３Ａの抽出チャンバユニットの断面図を示している。
【図６Ｃ】図４Ａの蓋を備えない、第１のサイズの挿入された飲料ポッドを備える第２の軸線に沿った図３Ａの抽出チャンバユニットの断面図を示している。
【図７Ａ】抽出チャンバユニットの１つの実施の形態を用いて第２のサイズの飲料ポッドを抽出する方法の１つの実施の形態を概略的に示している。
【図７Ｂ】図４Ａの蓋を備える、第２のサイズの挿入された飲料ポッドを備える第２の軸線に沿った図３Ａの抽出チャンバユニットの断面図を示している。
【図７Ｃ】図４Ａの蓋を備えない、第２のサイズの挿入された飲料ポッドを備える第２の軸線に沿った図３Ａの抽出チャンバユニットの断面図を示している。
【図８Ａ】第１のサイズの挿入された飲料ポッドを備える第２の軸線に沿った抽出チャンバユニットの別の実施の形態の断面図を示している。
【図８Ｂ】第２のサイズの挿入された飲料ポッドを備える第２の軸線に沿った抽出チャンバユニットの別の実施の形態の断面図を示している。
【図９Ａ】図８Ａおよび図８Ｂの抽出チャンバユニットの外側部分およびロッキング機構の１つの実施の形態の斜視図を示している。
【図９Ｂ】第１の軸線に沿った図９Ａの実施の形態の断面図を示している。
【図９Ｃ】第２の軸線に沿った図９Ａの実施の形態の断面図を示している。
【図１０】図９Ａの外側部分の斜視図を示している。
【図１１】図９Ａのロッキング機構の斜視図を示している。
【図１２Ａ】第１のサイズの挿入された飲料ポッドを備える抽出チャンバの１つの実施の形態を備える蓋をロックする方法の１つの実施の形態を概略的に示している。
【図１２Ｂ】図１２Ａの方法に関連した例示的な構成部材を示している。
【図１２Ｃ】図１２Ａの方法に関連した例示的な構成部材を示している。
【図１２Ｄ】図１２Ａの方法に関連した例示的な構成部材を示している。
【図１３Ａ】第２のサイズの挿入された飲料ポッドを備える抽出チャンバの１つの実施の形態を備える蓋をロックする方法の１つの実施の形態を概略的に示している。
【図１３Ｂ】図１３Ａの方法に関連した例示的な構成部材を示している。
【図１３Ｃ】図１３Ａの方法に関連した例示的な構成部材を示している。
【図１３Ｄ】図１３Ａの方法に関連した例示的な構成部材を示している。
【図１４Ａ】第１のサイズの飲料ポッドにおけるポッド基部構造の１つの実施の形態の図を示している。
【図１４Ｂ】第１のサイズの飲料ポッドにおけるポッド基部構造の１つの実施の形態の図を示している。
【図１４Ｃ】第２のサイズの飲料ポッドにおけるポッド基部構造の１つの実施の形態の図を示している。
【図１４Ｄ】第２のサイズの飲料ポッドにおけるポッド基部構造の１つの実施の形態の図を示している。
【図１５Ａ】第１および第２のサイズの飲料ポッドにおけるポッド基部構造の別の実施の形態の図を示している。
【図１５Ｂ】第１および第２のサイズの飲料ポッドにおけるポッド基部構造の別の実施の形態の図を示している。
【図１５Ｃ】第１および第２のサイズの飲料ポッドにおけるポッド基部構造の別の実施の形態の図を示している。
【図１６Ａ】第１の構成における抽出機械の一例の側方斜視図を示している。
【図１６Ｂ】第２の構成における図１６Ａの抽出機械の一例の側方斜視図を示している。
【図１６Ｃ】第３の構成における図１６Ａの抽出機械の一例の側方斜視図を示している。
【図１６Ｄ】図１６Ａにおける抽出機械のトレーのトップダウン斜視図を示している。
【図１６Ｅ】図１６Ａにおける抽出機械のドロワのトップダウン斜視図を示している。
【図１６Ｆ】図１６Ｅのトレーの下側斜視図を示している。
【図１７Ａ】第１の構成における抽出機械の一例の側方斜視図を示している。
【図１７Ｂ】第２の構成における図１７Ａの抽出機械の一例の側方斜視図を示している。
【図１７Ｃ】図１７Ａの抽出機械のドロワとともに位置決めされた飲料ポッド収容部のトップダウン斜視図を示している。
【図１７Ｄ】図１７Ａにおける抽出機械のドロワのトップダウン斜視図を示している。
【図１８Ａ】第１の構成における抽出機械の側方斜視図を示している。
【図１８Ｂ】図１８Ａの抽出機械の一部のトップダウン斜視図を示している。
【図１８Ｃ】第２の構成における図１８Ａの抽出機械の一部のトップダウン斜視図を示している。
【図１８Ｄ】図１８Ａの抽出機械の幾つかの構成部材のトップダウン斜視図を示している。
【図１９Ａ】抽出機械部分の側方斜視図を示している。
【図１９Ｂ】抽出機械部分の側方斜視図を示している。
【図２０Ａ】図１９Ａおよび図１９Ｂの抽出機械部分の幾つかの構成部材の例を示している。
【図２０Ｂ】図１９Ａおよび図１９Ｂの抽出機械部分の幾つかの構成部材の例を示している。
【図２０Ｃ】図１９Ａおよび図１９Ｂの抽出機械部分の幾つかの構成部材の例を示している。
【図２０Ｄ】図１９Ａおよび図１９Ｂの抽出機械部分の幾つかの構成部材の例を示している。
【図２０Ｅ】図１９Ａおよび図１９Ｂの抽出機械部分の幾つかの構成部材の例を示している。
【図２０Ｆ】図１９Ａおよび図１９Ｂの抽出機械部分の幾つかの構成部材の例を示している。
【図２０Ｇ】図１９Ａおよび図１９Ｂの抽出機械部分の幾つかの構成部材の例を示している。
【図２０Ｈ】図１９Ａおよび図１９Ｂの抽出機械部分の幾つかの構成部材の例を示している。
【図２０Ｉ】図１９Ａおよび図１９Ｂの抽出機械部分の幾つかの構成部材の例を示している。
【図２１Ａ】図１９Ａおよび図１９Ｂの抽出機械部分の付加的な構成部材の例を示している。
【図２１Ｂ】図１９Ａおよび図１９Ｂの抽出機械部分の付加的な構成部材の例を示している。
【図２１Ｃ】図１９Ａおよび図１９Ｂの抽出機械部分の付加的な構成部材の例を示している。
【図２１Ｄ】図１９Ａおよび図１９Ｂの抽出機械部分の付加的な構成部材の例を示している。
【図２１Ｅ】図１９Ａおよび図１９Ｂの抽出機械部分の付加的な構成部材の例を示している。
【図２１Ｆ】図１９Ａおよび図１９Ｂの抽出機械のある構成部材の移動の例を示している。
【図２１Ｇ】図１９Ａおよび図１９Ｂの抽出機械のある構成部材の移動の例を示している。
【図２１Ｈ】図１９Ａおよび図１９Ｂの抽出機械のある構成部材の移動の例を示している。
【図２１Ｉ】図１９Ａおよび図１９Ｂの抽出機械のある構成部材の移動の例を示している。
【図２２】レバーアセンブリを備える抽出機械の１つの実施の形態の斜視図を示している。
【図２３】図２２の抽出機械に設けることができる摺動軌道の１つの実施の形態を概略的に示している。
【図２４Ａ】点線で重ね合わされた抽出チャンバユニットを備える、図２２の抽出機械の側壁における軌道を示す部分的な断面図である。
【図２４Ｂ】点線で重ね合わされた抽出チャンバユニットを備える、図２２の抽出機械の側壁における軌道を示す部分的な断面図である。
【図２５Ａ】図２２の抽出機械の正面図を示している。
【図２５Ｂ】図２２の抽出機械の後面図を示している。
【図２５Ｃ】図２２の抽出機械の側面図を示している。
【図２５Ｄ】図２２の抽出機械の平面図を示している。
【図２６】回転ロッドを有するレバーアセンブリを備える抽出機械の別の実施の形態の斜視図を示している。
【図２７Ａ】図２６の抽出機械の正面図を示している。
【図２７Ｂ】図２６の抽出機械の側面図を示している。
【図２７Ｃ】図２６の抽出機械のある構成部材の斜視図を示している。
【図２８Ａ】回動蓋を有するレバーアセンブリを備える抽出機械の別の実施の形態の斜視図を示している。
【図２８Ｂ】図２８Ａの抽出機械の下側斜視図を示している。
【図２８Ｃ】閉鎖位置における図２８Ａの抽出機械の斜視図を示している。
【図２８Ｄ】図２８Ａの抽出機械のある構成部材の斜視図を示している。
【図２８Ｅ】閉鎖位置における図２８Ａの抽出機械のある構成部材の斜視図を示している。
【図２９Ａ】カムアセンブリを備える抽出機械の別の実施の形態の斜視図を示している。
【図２９Ｂ】図２９Ａの抽出機械のある構成部材の側面図を示している。
【図３０Ａ】円形カムを有するカムアセンブリを備える抽出機械の別の実施の形態の側方斜視図を示している。
【図３０Ｂ】図３０Ａの円形カムを概略的に示している。
【図３１Ａ】回動可能な飲料容器アセンブリの１つの実施の形態の斜視図を示している。
【図３１Ｂ】図３１Ａの回動可能な飲料容器アセンブリを有する抽出機械の斜視図を示している。
【図３１Ｃ】図３１Ａの回動可能な飲料容器アセンブリを有する抽出機械の斜視図を示している。
【図３１Ｄ】図３１Ａの回動可能な飲料容器アセンブリを有する抽出機械の斜視図を示している。
【図３２Ａ】スリーブに収容された第１の飲料ポッドサイズを備える、抽出機械のためのスリーブ機構の斜視図を示している。
【図３２Ｂ】スリーブに収容された第１の飲料ポッドサイズを備える、抽出機械のためのスリーブ機構の斜視図を示している。
【図３２Ｃ】スリーブに収容された第１の飲料ポッドサイズを備える、抽出機械のためのスリーブ機構の斜視図を示している。
【図３３Ａ】図３２Ａ〜図３２Ｃのスリーブ機構における締結具構造およびスクリュシャフトの断面図を概略的に示している。
【図３３Ｂ】図３２Ａ〜図３２Ｃのスリーブ機構におけるスクリュシャフトの側面図を概略的に示している。
【図３４Ａ】スリーブに収容された第２の飲料ポッドサイズを備える、図３２Ａ〜図３２Ｃのスリーブ機構の斜視図を示している。
【図３４Ｂ】スリーブに収容された第２の飲料ポッドサイズを備える、図３２Ａ〜図３２Ｃのスリーブ機構の斜視図を示している。
【図３４Ｃ】スリーブに収容された第２の飲料ポッドサイズを備える、図３２Ａ〜図３２Ｃのスリーブ機構の斜視図を示している。
【０００６】
実施の形態の詳細な説明
１つまたは複数の所望の改良を達成するために採用され得る様々な実施例を例示するために、様々な飲料製造システム、飲料ポッドおよび抽出機械が以下に説明される。これらの実施例は、例示的でしかなく、提示された一般的開示および本開示の様々な態様および特徴を限定することを意図したものではない。本明細書に記載された一般的な原理は、開示の思想および範囲から逸脱することなく、本明細書において説明されるもの以外の実施の形態および用途に適用されてもよい。事実上、本開示は、示された特定の実施の形態に限定されず、その代わり、本明細書に開示または示唆された原理および特徴と一致する最も広い範囲に従う。
【０００７】
ある態様、利点および特徴が本明細書に説明されているが、いずれの特定の実施の形態も、これらの態様、利点および特徴のいずれかまたは全てを含むことまたは達成することは必要ではない。例えば、幾つかの実施の形態は、本明細書に記載された利点を達成しなくてもよいが、その代わりに他の利点を達成してもよい。本開示は、様々な開示された実施の形態の特徴の全ての組み合わせを想定している。事実、あらゆる実施の形態におけるあらゆる構造、特徴またはステップは、あらゆる他の実施の形態におけるあらゆる構造、特徴またはステップの代わりにまたはそれらに加えて使用することができるまたは省略することができる。特徴、構造またはステップは、必須または不可欠ではない。
【０００８】
概要
図１Ａは、飲料製造システム１００の１つの実施の形態を概略的に示している。図示したように、システム１００は抽出機械を有することができる。抽出機械は抽出チャンバユニットを有することができ、この抽出チャンバユニットにおいて、飲料製造プロセスの幾つかまたは全て（例えば、抽出）が行われる。図示したように、システム１００は、一回分のコーヒー粉砕物またはコーヒー豆を含んだポッドなどの飲料ポッドも有することができる。図１Ｂに示したように、飲料ポッドは、抽出機械の上部または側部を通じて装填することなどによって、抽出チャンバユニットに収容することができる。飲料製造作動中、抽出機械は、ポッドに飲料を製造するために飲料ポッドに流体（例えば水などの液体）を導入することができる。飲料は、ポッドから流出し、カップまたはその他の容器などの中へ消費のために排出することができる。
【０００９】
幾つかの実施の形態では、抽出チャンバユニットは複数のタイプの飲料ポッドを収容するように構成されている。例えば、抽出チャンバユニットは、より小さなサイズ（例えば、高さ、外径、体積など）を備える第１のポッドタイプと、より大きなサイズ（例えば、高さ、外径、体積など）を備える第２のポッドタイプとを収容するように構成することができる。幾つかの態様では、抽出チャンバユニットは、第１のポッドタイプを収容するように構成された状態から、第２のポッドを収容するように構成された状態へ、またはその逆に転換することができる。幾つかの実施態様では、第１のポッドタイプはエスプレッソ飲料を製造するためのものであり、第２のポッドタイプは、抽出されたコーヒー飲料を製造するためのものである。したがって、転換式抽出チャンバユニットは、抽出機械が、エスプレッソ飲料を製造するように構成された状態から、抽出されたコーヒーを製造するように構成された状態へ、またはその逆に容易に転換することを可能にすることができる。
【００１０】
以下でより詳細に説明するように、幾つかの変化態様では、抽出チャンバユニットは、内側カップを収容する外側カップなどの、外側部分および内側部分を有する。幾つかの実施態様では、内側部分は、抽出チャンバユニットからの転換を容易にする、軸方向に移動するインサート（“浮動インサート”とも呼ばれる）を有する。例えば、幾つかの実施の形態では、第２のポッドタイプが抽出チャンバユニットに挿入されると、ポッドが浮動インサートに係合し、浮動インサートを移動させ、抽出チャンバユニットを、抽出されたコーヒー飲料を製造するための構成に転換する。幾つかの態様では、浮動インサートは、第１のポッドタイプを収容し、第１のポッドタイプに係合する（しかしながら収容しない）ように構成されている。
【００１１】
様々な実施の形態は、抽出チャンバユニットをユーザへ提供するように構成されており、これは、抽出チャンバユニットへのポッドの装填および／または抽出チャンバユニットからのポッドの取出しを容易にすることができる。例えば、幾つかの実施の形態では、抽出チャンバユニットは、抽出機械の可動なドロワの一部である。幾つかの実施態様では、ドロワは、エスプレッソコーヒーポッドを収容するように構成されたチャンバなどの第１のチャンバをユーザに提供するように移動（例えば、外方へ摺動）することができる。幾つかの実施の形態では、ドロワは、抽出コーヒーポッドを収容するように構成されたチャンバなどの第２のチャンバをユーザに提供するように移動することができる。幾つかの態様では、ドロワは、第１および第２のチャンバの両方をユーザに提供するように移動（例えば、摺動および／または回転）することができ、これにより、ユーザはどちらのチャンバを使用するかを選択することができる。
【００１２】
幾つかの実施の形態は、ドロワに収容されかつ／またはドロワに対して摺動するトレーなどの、摺動部分を有する。摺動部分は、抽出チャンバユニットを転換することを補助するように構成することができる。例えば、第１および第２のチャンバのうちの一方を、摺動部分に配置することができ、第１および第２のチャンバのうちの他方に対して使用位置へ摺動させることができる。幾つかの変化態様では、第１のチャンバは、第２のチャンバ上を摺動することができる（例えば、第２のチャンバの上方に存在することができる）。
【００１３】
様々な実施の形態は、飲料製造作動中にポッドを固定するように構成されている。例えば、ポッドは、（例えば、ポッドの飲料出口を除き）水の逃出しを阻止または回避するように抽出チャンバユニット内に固定することができる。それに関して、幾つかの実施の形態は、ポッドにシール可能に係合する１つまたは複数のシールを有する。幾つかの実施の形態では、ポッドは、抽出チャンバユニットの外側部分との蓋の係合などによって、抽出チャンバユニット内に固定される。幾つかの実施の形態では、このような係合の結果、以下でより詳細に説明するように、抽出チャンバユニットの内側部分は、抽出チャンバユニットの外側部分に固定される（例えば、抽出チャンバユニットの外側部分に対して概して静止状態に維持される）。
【００１４】
幾つかの実施態様では、抽出チャンバユニットは、リンクなどの固定機構と接続されている。リンクは、軌道において摺動するカムを有することができる。固定機構は、固定状態（例えば、抽出のための状態）と、非固定状態（例えば、ポッドの装填および／または取出しのための状態）との間で抽出チャンバユニットを移動させることができる。幾つかの実施の形態では、固定機構は、非固定状態において抽出チャンバユニットを概してユーザに向かって傾斜させるように構成されている。
【００１５】
抽出機械２０２の一例が、図２Ａおよび図２Ｂに示されている。図示したように、抽出機械２０２は、飲料ポッド（図示せず）を収容することができる抽出チャンバユニット２０４を有することができる。抽出機械２０２は、レバーまたはその他のアクチュエータなどによって、抽出チャンバユニット２０４を開放位置と閉鎖位置との間で移動させるように構成されたリンク機構２０６を有することができる。抽出機械２０２からカップまたはその他の容器へ排出することができる飲料（例えばコーヒー）の製造を容易にするために、水または別の液体などの流体を抽出チャンバユニット２０４におけるポッドに導入することができる。
【００１６】
ある実施の形態および実施例が、抽出されたコーヒーおよび／またはエスプレッソ飲料などのコーヒー飲料に関連して以下に開示される。しかしながら、この開示の様々な態様は、茶、またはその他のタイプの飲料および／または食品などのその他の文脈においても使用することができる。さらに、以下に開示される実施の形態および実施例は、一回分の飲料ポッドに関するが、ある特徴は、複数杯用途に適用されてもよい。さらに、あらゆる実施の形態または実施例のあらゆる１つの特徴または特徴のあらゆる組合せを、あらゆるその他の実施の形態または実施例において使用することができる。例えば、図３Ａ〜図１３Ｄに示された抽出チャンバは、図１６Ａ〜図３４Ｃの装置のいずれかにおいてなど、本発明に説明された抽出機械のいずれかにおいて使用することができる。
【００１７】
複数の飲料ポッドサイズを収容するように構成された抽出チャンバユニット
図３〜図５は、抽出チャンバユニット３００の複数の図を示している。図３Ａは、抽出チャンバユニット３００の斜視図を示している。図３Ｂおよび図３Ｃは、抽出チャンバユニット３００の２つの断面図を示している。図３Ｂに示された第１の断面図は、外側部分３１０の外面における固定構造３４０に沿って外側部分３１０を分割する、第１の軸線に沿った断面図を示している。図３Ｃに示された第２の断面図は、図３Ｂにおける第１の軸線に対して垂直な第２の軸線に沿った断面図である。図４Ａおよび図４Ｂは、抽出チャンバユニット３００の蓋４００および穴あき入口４５０の斜視図を示している。図５Ａ〜図５Ｃは、抽出チャンバユニット３００の内側部分５００の側部、上部および底部の斜視図を示している。
【００１８】
幾つかの実施の形態では、抽出チャンバユニット３００は複数のタイプの飲料ポッドを収容するように構成することができる。例えば、抽出チャンバユニット３００は、より大きなサイズ（例えば、直径、高さおよび／または体積）を有する第１のポッドタイプと、より小さなサイズ（例えば、直径、高さおよび／または体積）を備える第２のポッドタイプとを収容するように構成することができる。幾つかの実施の形態では、抽出チャンバユニット３００は、より大きなサイズを有する第１のポッドタイプを収容することができる外側部分３１０を有する。幾つかの実施態様では、抽出チャンバユニット３００は、より小さなサイズを有する第２のポッドタイプを収容することができる内側部分５００を有することができる。図３Ｂおよび図３Ｃに示したように、幾つかの実施の形態では、内側部分５００は、外側部分３１０内にはまり込むように構成することができる。幾つかの態様では、内側部分５００の外面は、外側部分３１０の内面と同一平面に位置するように構成することができる。
【００１９】
幾つかの実施の形態は、ばね８００などの付勢部材を有することができる。図３Ｂおよび図３Ｃに示したように、幾つかの例では、ばね８００を外側部分３１０内に配置することができる。幾つかの実施の形態では、内側部分５００をばね８００によって付勢することができる。例えば、ばね８００を、内側部分５００の本体の周囲に配置することができるかつ／または外側および内側部分３１０，５００の間で圧縮させることができる。幾つかの実施の形態では、これにより、内側部分５００は外側部分３１０内で移動することができる。例えば、内側部分５００は、ばね８００の付勢力を克服するために、十分な荷重が内側部分５００に加えられることなどによって、外側部分３１０の底面に向かって移動させることができる。幾つかの態様では、内側部分５００における荷重が十分に低減されるまたは排除されると、ばね８００の付勢力が内側部分５００を概して外側部分３１０の底面から離れるように移動させる。様々な実施の形態では、内側部分５００は、外側部分３１０における“浮動”として機能するようにかつ／または説明されるように構成することができる。以下でより詳細に説明するように、幾つかの例では、異なるサイズのポッド（例えば、より大きなサイズの第１のポッドタイプおよびより小さなサイズの第２のポッドタイプ）を収容するためにばねが圧縮および拡張させられるので、ばね８００は内側部分５００を外側部分３１０内で軸方向に可動にさせることができる。
【００２０】
幾つかの実施の形態では、抽出チャンバユニット３００は蓋４００を有することができる。蓋４００は、外側部分３１０に取り付けられるように構成することができる。以下で説明するように、幾つかの実施の形態では、蓋４００は、流体ディスペンサと抽出チャンバユニット３００との間に流体連通を提供することができる。幾つかの実施の形態では、蓋４００は、（例えば、ポッドの飲料出口を除き）水の逃出しを阻止または回避するためにポッドにシール可能に係合することができる１つまたは複数のシールを有することができる。幾つかの実施態様では、蓋４００は、固定機構に係合するように構成することができ、この固定機構は、幾つかの例において、内側部分５００またはより大きなサイズを有する第１のポッドタイプに係合することができる。
【００２１】
上述のように、抽出チャンバユニット３００は、飲料が製造されるときに蓋４００と係合することができる外側部分３１０を有することができる。幾つかの実施の形態では、外側部分３１０は複数の固定構造３４０を有することができる。幾つかの実施の形態では、以下でより詳細に説明するように、抽出チャンバユニット３００を所定の位置に固定するために、固定構造３４０は抽出機械と相互作用することができる。幾つかの実施の形態では、固定構造３４０は、外側部分３１０の操作（例えば、傾斜、上方移動、下方移動）を可能にするために、抽出機械内の構造と係合することができる。
【００２２】
図３Ａ〜図３Ｃに示したように、幾つかの実施例では、外側部分３１０は本体３１２を有することができる。幾つかの実施例では、本体３１２は、抽出されたコーヒーを製造するためのポッドなどの、第１のポッドタイプおよび／またはサイズを収容することができるように構成されている。本体３１２は、内側部分５００と、ばね８００などの付勢構造とを収容するように構成することができる。
【００２３】
幾つかの実施の形態では、本体３１２は、本体３１２の遠位端部および／または上端部などの、遠位シェルフ（棚状部）３２０を有することができる。蓋４００は、図３Ａおよび図３Ｂに示したように、遠位シェルフ３２０の外面の周囲に配置することができる。これは、抽出チャンバユニット３００内での飲料の製造を容易にすることができる。
【００２４】
幾つかの実施の形態では、遠位シェルフ３２０は、ロッキング機構１１００を保持するように構成されている。例えば、図３Ｃに示したように、遠位シェルフ３２０は、ロッキング機構１１００に係合し、ロッキング機構１１００を保持するように構成することができる。幾つかの例では、遠位シェルフ３２０は、ロッキング機構１１００における複数の孔１１３０と整列することができる複数の孔３３２を有することができる。幾つかの実施の形態では、ロッキング機構１１００を外側部分３１０の遠位シェルフ３２０に対して移動させるために、遠位シェルフ３２０とロッキング機構１１００とを係合させることができる。幾つかの実施例では、遠位シェルフ３２０とロッキング機構１１００との間の係合は、ばね３３０によって提供することができる。幾つかの実施の形態では、係合は、外側部分３１０の遠位シェルフ３２０内で移動を提供しながらロッキング機構１１００を保持するあらゆる構造であることができる。ロッキング機構１１００と、外側部分３１０の遠位シェルフ３２０との構成および機能は、以下でより詳細に説明される。
【００２５】
幾つかの実施の形態では、本体３１２は、近位端部などにおいて、基部３５０を有することができる。図示したように、基部３５０は開口３５２を有することができる。図示したように、開口３５２は、基部３５０の半径方向中央にまたはその周囲に配置することができる。幾つかの変化態様では、開口３５２は、基部３５０の半径方向中央からずれて配置されている。
【００２６】
幾つかの実施の形態では、外側部分３１０は、弁アクチュエータ３６０を有することができる。弁アクチュエータ３６０を、開口３５２の周囲で基部３５０に取り付けることができる。弁アクチュエータ３６０を、以下で説明するように、飲料の排出を可能にする内側部分５００における構造を作動させるように構成することができる。幾つかの実施の形態では、図３Ａ〜図３Ｃに示したように、弁アクチュエータ３６０は、複数のアーム３６２および突出部３６６を有することができる。弁アクチュエータ３６０の複数のアーム３６２を、基部３５０の開口３５２の周囲に配置することができる。幾つかの実施の形態では、複数のアーム３６２を開口３５２の周囲に均等に離間させることができる。複数のアーム３６２は、開口３５２と同軸の箇所３６４において接続されるように下方へ延びていることができる。幾つかの実施の形態では、突出部３６６の長さが開口３５２に向かって延びることができるように、突出部３６６を箇所３６４に取り付けることができる。幾つかの実施の形態では、突出部３６６は、円錐状であることができ、先端部３６８に向かって狭まっている。上述のようにかつ以下でより詳細に説明するように、飲料を排出するために先端部３６８は内側部分５００における構造と相互作用することができる。
【００２７】
図４Ａは、蓋４００の下側斜視図を示している。図示したように、幾つかの実施の形態では、蓋４００は穴あき入口４５０を有することができる。幾つかの実施例では、穴あき入口４５０を、蓋４００の内側に取り付けることができるかつ／または蓋４００の下側に保持することができる。図４Ｂは、穴あき入口４５０の一例の斜視図を示している。図示したように、ある実施態様では、穴あき入口４５０は円形である。
【００２８】
幾つかの実施例では、穴あき入口４５０は、中央に配置された拡散エレメント４５２を有することができる。拡散エレメント４５２を穴あき入口４５０の中央に配置することができ、拡散エレメント４５２は複数の開口４５４を有することができる。幾つかの実施の形態では、複数の開口４５４を同心状の円形パターンで配置することができる。幾つかの実施の形態では、複数の開口４５４を、拡散エレメント４５２の表面を横切って、様々な異なるおよび／またはランダムな構成で配置することができる。
【００２９】
幾つかの実施の形態では、穴あき入口４５０は、拡散エレメント４５２の周囲に同心状に整列させられた複数の溝（例えば、内側シール溝４５６および外側シール溝４５８）を有することができる。幾つかの実施例では、複数の溝（例えば、内側シール溝４５６および外側シール溝４５８）は、複数のシール（例えば、内側シール４１０および外側シール４２０）を収容することができる。幾つかの実施例では、内側シール溝４５６および外側シール溝４５８は、複数のシール（例えば、内側シール４１０および外側シール４２０）の一部のみが穴あき入口４５０の表面から突出することができるように十分に大きい（例えば、凹まされている）。幾つかの実施の形態では、これにより、内側シール４１０および外側シール４２０も蓋４００の穴あき入口４５０に固定される。
【００３０】
幾つかの実施の形態では、蓋４００は、内側シール４１０および外側シール４２０を有することができる。上述のように、幾つかの例では、穴あき入口４５０は、シールを収容することができる溝４５６，４５８などの複数の溝を有することができる。幾つかの実施の形態では、内側シール４１０および外側シール４２０は、トロイド状であり、それぞれ内側シール溝４５６および外側シール溝４５８に固定されている。幾つかの実施の形態では、内側シール溝４５６および外側シール溝４５８は、それぞれ、より小さなサイズの第２のポッドおよびより大きなサイズの第１のポッドに係合するように構成されている。幾つかの実施の形態では、内側シール４１０および外側シール４２０は、各飲料ポッドの周囲に適合することができるゴムまたはエラストマ材料から構成されている。内側シール４１０および外側シール４２０は、飲料が製造されるときに流体の逃出しを阻止または回避するためのシールを形成するために飲料ポッドの周囲に適合することができる。
【００３１】
幾つかの実施の形態では、蓋４００は、遠位管腔４３０を有することができる。幾つかの実施例では、遠位管腔４３０を蓋４００の遠位表面に配置することができ、遠位管腔４３０は、蓋４００を通じて流体接続を提供することができる。幾つかの実施の形態では、遠位管腔４３０は、流体ディスペンサを収容するまたは流体ディスペンサに接続されるように構成することができる開口４４０を有する。
【００３２】
蓋４００は、飲料製造作動中に流体のための入口を提供することができる。例えば、流体は、開口４４０を通過し、遠位管腔４３０を通って流れることができる。幾つかの実施例では、流体を、穴あき入口４５０と遠位管腔４３０との間の空間４４２に保持することができる。幾つかの実施の形態では、空間４４２と、拡散エレメント４５２における複数の開口４５４とにより、流体を、飲料ポッド全体を通じて排出することができる。幾つかの実施の形態では、これは、飲料ポッドを通る流体の均一な分配を可能にし、飲料ポッドのあらゆる部分において流体の集中が生じることを阻止または防止する。幾つかの実施の形態では、複数の開口４５４は、飲料ポッドの一貫したまたは漸進的な充填を提供することもできる。なぜならば、穴あき入口４５０における複数の開口４５４が、飲料ポッドへの水の流入を制限する（例えば、減速させる、限定する）からである。幾つかの実施の形態では、以下に説明するように、蓋４００は、挿入された飲料ポッドを固定するためにロッキング機構１１００を作動させることができる。
【００３３】
図５Ａ〜図５Ｃを参照すると、前述したように、抽出チャンバユニット３００は内側部分５００を有することができる。幾つかの実施の形態では、内側部分５００は本体５１０を有することができる。本体５１０を、エスプレッソベースの飲料を製造するためのポッドなどの、第２のポッドタイプおよび／またはサイズを収容するように構成することができる。様々な実施の形態では、第２のポッドサイズは、高さ、直径および／または体積などにおいて、第１のポッドサイズよりも小さい。
【００３４】
本体５１０の遠位端部は、内側レッジ５１２（出っ張り部）および遠位リップ５１４を有することができる。幾つかの実施の形態では、内側レッジ５１２を、遠位リップ５１４の下方に離間させることができる。幾つかの実施例では、図３Ｂに示したように、内側レッジ５１２は、上述の内側シール４１０を収容することができる。幾つかの実施の形態では、内側シール４１０は、内側レッジ５１２と係合することができる厚さを有する。上述のように、これは、流体が内側部分５００から逃げ出すのを阻止または防止するためのシールを形成することができる。
【００３５】
引き続き図５Ａ〜図５Ｃを参照すると、幾つかの例では、内側部分５００は、本体５１０の周囲に配置することができる外側保持構造５２０を有することができる。幾つかの態様では、外側保持構造５２０を、本体５１０の遠位端部に取り付けることができる。内部開口５２８を形成するために、外側保持構造５２０を本体５１０に取り付けることができる。上述のように、内側部分５００が外側部分３１０内で浮動インサートとして作用するように、内部開口５２８はばね８００を保持することができる。幾つかの実施の形態では、内部開口５２８は、圧縮されたときにばね８００を保持することができる。幾つかの実施の形態では、外側保持構造５２０は、保持溝５２４を形成することができる遠位レッジ（出っ張り部）５２２と近位レッジ（出っ張り部）５２６とを有する。以下で説明するように、幾つかの実施の形態では、内側部分５００を固定し、蓋４００が固定された後に内側部分５００の軸方向移動を阻止または防止するために、ロッキング機構１１００が保持溝５２４と相互作用することができる。
【００３６】
幾つかの実施の形態では、内側部分５００は出口構造５３０を有することができる。幾つかの実施例では、出口構造５３０を本体５１０の近位端部に取り付けることができる。出口構造５３０は、出口構造５３０を通る同軸開口５３２を提供する管腔５３４を有することができる。幾つかの実施の形態では、管腔５３４は、出口構造５３０を通って本体５１０から流体接続を提供する。
【００３７】
幾つかの実施例では、出口構造５３０は、弁保持円筒体５５０によって管腔５３４内に保持することができる弁５４０を有する。幾つかの態様では、弁５４０を、出口構造５３０によってまたは弁５４０を管腔５３４に対して移動させる別の構造によって、管腔５３４内に保持することができる。図３Ｂおよび図３Ｃに示したように、幾つかの実施の形態では、弁保持円筒体５５０を、管腔５３４の近位端部の構造によって管腔５３４に保持することができる。幾つかの実施例では、弁５４０は、弁５４０を管腔５３４内に保持するために、弁保持円筒体５５０の直径よりも小さくてもよい直径を有する。幾つかの実施の形態では、弁の遠位端部５４２が弁保持円筒体５５０の遠位端部に対して当接し、内側部分５００の内側から管腔５３４に対して開口５３２をシールするように、遠位端部５４２の直径は弁保持円筒体５５０の内径より大きくてもよい。幾つかの実施の形態では、弁５４０は、弁５４０の長さを通って延びる狭い管腔５４６を有することができる。以下でより詳細に説明するように、幾つかの実施の形態では、弁５４０の狭い管腔５４６は、製造された飲料のための別の出口を提供することができ、内側部分５００内に圧力を保持するために機能することもできる。
【００３８】
作動時、幾つかの実施の形態では、内側部分５００を部分的にばね８００内に配置することができ、内側部分５００は、外側部分３１０内で軸方向に可動であることができるように外側部分３１０内で浮動することができる。以下でより詳細に説明するように、内側部分５００の可動性により、抽出チャンバユニット３００は様々なサイズの飲料ポッドを収容することができる。以下でも説明するように、幾つかの実施の形態では、出口構造５３０および弁５４０を、製造された飲料を排出するように構成することができる。示すように、幾つかの実施の形態では、弁アクチュエータ３６０を出口構造５３０内の弁５４０に係合させることによって、飲料を排出することができる。幾つかの実施の形態では、製造された飲料を弁５４０の狭い管腔５４６に通過させることによって、飲料を排出することができる。
【００３９】
図６Ａは、第１のサイズの飲料ポッド６８０を抽出する方法を概略的に示しており、抽出チャンバユニット３００は、第１のサイズの飲料ポッド６８０を収容するように示されている（例えば、ポッドはより大きな直径を有する）。図６Ｂおよび図６Ｃは、第１のサイズの飲料ポッド６８０が挿入された、蓋４００を備える抽出チャンバユニット３００と、蓋４００を備えない抽出チャンバユニット３００との断面図を示している。
【００４０】
図示したように、ブロック６１０において、幾つかの実施の形態では、方法は第１のサイズの飲料ポッド６８０を挿入することを含むことができる。幾つかの実施態様では、第１のサイズの飲料ポッド６８０は、抽出されたコーヒー飲料を製造するために使用することができる。幾つかの実施の形態では、第１のサイズの飲料ポッド６８０は、第１のサイズの飲料ポッド６８０の遠位端部および近位端部を被覆するフィルタを有する。幾つかの実施例では、フィルタは飲料成分をシールする（例えば、コーヒー粉砕物または茶葉などの固体が出るのを阻止または防止する）が、流体を第１のサイズの飲料ポッド６８０に進入させかつ第１のサイズの飲料ポッド６８０から出させるように十分に透過性であることができる。図６Ｂおよび図６Ｃに示したように、幾つかの例では、第１のサイズの飲料ポッド６８０は、内側部分５００の内側レッジ５１２と同じであることができる基部直径を有する。幾つかの変化態様では、内側レッジ５１２は、第１のサイズの飲料ポッド６８０を内側部分５００の遠位端部に着座させることができる。さらに、幾つかの変化態様では、内側部分５００の遠位端部における遠位リップ５１４を、第１のサイズの飲料ポッド６８０を固定するために第１のサイズの飲料ポッド６８０の基部の周囲に配置することができる。
【００４１】
幾つかの実施の形態は、内側部分５００に第１のサイズの飲料ポッド６８０を配置することを含む。幾つかの実施の形態は、第１のサイズのポッド６８０を介して内側部分５００に力を加えることなどによって内側部分５００を下方へ押し付けることを含むブロック６２０を有する。幾つかの実施の形態は、内側部分５００によってばね８００を圧縮させることを含む。例えば、図６Ｂおよび図６Ｃは、圧縮状態のばね８００を示している。幾つかの実施の形態では、ばね８００の圧縮および／または下方への内側部分５００の移動は、第１のサイズの飲料ポッド６８０を収容することができる。前述のように、第１のサイズの飲料ポッド６８０を収容するために内側部分５００はばね８００を圧縮することができ、これにより、第１のサイズの飲料ポッド６８０は外側部分３１０の本体３１２内に完全にはまり込む。
【００４２】
方法は、内側部分５００の押し下げが突出部３６６を弁５４０の近位端部５４４に接触させ、弁５４０を遠位方向へ移動させる、ブロック６３０を含むことができる。図６Ｂおよび図６Ｃに示したように、第１のサイズの飲料ポッド６８０の高さは、内側部分５００を近位方向へ押し付け、これにより、出口構造５３０が弁アクチュエータ３６０へ押し込まれる。幾つかの実施の形態では、出口構造５３０の管腔５３４を弁アクチュエータ３６０の突出部３６６の上方に位置決めすることができ、これにより、突出部３６６の先端部３６８を弁５４０の近位端部５４４と接触させることができる。突出部３６６の輪郭は弁５４０を遠位方向へ押し付け、これにより、遠位端部５４２は内側部分５００の基部から突出し、内側部分５００と管腔５３４との間の流体接続を可能にする。以下で説明するように、この流体接続により、製造された飲料が排出される。
【００４３】
方法は、外側部分３１０を蓋４００によって被覆することを含むことができるブロック６４０を含むことができる。図６Ｃに示したように、蓋４００が外側部分３１０の遠位シェルフ３２０の周囲に配置されるように、蓋４００を外側部分３１０に取り付けることができる。幾つかの実施の形態では、ユーザによって作動させることができる機械的構造（例えば、レバーまたはロック）を介して蓋４００を外側部分３１０に取り付けるまたは固定することができる。幾つかの実施の形態では、電動式機構を介して蓋４００を外側部分３１０に取り付けるまたは固定することができる。以下で説明するように、抽出チャンバユニット３００は、外側部分３１０への蓋４００の取付けによって作動させることができるロッキング機構１１００を有することができる。
【００４４】
上述のように、蓋４００は複数のシールを有することができる。飲料が製造されるときに流体が漏れ出るのを阻止または防止するために、第１のシールを、蓋４００が取り付けられたときに第１のサイズの飲料ポッド６８０にシール可能に係合するように構成することができる。図４Ａおよび図４Ｂについて上述したように、蓋４００の穴あき入口４５０は、内側シール４１０および外側シール４２０を保持することができる。この実施の形態では、第１のサイズの飲料ポッド６８０のより大きな直径により、外側シール４２０を、第１のサイズの飲料ポッド６８０にシール可能に係合するように成形することができる。上述のように、外側シール４２０を、シールを形成するために、圧縮しかつ第１のサイズの飲料ポッド６８０の遠位縁部に適合することができる材料から構成することができる。
【００４５】
幾つかの実施の形態は、蓋４００を外側部分３１０に固定することを含む。幾つかの実施の形態は、流体を、蓋４００を通って第１のサイズの飲料ポッド６８０内へ流れさせることを含むことができるブロック６５０を含む。上述のように、図６Ｃに示したように、蓋４００は、流体ディスペンサを収容するまたは流体ディスペンサに接続されるように構成することができる、遠位端部における遠位管腔４３０を有することができる。作動中、流体は、遠位管腔４３０を通り、穴あき入口４５０における複数の開口４５４を通って流れることができる。上述のように、穴あき入口４５０における複数の開口４５４は、流体を、第１のサイズの飲料ポッド６８０の表面に沿って拡散させることができる。これは、第１のサイズの飲料ポッド６８０を均一に充填するという目的を果たすことができる。また、第１のサイズの飲料ポッド６８０が、遠位端部を被覆するフィルタを有するような幾つかの実施例では、穴あき入口４５０は、流体が、第１のサイズの飲料ポッド６８０へ直接に流入するのを阻止または防止する。直接に流入することは、フィルタをゆがめるかつ／または裂断させる恐れがある。流体が第１のサイズの飲料ポッド６８０に進入すると、飲料を製造するために、流体は、飲料成分（例えば、コーヒー粉砕物、茶葉、飲料ミックス）と相互作用することができる。
【００４６】
幾つかの実施の形態は、流体を、遠位管腔４３０を通って、第１のサイズの飲料ポッド６８０内へ流れさせることを含む。方法の幾つかの実施態様は、流体（例えば、製造された飲料）を第１のサイズの飲料ポッド６８０から内側部分５００内へ流れさせることを含むブロック６６０を含むことができる。幾つかの実施の形態では、内側部分５００の内面に面した第１のサイズの飲料ポッド６８０の近位端部は、製造された飲料を通過させるフィルタから成ることができる。幾つかの実施の形態では、第１のサイズの飲料ポッド６８０の近位端部は、温度によって作動させることができるか、機械的に作動させることができるかまたは圧力によって作動させることができる弁を有する。様々な実施例が、２０１４年１１月２０日に出願された米国特許出願第６２／０８２４５２号明細書（U.S.Patent Application No.62/082,452）に記載されており、当該明細書の全体は、引用したことにより本明細書に組み込まれる。例えば、弁は、二材料弁、溶け去る材料で含浸されたメッシュまたはその他の基板、または熱せん断フィルムであることができる。幾つかの実施の形態では、弁は、例えばポッドの挿入中にまたは所定の圧力に達したことに応答して、（例えば、尖った先端部と接触することによって）裂断させられるように構成されたフィルムである。幾つかの実施の形態では、弁の作動は、出口を開放させるか、さもなければ、製造された飲料を第１のサイズの飲料ポッド６８０から流出させるかつ／または内側部分５００へ流入させる。
【００４７】
方法は、流体（例えば、製造された飲料）を、第１のサイズの飲料ポッド６８０および／または内側部分５００から流出させることを含むブロック６７０を含むことができる。例えば、流体は、開口５３２および出口構造５３０の管腔５３４を通過することができる。上述のように、第１のサイズの飲料ポッド６８０の挿入は、内側部分５００を下方へ係合させ（例えば、押し付け）、内側部分５００は、弁アクチュエータ３６０の突出部３６６によって弁５４０の近位端部５４４に係合することができる。幾つかの実施の形態では、突出部３６６は、弁５４０に係合する（例えば、弁５４０を押し付ける）。これは、弁５４０を移動させることができる（図６Ｂ参照）かつ／または出口構造５３０の管腔５３４における通路を開放させることができ、これにより、内側部分５００を通る流体連通路を提供する。幾つかの実施の形態では、飲料は、第１のサイズの飲料ポッド６８０から出て、管腔５３４などの内側部分５００の一部に進入する。幾つかの実施態様では、飲料は管腔５３４から出て、外側部分３１０における開口３５２を通過する。様々な実施の形態では、飲料は、ユーザのカップまたはその他の容器などへ排出される。
【００４８】
幾つかの実施の形態では、製造された飲料が排出された後、第１のサイズの飲料ポッド６８０を外側部分３１０から取り出すことができる。幾つかの例では、第１のサイズの飲料ポッド６８０が取り出された後、ばね８００が拡張することができ、これにより、内側部分５００を外側部分３１０内の元の位置へ戻す。以下で説明するように、ばね８００と内側部分５００との相互作用は、第１のサイズの飲料ポッド６８０から飲料を抽出することができる状態から、第２のサイズの飲料ポッドから飲料を抽出することができる状態への、抽出チャンバユニット３００の転換を容易にする。
【００４９】
図７Ａは、第２のサイズの飲料ポッドを抽出する方法７００を概略的に示しており、抽出チャンバユニット３００は、第２のサイズの飲料ポッド７７０を収容するように示されている（例えば、ポッドはより小さな直径を有する）。図７Ｂおよび図７Ｃは、第２のサイズの飲料ポッド７７０が挿入された、蓋４００を備える抽出チャンバユニット３００と、蓋４００を備えない抽出チャンバユニット３００との断面図を示している。
【００５０】
ブロック７１０に示したように、幾つかの実施の形態では、方法は第２のサイズの飲料ポッド７７０を抽出チャンバユニット３００に挿入することを含むことができる。幾つかの実施態様では、第２のサイズの飲料ポッド７７０は、エスプレッソ飲料を製造するために使用することができる。幾つかの実施の形態では、第２のサイズの飲料ポッド７７０は、様々なその他の飲料を製造するために使用することができる。幾つかの実施の形態では、第２のサイズの飲料ポッド７７０は、第２のサイズの飲料ポッド７７０の近位端部および遠位端部の両方を被覆するフィルタを有することができる。フィルタは、飲料成分（例えば、コーヒー粉砕物、茶葉）をシールすることを助けることができるが、流体を第２のサイズの飲料ポッド７７０に進入させかつ第２のサイズの飲料ポッド７７０から出すように十分に透過性であることができる。図７Ｂおよび図７Ｃに示したように、第２のサイズの飲料ポッド７７０は、内側部分５００の本体５１０にはまり込む直径を有することができる。幾つかの実施例では、第２のサイズの飲料ポッド７７０は内側部分５００の本体５１０にはまり込むので、内側部分５００は、近位方向へ押し付けられてばね８００を圧縮することはない。
【００５１】
方法は、外側部分３１０を蓋４００によって被覆することを含むことができるブロック７２０を含むことができる。図７Ｃに示したように、蓋４００が外側部分３１０の遠位シェルフ３２０の周囲に配置されるように、蓋４００を外側部分３１０に取り付けることができる。上述のように、幾つかの実施の形態では、ユーザによって作動させることができる機械的構造（例えば、レバーまたはロック）によって蓋４００を外側部分３１０に取り付けるまたは固定することができる。幾つかの実施の形態では、電動式機構を介して蓋４００を外側部分３１０に取り付けるまたは固定することができる。
【００５２】
上述のように、蓋４００を、外側部分３１０に取り付けるように構成することができ、抽出チャンバユニット３００はロッキング機構１１００を有することができる。幾つかの実施態様では、ロッキング機構１１００は、外側部分３１０への蓋４００の取付けによって作動させることができる。例えば、以下でより詳細に説明するように、内側部分５００の軸方向移動を阻止または防止するために、ロッキング機構１１００の一部を、内側部分５００の外側保持構造５２０における保持溝５２４と係合させることができる。
【００５３】
幾つかの変化態様では、蓋４００が外側部分３１０に取り付けられるとき、蓋４００は、挿入された飲料ポッドにシール可能に係合することができる。上述のように、幾つかの実施例では、蓋４００の円形の穴あき入口４５０は、内側シール４１０および外側シール４２０を保持することができる。この実施の形態では、第２のサイズの飲料ポッド７７０は内側部分５００の本体５１０にはまり込むことができるので、内側シール４１０は、流体が第２のサイズの飲料ポッド７７０から漏れ出るのを阻止または防止するために第２のサイズの飲料ポッド７７０に係合しかつ第２のサイズの飲料ポッド７７０をシールするように成形されている。上述のように、内側シール４１０を、シールを形成するために、圧縮しかつ第２のサイズの飲料ポッド７７０の遠位縁部に適合することができる材料から構成することができる。
【００５４】
幾つかの実施の形態は、蓋４００を外側部分３１０に固定することを含む。幾つかの態様は、流体を、蓋４００を通って第２のサイズの飲料ポッド７７０内へ流れさせることを含むことができるブロック７３０を含む。上述のように、図７Ｃは、流体ディスペンサを収容するまたは流体ディスペンサに接続されるように構成された遠位端部における遠位管腔４３０を有する蓋４００を示している。作動中、流体は、遠位管腔４３０を通り、穴あき入口４５０における複数の開口４５４を通って流れることができる。上述のように、穴あき入口４５０における複数の開口４５４は、流体を、第２のサイズの飲料ポッド７７０の表面に沿って拡散させる。幾つかの実施例では、穴あき入口４５０は、流体が第２のサイズの飲料ポッド７７０に直接流入することを阻止または防止する。直接流入することは、フィルタをゆがめるかつ／または裂断させる恐れがある。流体が第２のサイズの飲料ポッド７７０に進入すると、飲料を製造するために、流体は、飲料成分（例えば、コーヒー粉砕物、茶葉、飲料ミックスなど）と相互作用する。
【００５５】
幾つかの実施の形態は、流体を、遠位管腔４３０を通って、第２のサイズの飲料ポッド７７０内へ流れさせることを含む。方法の幾つかの実施態様は、製造された飲料が第２のサイズの飲料ポッド７７０から排出されるように、流体（例えば、製造された飲料）を狭い管腔５４６に通過させるための十分な圧力を第２のサイズの飲料ポッド７７０内に形成することを記述するブロック７４０およびブロック７５０を含むことができる。第２のサイズの飲料ポッド７７０のサイズがより小さくてもよい幾つかの実施の形態では、図６Ａ〜図６Ｃに示された第１のサイズの飲料ポッドを抽出する方法６００とは異なり、内側部分５００は、出口構造５３０が弁アクチュエータ３６０と接触するように近位方向へ押し付けられない。
【００５６】
この実施の形態では、弁５４０の遠位端部５４２は、内側部分５００の本体５１０と管腔５３４との間に流体接続が存在しなくなるように、内側部分５００における開口５３２をシールする。幾つかの実施の形態では、製造された飲料が、第２のサイズの飲料ポッド７７０および内側部分５００の管腔５３４からろ過流出することができないので、第２のサイズの飲料ポッド７７０内に圧力が形成される。幾つかの実施例では、第２のサイズの飲料ポッド７７０は、エスプレッソなどの飲料を製造するために使用される。幾つかの飲料は、高圧の流体（例えば、水）を飲料成分に通過させることによって製造することができる。幾つかの実施例では、第２のサイズの飲料ポッド７７０の内部は、少なくとも約９ｂａｒの圧力に加圧される。幾つかの実施の形態では、第２のサイズの飲料ポッド７７０の内部を、少なくとも約５ｂａｒ、７ｂａｒ、９．５ｂａｒ、１１ｂａｒ、前記値の間の値またはその他の値に加圧することができる。幾つかの実施の形態では、抽出機械は、（例えば、エスプレッソを製造するために）第２のサイズの飲料ポッド７７０を約８ｂａｒ〜約１０ｂａｒに加圧するように構成されている。幾つかの実施の形態では、抽出機械は、（例えば、抽出されたコーヒーを製造するために）第１のサイズの飲料ポッド６８０を約１ｐｓｉ〜約６ｐｓｉに加圧するように構成されている。
【００５７】
幾つかの態様では、狭い管腔５４６のサイズにより、製造された飲料を弁５４０の狭い管腔５４６に通過させるための十分な圧力が形成されるまで、流体は第２のサイズの飲料ポッド７７０から容易に排出されない。例えばエスプレッソ飲料が望まれる幾つかの実施例では、第２のサイズの飲料ポッド７７０内のより高い圧力が、エスプレッソ飲料に特徴的なフレーバーを提供することを助ける。幾つかの実施例では、より高い圧力は、ほぼ大気圧で製造される飲料と比較して、より短い抽出時間および／または飲料のより高い濃度を提供することができる。幾つかのケースでは、圧力の上昇は、抽出速度および／またはプロフィルを変化させることができる。これは、約９ｂａｒの圧力で抽出されるエスプレッソがなぜ、約３ｐｓｉでポッドから抽出されるコーヒーの約４倍の濃さでかつより短い時間で産出できるかを説明することを助けることができる。
【００５８】
上述のように、製造された飲料を、飲料ポッドのサイズに応じて異なる方式で排出することができる。幾つかの実施の形態では、飲料は、内側部分５００の出口構造５３０に配置された弁５４０を通って排出される。より大きな飲料ポッド（例えば、第１のサイズの飲料ポッド６８０）が挿入される幾つかの実施例では、飲料は、弁５４０を軸方向で遠位方向に移動させることによって排出される。より小さな飲料ポッド（例えば、第２のサイズの飲料ポッド７７０）が挿入される幾つかの変化態様では、飲料は、弁５４０の中央において同軸的に延びる狭い管腔５４６を通って排出される。加えて、前記構造、システムおよび方法は、外側部分３１０および内側部分５００が、飲料の排出を制限または促進する構造を有さない抽出チャンバユニット３００の実施の形態と共に使用することもできる。
【００５９】
図８Ａおよび図８Ｂはそれぞれ、第２のサイズの飲料ポッド７７０および第１のサイズの飲料ポッド６８０が挿入された抽出チャンバユニット３００の断面図を示している。幾つかの実施態様では、内側部分５００は、開口５３２内に弁５４０または弁保持円筒体５５０を有さない。また、外側部分３１０は、弁アクチュエータ３６０を有さない。しかしながら、上述の抽出チャンバユニット３００のその他の部分は、同じままである。
【００６０】
この実施の形態では、製造された飲料の排出は、製造された飲料の流れを飲料ポッド自体によって制御することができるという点で異なる。上述のように、飲料ポッドは、飲料ポッドの近位端部および遠位端部の両方にフィルタを有することができる。飲料ポッドの近位端部からの製造された飲料の排出を制御するために、飲料ポッドは、様々な異なる構造を有することができる。飲料ポッド構造の幾つかの実施例が、２０１４年２月２６日に出願された米国特許出願第１４／１９１２２５号明細書（U.S.Patent Application No.14/191,225）に記載されており、当該明細書の全体は、引用したことにより本明細書に組み込まれる。幾つかの実施の形態では、飲料ポッドの基部は、さらに、飲料を飲料ポッドの基部から流れさせる複数の開口を含む構造を有することができる。このような飲料ポッドの基部構造の幾つかの実施の形態の実施例は、２０１４年３月１１日に出願された米国特許出願第１４／２０５１９７号明細書（U.S.Patent Application No.14/205,197）に記載されており、当該明細書の全体は、引用したことにより本明細書に組み込まれる。
【００６１】
最後に、幾つかの実施の形態では、飲料ポッドは、温度によって作動させることができるか、機械的に作動させることができるかまたは圧力によって作動させることができる様々な弁を有することができる。前述のように、幾つかの実施例は、２０１４年１１月２０日に出願された米国特許出願第６２／０８２４５２号明細書（U.S.Patent Application No.62/082,452）に記載されている。
【００６２】
上述のように、蓋４００を、遠位シェルフ３２０の外面の周囲に配置することができる。蓋４００および外側部分３１０を、（例えばポッドの飲料出口を通るのを除いて）水の逃げ出しを阻止または回避するようにポッドを抽出チャンバユニット３００内に固定するように構成することができる。幾つかの実施の形態では、抽出チャンバユニット３００はロッキング機構１１００を有することができ、ロッキング機構１１００は、蓋４００と相互作用し、飲料が準備されるときに内側部分５００を外側部分３１０に固定する（例えば、内側部分５００を外側部分３１０に対して概して定置に維持する）。
【００６３】
図９〜図１３は、抽出チャンバユニット３００内のロッキング機構１１００の構造およびその動作を示している。図９Ａ〜図９Ｃは、外側部分３１０の内側レッジ３１８内に配置されたロッキング機構１１００を備える外側部分３１０の斜視図および断面図を示している。図１０は、外側部分３１０の斜視図を示している。図１１は、２つの半円形の部分１１１０から成ることができるロッキング機構１１００の斜視図を示している。図１２Ａは、第１のサイズの飲料ポッドを固定する方法１２００を概略的に示しており、この方法は、第１のサイズの飲料ポッド６８０と係合するときのロッキング機構１１００を示している。図１２Ｂ〜図１２Ｄは、第１のサイズの飲料ポッド６８０が挿入された後の、抽出チャンバユニット３００およびロッキング機構１１００の分解図および断面図を示している。図１３Ａは、第２のサイズの飲料ポッドを固定する方法１３００を概略的に示しており、この方法は、第２のサイズの飲料ポッド７７０と係合するときのロッキング機構１１００を示している。図１３Ｂ〜図１３Ｄは、第２のサイズの飲料ポッド７７０が挿入された後の、抽出チャンバユニット３００およびロッキング機構１１００の分解図および断面図を示している。
【００６４】
図９Ａは、外側部分３１０の遠位シェルフ３２０に保持されたロッキング機構１１００の斜視図を示している。図９Ｂは、第１の軸線に沿った、ロッキング機構１１００を備える外側部分３１０の断面図を示している。図９Ｂは、遠位シェルフ３２０内に位置決めされたときのロッキング機構１１００の両部分の図を提供している。図９Ｃは、第２の軸線に沿った、ロッキング機構１１００を備える外側部分３１０の断面図を示しており、両半円１１１０の断面図を示している。
【００６５】
図１０は、ロッキング機構１１００が挿入されていない外側部分３１０の一例を示しており、遠位シェルフ３２０の構造の図を提供している。上述のように、幾つかの例では、遠位シェルフ３２０を、外側部分３１０の本体３１２の遠位端部に配置することができる。幾つかの実施の形態では、遠位シェルフ３２０は２つの部分から成り、遠位シェルフ３２０の各部分を間隙３２２によって分離することができる。幾つかの例では、遠位シェルフ３２０の各部分は、複数のピラー３３４によって形成することができる複数の窓３２４を有する。幾つかの実施の形態では、ピラー３３４を、内側レッジ３１８および本体３１２の遠位端部に接続することができる。幾つかの実施の形態では、遠位シェルフ３２０の各部分は内側レッジ３１８を有することができる。
【００６６】
幾つかの例では、内側レッジ３１８および複数の窓３２４は、ロッキング機構１１００を保持することができる内部通路３２６を形成することができる。幾つかの変化態様では、遠位シェルフ３２０の各部分のための内部通路３２６は、複数の側部開口３２８を有することができる。幾つかの実施の形態では、孔３３２を、遠位シェルフ３２０の各部分における中央ピラー３３４に配置することができる。幾つかの実施の形態では、孔３３２は、ばね３３０などの可動構造の一部を収容することができる。幾つかの実施の形態は、孔３３２内などにおいて、圧縮させることができかつ／または孔３３２内で可動なその他の圧縮可能部材（例えば、ゴムまたはその他のエラストマ部材）を有する。
【００６７】
図１１は、ロッキング機構１１００の一例を示している。幾つかの実施の形態では、ロッキング機構１１００は２つの半円１１１０を有することができる。幾つかの実施例では、各半円１１１０は、半円１１１０の本体を部分的に通って延びる孔１１３０を有することができる。上述のように、幾つかの実施例では、孔１１３０は、ばね３３０などの可動構造の一部を収容することができる。幾つかの実施の形態では、各半円１１１０は複数の狭められた端部１１４０を有することができる。幾つかの態様では、半円１１１０は、狭められた端部１１４０の近くに配置された、凹まされた端部１１５０を有することができる。幾つかの実施例では、半円１１１０は、下方へ傾斜した外側レッジ１１２０を有することができる。
【００６８】
幾つかの実施の形態では、半円１１１０の基部は、半円１１１０の上部よりも幅広である。幾つかの実施例では、各半円１１１０の内部は、内側レッジ１１７０を有する複数の矩形構造１１６０を有することができる。幾つかの変化態様では、各内側レッジ１１７０は、内方へ延びる斜面を有しており、矩形構造１１６０の上部が矩形構造１１６０の底部よりも幅広になっている。
【００６９】
作動中、図９Ａ〜図９Ｃに示したように、ばね３３０は、ロッキング機構１１００の半円１１１０の孔１１３０と、外側部分３１０の孔３３２との間に延びていることができる。各半円１１１０を、遠位シェルフ３２０の各部分の内部通路３２６内に配置することができる。幾つかの例では、凹まされた端部１１５０を、側部開口３２８を通って保持することができ、これにより、各半円１１１０の狭められた端部１１４０は間隙３２２内へ突出することができる。幾つかの実施の形態では、複数の矩形構造１１６０は窓３２４を通って延びていることができ、複数の矩形構造１１６０を遠位シェルフ３２０の内部通路３２６に保持することができる。幾つかの態様では、各半円１１１０の外側レッジ１１２０は遠位シェルフ３２０を超えて突出することができる。上述のように、外側レッジ１１２０を、遠位シェルフ３２０の内部通路３２６内へ押し込むことにより、複数の矩形構造１１６０は窓３２４を超えて延びることができ、これにより、複数の矩形構造１１６０は外側部分３１０の内側部分内へ突出することができる。後述するように、幾つかの実施の形態では、各矩形構造１１６０の内側レッジ１１７０は抽出チャンバユニット３００の複数の部分と相互作用することができる。
【００７０】
図１２Ａは、第１のサイズの飲料ポッドを固定する方法１２００を概略的に示しており、抽出チャンバユニット３００は、第１のサイズの飲料ポッド６８０を収容するように示されている（例えば、ポッドはより大きな直径を有する）。図１２Ｂ〜図１２Ｄは、第１のサイズの飲料ポッド６８０が挿入されるときの抽出チャンバユニット３００の様々な図を示している。
【００７１】
ブロック１２１０に示したように、幾つかの実施の形態では、方法は、外側部分３１０を蓋４００で被覆することを含むことができる。第１のサイズの飲料ポッドを抽出する方法６００に関して上述したように、第１のサイズの飲料ポッド６８０を、内側部分５００の遠位で、外側部分３１０内に配置することができる。第１のサイズの飲料ポッド６８０の基部は内側部分５００の遠位開口よりも大きな直径を有することができるので、第１のサイズの飲料ポッド６８０が挿入されると、第１のサイズの飲料ポッド６８０を収容するために内側部分５００が近位方向へ移動させられながらばね８００が圧縮される。蓋４００を外側部分３１０の遠位シェルフ３２０上に配置することができる。
【００７２】
幾つかの実施の形態では、（例えば、蓋４００が外側部分３１０の遠位端部を被覆するとき）蓋４００をロッキング機構１１００の外側レッジ１１２０と接触させることを含むブロック１２２０を有することができる。図１２Ｄに示したように、蓋４００が外側部分３１０の遠位シェルフ３２０上に配置されると、蓋４００の縁部は、ロッキング機構１１００の外側レッジ１１２０と接触することができる。以下で説明するように、幾つかの実施の形態では、蓋４００が外側部分３１０の遠位シェルフ３２０上に配置されると、蓋４００の縁部が外側レッジ１１２０と相互作用することができ、ロッキング機構１１００を遠位シェルフ３２０の内部通路３２６内へ引っ込める。
【００７３】
幾つかの実施の形態は、蓋４００をロッキング機構１１００の外側レッジ１１２０と係合（例えば、接触）させることを含む。方法の幾つかの実施態様は、ロッキング機構１１００を半径方向内方へ移動させることを含むブロック１２３０を含むことができる。幾つかの実施の形態では、この移動により、矩形構造１１６０の内側レッジ１１７０が第１のサイズの飲料ポッド６８０に対して押し付けられる。前述のように、ばね３３０は、内部通路３２６内で半径方向移動を提供するためにロッキング機構１１００を保持することができる。幾つかの実施例では、蓋４００は、最も狭い部分において外側レッジ１１２０の傾斜した面と係合することができる。幾つかの変化態様では、ロッキング機構１１００は、蓋４００が遠位シェルフ３２０の周囲に配置されるときに漸進的に内方へ移動することができる。
【００７４】
幾つかの実施の形態では、ロッキング機構１１００が半径方向内方へ移動すると、複数の矩形構造１１６０が窓３２４から延びることができる。これにより、矩形構造１１６０の内側レッジ１１７０は外側部分３１０の内部における構造と係合することができる。図１２Ｄに示した実施例では、矩形構造１１６０の内側レッジ１１７０は、第１のサイズの飲料ポッド６８０の外面と相互作用することができる。幾つかの実施の形態では、内側レッジ１１７０は、内側部分５００の遠位端部において第１のサイズの飲料ポッド６８０をセンタリングするために、第１のサイズの飲料ポッド６８０の外面に圧力を提供することができる。
【００７５】
図１３Ａは、第２のサイズの飲料ポッドを固定する方法１３００を概略的に示しており、抽出チャンバユニット３００は、第２のサイズの飲料ポッド７７０を収容するように示されている（例えば、ポッドはより小さな直径を有する）。図１３Ｂ〜図１３Ｄは、第２のサイズの飲料ポッド７７０が挿入されるときの抽出チャンバユニット３００の様々な図を示している。
【００７６】
幾つかの実施の形態では、第２のサイズの飲料ポッドを固定する方法１３００は、ロッキング機構１１００に関する第１のサイズの飲料ポッドを固定する方法１２００と同様である。しかしながら、後述するように、ロッキング機構１１００は、第２のサイズの飲料ポッド７７０の位置を固定するために内側部分５００と相互作用することができる。上述のように、幾つかの実施の形態では、第２のサイズの飲料ポッド７７０は、エスプレッソなどの飲料を製造するために使用することができる。幾つかの実施の形態では、ロッキング機構１１００は、第２のサイズの飲料ポッド７７０を外側部分３１０内の位置に保持することができ、これは、第２のサイズの飲料ポッド７７０内により高い圧力を維持することを助けることができる。
【００７７】
ブロック１３１０に示したように、幾つかの実施の形態では、方法は、外側部分３１０を蓋４００で被覆することを含むことができる。第２のサイズの飲料ポッドを抽出する方法７００に関して上述したように、第２のサイズの飲料ポッド７７０は、内側部分５００にはまり込むことができる。幾つかの実施例では、第２のサイズの飲料ポッド７７０のサイズにより、内側部分５００は、外側部分３１０内で軸方向に圧縮されない。上述しかつ図１３Ｄに示したように、蓋４００を外側部分３１０の遠位シェルフ３２０上に配置することができる。
【００７８】
蓋４００が外側部分３１０の遠位シェルフ３２０上に配置されると、方法は、蓋４００をロッキング機構１１００の外側レッジ１１２０と接触させることを含むことができるブロック１３２０を含むことができる。図１３Ｄに示したように、幾つかの実施例では、蓋４００が外側部分３１０の遠位シェルフ３２０上に配置されると、蓋４００の縁部は、ロッキング機構１１００の外側レッジ１１２０と接触することができる。以下で説明するように、幾つかの実施の形態では、蓋４００が外側部分３１０の遠位シェルフ３２０上に配置されると、蓋４００の縁部が外側レッジ１１２０と相互作用することができ、ロッキング機構１１００を遠位シェルフ３２０の内部通路３２６内へ引っ込める。
【００７９】
幾つかの実施の形態は、例えば蓋４００がロッキング機構１１００の外側レッジ１１２０と接触することに応答して、ロッキング機構１１００を（例えば半径方向内方へ）第２のサイズの飲料ポッド７７０に当接するように移動させることを含むことができるブロック１３３０を含む。前述のように、幾つかの例では、ロッキング機構１１００は、内部通路３２６内でロッキング機構１１００の半径方向移動を可能にするばね３３０によって、遠位シェルフ３２０内に可動に保持されている。
【００８０】
幾つかの実施の形態では、外側レッジ１１２０は斜面を有することができる。斜面により、蓋４００の縁部が外側部分３１０の遠位シェルフ３２０上を近位方向に移動するときにロッキング機構１１００が半径方向内方へ移動することができる。斜面により、蓋４００がロッキング機構１１００の最も狭い部分において外側レッジ１１２０と係合することができ、これにより、蓋４００が遠位シェルフ３２０の周囲に配置されたときにロッキング機構１１００が漸進的に内方へ移動する。幾つかの実施例では、ロッキング機構１１００の外側レッジ１１２０が半径方向内方へ移動すると、ロッキング機構１１００の矩形構造１１６０は窓３２４から突出する。
【００８１】
幾つかの実施の形態は、例えばロッキング機構１１００を半径方向内方へ移動させることに応答して、内側部分５００をロッキング機構１１００に係合させるおよび／または固定することを含むことができるブロック１３４０を含む。前述のように、内側部分５００は、遠位レッジ５２２と近位レッジ５２６との間に形成された保持溝５２４を有することができる。幾つかの実施の形態では、保持溝５２４の表面を、内側レッジ１１７０と同じ角度で傾斜させることができる。図１３Ｄに示したように、矩形構造１１６０の内側レッジ１１７０は、内側部分５００を蓋４００の外側シール４２０に当接するように固定するために、保持溝５２４において内側部分５００に係合することができる。第２のサイズの飲料ポッドを抽出する方法７００において上述したように、エスプレッソなどの飲料を抽出するためには、第２のサイズの飲料ポッド７７０内により高い圧力を維持することが望ましい可能性がある。幾つかの実施の形態では、内側部分５００の位置を固定することは、内側部分５００内に圧力が形成されるときに内側部分５００を所定の位置に（例えば、外側部分３１０に対して概して定置に）維持することを容易にする。
【００８２】
飲料ポッド
上述のように、抽出機械の抽出チャンバユニットを、第１のサイズの飲料ポッド６８０および第２のサイズの飲料ポッド７７０を収容するように構成することができる。例えば、幾つかの実施の形態では、抽出されたコーヒー飲料を製造するための飲料ポッドおよびエスプレッソベースの飲料を製造するための飲料ポッドをそれぞれ抽出チャンバユニットに収容することができる。
【００８３】
幾つかの実施の形態では、飲料ポッドは、飲料製造プロセスを容易にするように構成されている。例えば、飲料ポッド（例えば、第１のサイズの飲料ポッド６８０、第２のサイズの飲料ポッド７７０）は、飲料が抽出されるときにポッドにおけるフィルタのための支持を提供するための構造を（例えば、ポッドの基部内に）有することができる。これは、飲料が製造されるときにフィルタ形状を保持するための支持を提供することができ、ひいては、フィルタを通過する流体流の力によるフィルタの拡張または裂断の可能性を低減することができる。
【００８４】
図１４Ａ〜図１４Ｄは、基部のための支持を提供するための、様々な飲料ポッドに組み込むことができるポッド基部構造１４００の１つの実施の形態を示している。図１４Ａおよび図１４Ｂは、第１のサイズの飲料ポッド６８０（例えば、コーヒーなどの飲料を製造するためのより大きな直径の飲料ポッド）に組み込まれたポッド基部構造１４００を示している。図１４Ｃおよび図１４Ｄは、第２のサイズの飲料ポッド７７０（例えば、エスプレッソなどの飲料を製造するためのより小さな直径の飲料ポッド）に組み込まれたポッド基部構造１４００を示している。以下でより詳細に説明するように、ポッド基部構造１４００は、様々なサイズの飲料ポッドのために提供することができる。
【００８５】
図１４Ａおよび図１４Ｂは、第１のサイズの飲料ポッド６８０に組み込まれたポッド基部構造１４００の１つの実施の形態を示している。幾つかの実施の形態では、ポッド基部構造１４００は、（例えば、近位端部における）基部１４２０と、フィルム１４４０（例えば、膜）とを有することができる。基部１４２０は、ポッド本体１４１０の底部を形成することができる。図１４Ａに示したように、基部１４２０は複数の開口１４３０を有することができる。開口は、様々な形状およびサイズであることができる。幾つかの実施態様では、図１４Ａに示したように、基部１４２０の開口１４３０の設計は、複数の円形の開口１４３２と、丸みのある矩形の開口１４３４とを有することができる。図示したように、幾つかの態様は、第１の軸線に沿って間隔を置いて配置された２つの丸みのある矩形の開口１４３４（例えば、カプセル形の開口）と、第２の（例えば、垂直な）軸線に沿って間隔を置いて配置された２つの丸みのある矩形の開口１４３４とを有する。円形の開口１４３２を、丸みのある矩形の開口１４３４の各対の間に配置することができる。図１４Ａに示した実施例では、中央孔１４３６が、説明されている設計の中央に配置されている。
【００８６】
幾つかの実施の形態では、ポッド基部構造１４００は、複数の同心状のリング１４５０を有することができる。図１４Ｂに示したように、幾つかの実施例では、フィルム１４４０を基部１４２０の表面から離れるように持ち上げるために、複数の同心状のリング１４５０をフィルム１４４０と基部１４２０との間に配置することができる。幾つかの実施の形態では、複数の同心状のリング１４５０は、同心状のリング１４５０に沿って均等に間隔を置かれた複数の突出部１４５２を有することができる。幾つかの実施例では、突出部１４５２は、ポッド本体１４１０内の飲料成分および流体の圧力を同心状のリング１４５０の基部を横切って分散させることを助けることができ、これにより、フィルム１４４０は、その構造および形状をより良く保持することができる。図１４Ａに示された実施例は、減少するサイズの４つのリングを有するなど、複数の同心状のリング１４５０を示している。しかしながら、複数の同心状のリング１４５０は、ポッド本体１４１０の基部のための所望の支持を提供するために、あらゆる数のリングを有することができる。同様に、ポッド本体１４１０の基部のための所望の支持を提供するために、複数の突出部１４５２のサイズ、形状および配置を変更することができる。
【００８７】
上述のように、幾つかの実施の形態では、飲料ポッドを、エスプレッソなどの飲料を抽出するように構成することができる。幾つかのこのような実施の形態は、抽出中、少なくとも約９ｂａｒの圧力などのより高い圧力に耐えるように構成されている。図１４Ｃおよび図１４Ｄは、このような飲料の抽出のために飲料ポッドの１つの実施の形態を示している。飲料ポッドは、小さな孔１４６２（例えば、約０．３ｍｍ未満の直径）などの、制限器１４６０を有することができる。孔１４６２を制限器１４６０の中央に配置することができる。図７Ａ〜図７Ｃに示したように飲料を抽出する方法に関して前述したように、制限器１４６０は、ポッド本体１４１０内の流体がポッド本体１４１０から早期に流出することを阻止または防止することができる。孔１４６２のサイズは、飲料をポッド本体１４１０から漸進的に解放させながら、ポッド本体１４１０内に圧力を形成することができる。
【００８８】
図１５Ａ〜図１５Ｃは、基部のための支持を提供するための、様々な飲料ポッドに組み込むことができるポッド基部構造１５００を示している。図１５Ａは、第１のサイズの飲料ポッド６８０（例えば、コーヒー飲料を製造するためのより大きな直径の飲料ポッド）に組み込まれたポッド基部構造１５００を示している。図１５Ｂおよび図１５Ｃは、第２のサイズの飲料ポッド７７０（例えば、エスプレッソ飲料を製造するためのより小さな直径の飲料ポッド）に組み込まれたポッド基部構造１５００を示している。ポッド基部構造１４００のように、ポッド基部構造１５００を、様々なサイズの飲料ポッドのために適応させることができる。
【００８９】
図１５Ｂおよび図１５Ｃに示されたポッド基部構造１５００は、ポッド本体１５１０内のフィルタ（ここでは図示されていない）のための支持を提供するという同じ目的を提供することができる。幾つかの実施の形態では、ポッド基部構造１５００は、フィルタを基部１５２０から持ち上げる構造（例えば、複数の同心状のリング１４５０）を有さない。幾つかの実施の形態では、ポッド基部構造１５００は、複数の矩形の窓１５２２を備える基部１５２０を有するポッド本体１５１０を有する。幾つかの実施態様では、図１５Ａに示したように、複数の矩形の窓１５２２は、基部１５２０にわたって六角形パターンに間隔を置いて配置することができる。基部１５２０における窓は、円形、三角形、矩形、正方形、多角形またはあらゆるその他のタイプの設計などの、様々な形状およびサイズであることができる。窓の構造は、様々な構造であることができる。
【００９０】
上述のように、幾つかの実施の形態では、基部１５２０はフィルタのための支持を提供することができる。これは、飲料抽出プロセス中のポッド本体１５１０における流体および飲料成分の圧力の結果としてフィルタが裂断することを阻止または防止することができる。図１５Ｂおよび図１５Ｃは、飲料を抽出するために飲料ポッドにおいて使用するために適応されたポッド基部構造１５００を示している。幾つかの実施の形態では、飲料ポッド１５００は、（例えば、制限器１５４０のほぼ中央に配置された）小さな孔１５５０を備えた制限器１５４０を有することができる。幾つかの実施の形態では、孔１５５０のサイズは、エスプレッソなどの幾つかの飲料を製造するときに有利であり得るように、ポッド本体１５１０内に圧力を形成するように構成されている。幾つかの実施の形態は、制限器１５４０を有さないかつ／または抽出されたコーヒーを製造するときなど、飲料製造作動中の圧力上昇を低減または防止するようにその他の形式で構成されている。
【００９１】
回転可能なドロワ
図１６Ａ〜図１６Ｆは、抽出機械１６００の実施例を示している。抽出機械１６００は、回転可能なドロワを有してもよい。抽出機械１６００は、トレー１６４０およびドロワ１６６０を有してもよい。ここでさらに詳細に説明するように、ドロワ１６６０は、２つの飲料ポッド収容部を有してもよい。以下でより詳細に説明するように、収容部は、コーヒー飲料ポッドおよびエスプレッソ飲料ポッドなどの、様々な異なるサイズの飲料ポッドを収容するように構成することができる。様々な実施の形態では、抽出機械はハウジング１６０１を有する。図１６Ａに示したように、抽出機械１６００は、前側端部１６０２と、反対側の後側端部１６０４と、右側部分１６０６と、左側部分１６０８とを有してもよい。幾つかの実施の形態では、抽出機械１６００の前側端部１６０２は、抽出機械１６００のユーザに面するように構成されていてもよい。抽出機械１６００は、面（例えば、テーブル、カウンター）における抽出機械１６００の配置を容易にするように構成された底端部１６１０と、反対側の上端部１６１２とを有してもよい。
【００９２】
抽出機械１６００は、第２の開口１６１６の上方に第１の開口１６１４を有してもよい。図１６Ａに示したように、第１の開口１６１４は前側端部１６０２の横方向寸法の全長にわたって延びていてもよいかつ／または第１の開口１６１４は右側部分１６０６の横方向寸法の一部に沿っておよび左側部分１６０８の横方向寸法の一部に沿って延びていてもよい。例えば、開口１６１４は、少なくとも部分的に、ハウジング１６０１の前側端部１６０２における１つまたは複数の面、右側部分１６０６における１つまたは複数の面およびハウジング１６０１の左側部分１６０８における１つまたは複数の面によって境界を定められていてもよい。以下でさらに詳細に説明するように、第１の開口１６１４は、ドロワ１６６０およびトレー１６４０の少なくとも一部を、第１の開口１６１４を通って移動させることができるように、成形および／または寸法決めされていてもよい。
【００９３】
幾つかの実施の形態では、抽出機械１６００は第２の開口１６１６を有してもよい。第２の開口１６１６は、抽出機械１６００によって生ぜしめられた飲料のための容器を収容するように構成されていてもよい。例えば、第２の開口１６１６は、第１の開口１６１４の下方に配置されていてもよく、抽出機械１６００によって生ぜしめられた飲料を排出することができる飲料容器（例えば、カップ）を収容するように構成された形状および／または寸法を有してもよい。
【００９４】
図１６Ａは第１の構成における抽出機械１６００を示しており、図１６Ｂは第２の構成における抽出機械１６００を示している。図１６Ａに示された第１の構成において、トレー１６４０およびドロワ１６６０は、引っ込められた位置にあってもよい。例えば、第１の構成において、トレー１６４０およびドロワ１６６０は、ハウジング１６０１内または実質的にハウジング１６０１内に配置されてもよい。図１６Ｂに示された第２の構成において、トレー１６４０およびドロワ１６６０は、第１の開口１６１４を通って延長させられてもよく、これにより、トレー１６４０の一部およびドロワ１６６０の一部が、ハウジング１６０１の外側に配置されてもよく、例えば、ユーザに２つの飲料ポッド収容部のうちの一方（例えば、飲料ポッド収容部１６９０）を提供する。
【００９５】
図１６Ｃは、第３の構成における抽出機械１６００を示している。図１６Ｃに示された第３の構成において、トレー１６４０の一部は、第１の開口１６１４を通って延長させられ、ハウジング１６０１の外側に配置されてもよい。幾つかの実施の形態では、ドロワ１６６０は、全体的にハウジング１６０１の外側に配置されてもよいかつ／またはトレー１６４０に対して回転させられてもよい。例えば、ドロワ１６６０の第１の飲料ポッド収容部１６８０および第２の飲料ポッド収容部１６９０は、全体的にハウジング１６０１の外側に配置されてもよい。ドロワ１６６０は、トレー１６４０に対して鉛直方向軸線を中心に回転可能であってもよい。例えば、ドロワ１６６０は、トレー１６４０上に着座させられ、鉛直方向軸線を中心にトレー１６４０に対して回転させられてもよい。図１６Ｃは、ドロワ１６６０がトレー１６４０に対して垂直または実質的に垂直になるように、ドロワ１６６０を、鉛直方向軸線を中心にトレー１６４０に対して回転させることができることを示している。幾つかの実施の形態では、第１の開口１６１４は、トレー１６４０に対するドロワ１６６０の回転を可能にするように成形および／または寸法決めされていてもよく、例えば、ドロワ１６６０が回転させられ得るように、ドロワ１６６０のための十分な間隙を提供する。
【００９６】
幾つかの実施の形態では、ドロワ１６６０を時計回りに回転させることができる。幾つかの実施の形態では、ドロワ１６６０を反時計回りに回転させることができる。幾つかの実施の形態では、ドロワ１６６０は、完全に回転可能であることができ、例えば３６０°回転可能であることができる。幾つかの実施の形態では、ドロワを、時計回りおよび反時計回りに約１８０°まで回転させることができる。
【００９７】
ドロワ１６６０の回転は、手動でおよび／または１つまたは複数の電動式構成部材によって行われてもよい。例えば、ユーザは、ドロワ１６６０をハウジング１６０１から引き出すためにおよび／またはドロワ１６６０を所望の位置へ回転させるためにドロワ１６６０に力を加えてもよい。幾つかの実施の形態では、このような操作は電動式である。
【００９８】
幾つかの実施の形態では、第１の飲料ポッド収容部１６８０がまずドロワ１６６０によってユーザに提供されてもよい。例えば、（例えば、プロセッサ（図示せず）に接続されたユーザインターフェースを介して）飲料ポッド収容部へアクセスするというユーザ要求を受け取ることに応答して、ドロワ１６６０が第１の開口１６１４を通って延長させられてもよく、これにより、ドロワ１６６０およびトレー１６４０の一部がハウジング１６０１の外側に配置されてもよく、これにより、ユーザに第１の飲料ポッド収容部１６８０を提供する。ユーザが第２の飲料ポッド収容部１６９０にアクセスすることを望むならば、ユーザは、手動でドロワ１６６０を（例えば、時計回りまたは反時計回りに）回転させてもよく、これにより、第１の飲料ポッド収容部１６８０は回転させられてユーザから離れ、第２の飲料ポッド収容部１６９０がユーザに向かって回転させられる。ドロワ１６６０は、ドロワ１６６０が再びトレー１６４０と整列させられるまで回転させられてもよく、これにより、第２の飲料ポッド収容部１６９０がユーザに提供される。
【００９９】
第２の飲料ポッド収容部１６９０がまず提供されるならば、第１の飲料ポッド収容部１６８０を提供するようにドロワ１６６０を回転させるために、逆のプロセスが行われてもよい。例えば、飲料ポッド収容部１６８０を抽出機械１６００の前側端部１６０２に向かって配置するために、ユーザはドロワ１６６０を時計回りまたは反時計回りに回転させてもよい。
【０１００】
幾つかの実施の形態では、ドロワ１６６０の回転は、１つまたは複数の電動式構成部材によって行われてもよい。例えば、抽出機械１６００は、飲料ポッド収容部にアクセスするというユーザ要求に応答してドロワ１６６０を回転させるために、１つまたは複数の電動式構成部材を作動させてもよい。
【０１０１】
図１６Ｄは、トレー１６４０の上側斜視図を示している。トレー１６４０は、前側縁部１６４２、後側縁部１６４４、右側縁部１６４６および左側縁部１６４８を有してもよい。トレー１６４０は、上面１６５０と、反対側の底面１６５２とを有してもよい。幾つかの実施の形態では、ドロワ１６６０は、上面１６５０上に配置されてもよい。例えば、ドロワ１６６０は、上面１６５０上に着座させられてもよい。
【０１０２】
トレー１６４０は、右側縁部１６４６および左側縁部１６４８から延びる複数の突出部を有してもよい。トレー１６４０は、右側縁部１６４６の上側部分および左側レッジ１６４８から横方向に延びる複数の突出部１６５４および／または右側縁部１６４６の下側部分および左側レッジ１６４８から横方向に延びる複数の突出部１６５６を有してもよい。図示したように、幾つかの態様では、突出部１６５４，１６５６は、上側部分および下側部分から交互に延びていてもよい。図１６Ｄに示したように、トレー１６４０は、右側縁部１６４６および左側縁部１６４８のそれぞれにおいて３つの各突出部１６５４および１６５６を有してもよい。幾つかの実施の形態では、突出部１６５６の上面および突出部１６５４の下面は、所定の鉛直方向距離だけ離れていてもよく、これにより、突出部１６５６，１６５４は、抽出機械１６００の別の構成部材における１つまたは複数の対応する突出部と係合するように構成されていてもよく、これにより、ハウジング１６０１に出入りするトレー１６４０の移動を容易にする。例えば、抽出機械１６００の１つまたは複数のその他の構成部材は、係合するための対応する軌道を有してもよい。幾つかの実施の形態では、突出部１６５６，１６５４に対応する突出部の少なくとも一部が、ハウジング１６０１の内面に設けられていてもよい。例えば、突出部１６５６，１６５４は、抽出機械１６００の１つまたは複数の対応する突出部と係合するように構成されていてもよく、これにより、ハウジング１６０１に入るおよび／またはハウジング１６０１から出るトレー１６４０の少なくとも一部の移動が、対応する突出部によって案内されてもよい。
【０１０３】
図１６Ｄに示したように、トレー１６４０は開口１６５８を有してもよい。開口１６５８は、ドロワ１６６０に連結するための形状を有してもよい。図１６Ｄに示したように、開口１６５８の中央部分は、部分的な円形などの係合形状を有してもよい。係合形状は、ここでさらに詳細に説明するように、ドロワ１６６０の底部における対応する形状と係合するように構成されていてもよく、これにより、ドロワ１６６０がトレー１６４０に対して回転させられてもよい。
【０１０４】
図１６Ｅを参照すると、ドロワ１６６０のトップダウン斜視図が示されている。ドロワ１６６０は、第１の端部１６６２および第２の反対側の端部１６６４を有してもよい。第１の端部１６６２および／または第２の反対側の端部１６６４は、ドロワ１６６０が回転させられる位置に応じて、抽出機械１６００における第１の開口１６１４を通ってユーザへ提供されてもよい。
【０１０５】
ドロワ１６６０は、第１の端部１６６２の近傍の第１の飲料ポッド収容部１６８０および第２の反対側の端部１６６４の近傍の第２の飲料ポッド収容部１６９０を有してもよい。例えば、ドロワ１６６０の第１の端部がまずハウジング１６０１の外側に配置されるならば、第１の飲料ポッド収容部１６８０がまずユーザに提供されてもよく、またはその逆のこともある。幾つかの実施の形態では、第１の飲料ポッド収容部１６８０を、第２の飲料ポッド収容部１６９０よりも小さいサイズを有する飲料ポッドを収容するように構成することができる。幾つかの実施の形態では、第１の飲料ポッド収容部１６８０は、エスプレッソ飲料を抽出するように構成された飲料ポッドを収容するように構成されてもよい。幾つかの実施の形態では、第２の飲料ポッド収容部１６９０が、コーヒー飲料または別のタイプの飲料を抽出するように構成された飲料ポッドを収容するように構成されていてもよい。幾つかの実施の形態では、第１の飲料ポッド収容部１６８０および／または第２の飲料ポッド収容部１６９０は、それぞれエスプレッソ飲料およびコーヒー飲料以外の飲料を抽出するように構成された飲料ポッドを収容するように構成されていてもよい。例えば、第１の飲料ポッド収容部１６８０および／または第２の飲料ポッド収容部１６９０は、茶、ホットチョコレート、サイダー、ジュースまたはその他を製造するための飲料ポッドを受け入れるように構成することができる。
【０１０６】
第１の飲料ポッド収容部１６８０は、第１の飲料ポッド収容部凹所１６８２を有してもよい。凹所１６８２は、第１の飲料ポッド収容部側壁部分１６８４と、第１の飲料ポッド収容部底部１６８６とによって境界を定めることができる。第１の飲料ポッド収容部底部１６８６は、開口１６８８を有してもよい。第２の飲料ポッド収容部１６９０は、第２の飲料ポッド収容部凹所１６９２を有してもよい。凹所１６９２は、第２の飲料ポッド収容部側壁部分１６９４と、第２の飲料ポッド収容部底部１６９６とによって境界を定めることができる。第２の飲料ポッド収容部底部１６９６は、開口１６９８を有してもよい。
【０１０７】
第１の飲料ポッド収容部１６８０の開口１６８８および第２の飲料ポッド収容部１６９０の開口１６９８を、流体の流れを通過させるように構成することができる。例えば、第１の飲料ポッド収容部１６８０または第２の飲料ポッド収容部１６９０に収容される飲料ポッドによって生ぜしめられる飲料は、開口１６８８または開口１６９８をそれぞれ通過してもよく、これにより、飲料は、飲料容器（例えば、カップ）へ排出されてもよい。幾つかの実施の形態では、開口１６８８，１６９８は、トレー１６４０の開口（例えば、開口１６５８）と整列するように構成されていてもよく、これにより、抽出機械１６００内で生ぜしめられた飲料は、飲料容器へ排出されてもよい。
【０１０８】
図１６Ｆは、ドロワ１６６０の下側斜視図を示している。ドロワ１６６０は、底面において、トレー１６４０の開口１６５８と係合するためのトレー係合突出部１６６６を有してもよい。トレー係合突出部１６６６は、トレー１６４０における開口１６５８の対応するドロワ係合部分内に配置されてもよく、これにより、ドロワ１６６０はトレー１６４０上に維持されてもよいかつ／またはドロワ１６６０をトレー１６４０に対して回転させることができる。例えば、トレー係合突出部１６６６は、トレー１６４０における開口１６５８のドロワ係合部分と係合するように寸法決めおよび／または成形されていてもよい。
【０１０９】
図１６Ｆに示したように、ドロワ１６６０は、底面において１つまたは複数の支持特徴１６６８を有してもよい。幾つかの実施の形態では、支持特徴１６６８の少なくとも一部は、第１の飲料ポッド収容部１６８０の下方に配置されてもよい。例えば、支持特徴１６６８は、第１の飲料ポッド収容部１６８０の下方または実質的に下方に配置されてもよい。１つまたは複数の支持特徴１６６８は、第１の飲料ポッド収容部１６８０のための機械的支持を提供してもよい。幾つかの実施の形態では、支持特徴１６６８は、例えば第１の飲料ポッド収容部１６８０に収容された飲料ポッドからの飲料の製造中、第１の飲料ポッド収容部１６８０の構造的形式および／または構造的一体性を維持することを容易にしてもよい。幾つかの実施の形態では、第１の飲料ポッド収容部１６８０に収容された飲料ポッドを使用して飲料を生ぜしめることは、高圧プロセスを含んでもよい。例えば、エスプレッソ飲料などの飲料を生ぜしめるために、約９ｂａｒよりも高い圧力が使用されてもよい。幾つかの実施の形態では、支持特徴１６６８は、約９ｂａｒよりも高い圧力における飲料製造プロセス中、第１の飲料ポッド収容部１６８０の構造形態および／または一体性を維持することを容易にするように構成されていてもよい。
【０１１０】
図１６Ｆに示したように、幾つかの実施の形態では、支持特徴１６６８は半径方向構成を有してもよい。例えば、支持特徴１６６８は、第１の飲料ポッド収容部１６８０の下方または実質的に下方に配置されておりかつ中央部分から第１の飲料ポッド収容部１６８０の下方をドロワ１６６０の側壁部分まで延びる部分を有してもよい。
【０１１１】
線形に可動なドロワ
図１７Ａ〜図１７Ｄは、別の抽出機械１７００の実施例の概略図を示している。抽出機械１７００は、線形に可動であってもよいドロワを有してもよい。以下でより詳細に説明するように、ドロワを、抽出機械１７００への飲料ポッドの装填および／または抽出機械１７００からの飲料ポッドの取出しを容易にするように構成することができる。幾つかの実施の形態では、ドロワは、より大きなポッド用の抽出チャンバと、背後に配置された小さなポッド用の摺動する抽出チャンバとを有する。図１７Ｃに示したように、より大きなチャンバの後側縁部は、より小さなチャンバの前側縁部であることができる。幾つかの実施態様では、図１７Ａおよび／または図１８Ｃに示したように、より大きな抽出チャンバの使用から、より小さな抽出チャンバ（例えば、エスプレッソを製造する）へ切り替えるために、より小さなチャンバは、（ユーザによってまたはユーザが選択した機構によって）前方へ摺動させられ、出現する。幾つかの実施の形態は、ドロワを開放し、閉鎖しかつ／または締め付けるための機構（例えば、レバー）を有する。機構は、手動で操作することができるまたは電動式であることができる。幾つかの実施の形態では、より小さなチャンバおよびより大きなチャンバは両方とも、抽出機械内に維持されている。幾つかの実施態様では、ユーザがコーヒーを抽出したいときは、ユーザは、より大きなチャンバへのアクセスを得るためにより小さなチャンバを（例えば、後方へ）押し退け、ユーザがエスプレッソ飲料を製造したいときは、より小さなチャンバへのアクセスを得るために当該チャンバを前方へ摺動させる。
【０１１２】
図１７Ａに示したように、抽出機械１７００は、前側端部１７０２と、反対側の後側端部１７０４と、右側部分１７０６と、左側部分１７０８とを有してもよい。幾つかの実施の形態では、抽出機械１７００の前側端部１７０２は、抽出機械１７００のユーザに面するように構成されていてもよい。抽出機械１７００は、面（例えば、テーブル、カウンター）における抽出機械１７００の配置を容易にするように構成された底端部１７１０と、反対側の上端部１７１２とを有してもよい。様々な実施の形態では、抽出機械１７００はハウジング１７０１を有してもよい。
【０１１３】
抽出機械１７００は、第１の開口１７１４と、第１の開口１７１４の下方における第２の開口１７１６とを有してもよい。幾つかの実施の形態では、第１の開口１７１４は、前側端部１７０２の横方向寸法の少なくとも一部にわたって延びていてもよい。例えば、開口１７１４は、ハウジング１７０１の前側端部１７０２における１つまたは複数の面によって境界を定められていてもよい。幾つかの実施の形態では、第１の開口は、右側部分１７０６の横方向寸法の少なくとも一部と、左側部分１７０８の横方向寸法の少なくとも一部とに沿って延びていてもよい。例えば、開口１７１４は、ハウジング１７０１の前側端部１７０２における１つまたは複数の面、右側部分１７０６における１つまたは複数の面およびハウジング１７０１の左側部分１７０８における１つまたは複数の面によって境界を定められていてもよい。
【０１１４】
図１７Ａに示したように、抽出機械１７００は、ドロワ１７４０を有してもよい。幾つかの実施の形態では、ドロワ１７４０の少なくとも一部は、第１の開口１７１４を通ってハウジング１７０１へ挿入可能であってもよい。幾つかの実施の形態では、第１の開口１７１４は、ドロワ１７４０の少なくとも一部を、第１の開口１７１４を通ってハウジング１７０１内へまたはハウジング１７０１外へ移動させることができるように成形および／または寸法決めされていてもよい。
【０１１５】
第２の開口１７１６は、抽出機械１７００によって製造された飲料のための飲料容器を収容するように構成されていてもよい。例えば、第２の開口１７１６は、第１の開口１７１４の下方に配置されていてもよく、抽出機械１７００によって生ぜしめられた飲料を排出することができる飲料容器（例えば、カップ）を収容するように構成された形状および／または寸法を有してもよい。
【０１１６】
ここでさらに詳細に説明するように、ドロワ１７４０は、例えばドロワ１７４０内で相前後して、２つの飲料ポッド収容部を収容するように構成されていてもよい。図１７Ａに示したように、第１の構成において、ドロワ１７４０の一部は、抽出機械１７００の前側端部１７０２を超えて延びることができ、これにより、ドロワ１７４０内の第１の飲料ポッド収容部１７６０をユーザへ提供することができる。図１７Ｂは、第２の構成を示している。第２の構成は、前側端部１７０２を超えて延長したドロワ１７４０の一部を有してもよく、これにより、ドロワ１７４０内の第２の飲料ポッド収容部１７８０をユーザへ提供することができる。例えば、ユーザは、延長したドロワ１７４０によってユーザへ提供された第１の飲料ポッド収容部１７６０または第２の飲料ポッド収容部１７８０へ飲料ポッドを挿入しまたは使用された飲料ポッドをそこから取り出してもよい。
【０１１７】
幾つかの実施の形態では、ドロワ１７４０の一部は、第１の開口１７１４を通って線形に移動させられてもよい。幾つかの実施の形態では、第１の開口１７１４を通るドロワ１７４０の一部の移動は、ユーザがドロワ１７４０を引っ張るまたはドロワ１７４０を押し付けることなどによって、ユーザによって手動で行うことができる。幾つかの実施の形態では、ドロワ１７４０の移動を、ユーザ入力（例えば、プロセッサ（図示せず）と通信するユーザインターフェースを介して受信されたユーザ入力）に応答して１つまたは複数の電動式構成部材によって行うことができる。例えば、ドロワ１７４０の一部は、入力（例えば、ドロワ１７４０に着座させられた飲料ポッド収容部へ飲料ポッドを挿入するまたは飲料ポッド収容部から飲料ポッドを取り出すためにユーザインターフェースを介して提供された要求）に応答して第１の開口１７１４を通ってハウジング１７０１から出るように移動させられてもよい。ユーザが挿入または取出しの完了を示した後など、ドロワ１７４０をハウジング１７０１内へ再び移動させることができる。
【０１１８】
ここで説明されているように、第１の構成では、延長した位置におけるドロワ１７４０は、第１の飲料ポッド収容部１７６０をユーザへ提供してもよい。例えば、第１の飲料ポッド収容部１７６０は、まず前側部分においてドロワ１７４０に着座させられてもよく、これにより、ドロワ１７４０の少なくとも一部が第１の開口１７１４を通って延長させられると、第１の飲料ポッド収容部１７６０がハウジング１７０１の外側に配置される。第２の飲料ポッド収容部１７８０は、第２の構成にしたがって、ドロワ１７４０の前側部分に配置されていてもよく、これにより、第２の飲料ポッド収容部１７８０がユーザへ提供される。
【０１１９】
幾つかの実施の形態では、ドロワ１７４０内での第１の飲料ポッド収容部１７６０と第２の飲料ポッド収容部１７８０との位置の交替は、手動で行われてもよい。例えば、ユーザは、ドロワ１７４０内の第１の飲料ポッド収容部１７６０と第２の飲料ポッド収容部１７８０との位置の交替を行ってもよい。
【０１２０】
幾つかの実施の形態では、抽出機械１７００は、飲料ポッド収容部へアクセスするためにユーザによって入力された要求を受け取ってもよい。例えば、抽出機械１７００は、プロセッサと通信するユーザインターフェースを有してもよい。幾つかの実施態様では、抽出機械１７００は、ユーザからの指令に応答して、ユーザに、ドロワ１７４０内に収容された２つの飲料ポッド収容部のうちの一方を提供してもよい。例えば、図１７Ａに示したように、第１の飲料ポッド収容部１７６０はドロワ１７４０の前側部分に着座させられてもよく、第２の飲料ポッド収容部１７８０はドロワ１７４０の後側部分に着座させられてもよく、これにより、ドロワ１７４０が第１の開口１７１４を通って延長させられたときに、第１の飲料ポッド収容部１７６０がユーザに提供される。幾つかの実施の形態では、第２の飲料ポッド収容部１７８０にアクセスするために、第１の飲料ポッド収容部１７６０はドロワ１７４０から取り外され、第２の飲料ポッド収容部１７８０が、（例えば、第２の飲料ポッド収容部１７８０を引っ張るおよび／または摺動させることによって）前方へ移動させられる。幾つかの実施の形態では、ユーザは、第２の飲料ポッド収容部１７８０をドロワ１７４０から取り外し、第１の飲料ポッド収容部１７６０をドロワ１７４０の後側部分に配置してもよい。第２の飲料ポッド収容部１７８０は、次いで、ドロワ１７４０内に再配置され、ドロワ１７４０の前側部分に配置されてもよい。ユーザは、次いで、所望の飲料を製造するために飲料ポッドを第２の飲料ポッド収容部１７８０に配置してもよい。幾つかの変化態様では、第２の飲料ポッド収容部は、第１の飲料ポッド収容部１７６０上を移動（摺動）させられる。
【０１２１】
幾つかの実施の形態では、第２の飲料ポッド収容部１７８０がユーザに提供され、ユーザが、第１の飲料ポッド収容部１７６０へアクセスすることを望むときは、ユーザは、第２の飲料ポッド収容部１７８０を取り外し、飲料ポッド収容部を取り外すおよび／または交替させるために同様のプロセスを行ってもよく、これにより、第２の飲料ポッド収容部１７８０がドロワ１７４０の後側部分に配置され、第１の飲料ポッド収容部１７６０がドロワ１７４０の前側部分に配置される。
【０１２２】
幾つかの実施の形態では、ドロワ１７４０内での第１の飲料ポッド収容部１７６０と第２の飲料ポッド収容部１７８０との配置を交替することを、１つまたは複数の電動式構成部材によって行うことができる。例えば、抽出機械１７００は、ユーザから、第１の飲料ポッド収容部１７６０または第２の飲料ポッド収容部１７８０へのアクセスを要求する入力を受け取ってもよい。応答して、抽出機械１７００は、第１の飲料ポッド収容部１７６０および第２の飲料ポッド収容部１７８０の位置を交替させるために、１つまたは複数の電動式構成部材に対する１つまたは複数の指令を開始してもよい。幾つかの実施の形態では、第１の飲料ポッド収容部１７６０と第２の飲料ポッド収容部１７８０との配置を交替することは、手動操作と電動式構成部材との組合せによって行うことができる。
【０１２３】
幾つかの実施の形態では、第２の飲料ポッド収容部１７８０は、ハウジング１７０１の外側に貯蔵されてもよい。例えば、第２の飲料ポッド収容部１７８０は、第２の飲料ポッド収容部１７８０が使用されていないときに、ドロワ１７４０内に貯蔵されなくてもよい。幾つかの実施の形態では、飲料ポッド収容部ヘアクセスするためのユーザ入力に応答して、ドロワ１７４０は、ユーザに第１の飲料ポッド収容部１７６０を提供してもよい。幾つかの実施の形態では、第２の飲料ポッド収容部１７８０へアクセスするために、第１の飲料ポッド収容部１７６０は、ドロワ１７４０の前側部分から後側部分へ移動させられてもよく、第２の飲料ポッド収容部１７８０を、外側貯蔵部から回収し、ドロワ１７４０の前側部分に配置することができる。幾つかの実施の形態では、ユーザに第２の飲料ポッド収容部１７８０が提供され、ユーザが、第１の飲料ポッド収容部１７６０へアクセスすることを望むときは、第２の飲料ポッド収容部１７８０は、ハウジング１７０１の外側における貯蔵のためにドロワ１７４０から取り外されてもよい。
【０１２４】
図１７Ｃは、ドロワ１７４０と、ドロワ１７４０に着座させられた第１の飲料ポッド収容部１７６０および第２の飲料ポッド収容部１７８０とのトップダウン斜視図を示している。ドロワ１７４０は、前側端部１７４８および後側端部１７５０を有してもよい。前側端部１７４８は、ドロワ１７４０が第１の開口１７１４を通って前側端部１７０２を超えて延長させられたときにユーザへ提供される部分であってもよい。図１７Ｃに示された構成において、第２の飲料ポッド収容部１７８０が前側端部１７４８の近傍に配置されるのに対し、第１の飲料ポッド収容部１７６０が後側端部１７５０の近傍に配置されてもよい。幾つかの実施の形態では、第１の飲料ポッド収容部１７６０を、第２の飲料ポッド収容部１７８０よりも小さい飲料ポッドを収容するように構成することができる。
【０１２５】
図１７Ｃに示したように、第１の飲料ポッド収容部１７６０は、凹所１７６２を有してもよい。凹所１７６２は、側壁部分１７６４と、底部１７６６とによって境界を定めることができる。底部１７６６は、開口１７６８を有してもよい。幾つかの実施の形態では、開口１７６８を、第１の飲料ポッド収容部１７６０がドロワ１７４０の前側端部１７４８の近傍に配置されたときにドロワ１７４０の対応する開口と整列するように構成することができる。例えば、開口１７６８は、第１の飲料ポッド収容部１７６０がドロワ１７４０の前側端部１７４８の近傍に配置されたときにドロワ１７４０の対応する開口（例えば、開口１７５８）と整列するように構成されてもよく、これにより、第１の飲料ポッド収容部１７６０内に配置されたポッドによって生ぜしめられた飲料は、開口１７６８と、ドロワ１７４０の開口とを通って、飲料容器内へ通過してもよい。
【０１２６】
第１の飲料ポッド収容部１７６０は、ドロワ１７４０における対応する１つまたは複数の飲料ポッド収容部係合特徴に挿入されるように構成された、１つまたは複数のドロワ係合突出部１７７０を有してもよい。幾つかの実施の形態では、ドロワ係合突出部１７７０は、第１の飲料ポッド収容部１７６０が、ここで説明されるような第１の構成などにおいて、ドロワ１７４０における第２の飲料ポッド収容部１７８０の背後に着座させられたときに、第２の飲料ポッド収容部１７８０の一部に当接して配置されてもよい。ドロワ１７４０における飲料ポッド収容部係合特徴と、第１の飲料ポッド収容部１７６０におけるドロワ係合突出部１７７０との間の結合および／または第２の飲料ポッド収容部１７８０の一部に当接するようなドロワ係合突出部１７７０の配置は、飲料ポッド収容部１７６０の望ましくない移動を低減または防止し得る。
【０１２７】
幾つかの実施の形態では、第１の飲料ポッド収容部１７６０は、ドロワ１７４０内で前後に摺動するように構成された構成を有してもよく、これは線形の形式における前後動を含む。例えば、第１の飲料ポッド収容部１７６０は、ドロワ１７４０における対応する軌道特徴と係合するように構成された１つまたは複数の特徴を有してもよく、これにより、ドロワ１７４０内での第１の飲料ポッド収容部１７６０の前後の移動は、軌道特徴によって案内されてもよい。
【０１２８】
第２の飲料ポッド収容部１７８０は、凹所１７８２を有してもよい。凹所１７８２は、側壁部分１７８４と、底部１７８６とによって境界を定めることができる。底部１７８６は、開口１７８８を有してもよい。幾つかの実施の形態では、開口１７８８を、第２の飲料ポッド収容部１７８０がドロワ１７４０の前側端部１７４８の近傍に配置されたときにドロワ１７４０の対応する開口と整列するように構成することができる。例えば、開口１７８８は、第２の飲料ポッド収容部１７８０がドロワ１７４０の前側端部１７４８の近傍に配置されたときにドロワ１７４０の対応する開口（例えば、開口１７５８）と整列するように構成されてもよく、これにより、第２の飲料ポッド収容部１７８０内に配置されたポッドによって生ぜしめられた飲料は、開口１７８８と、ドロワ１７４０の開口とを通って、飲料容器内へ通過してもよい。
【０１２９】
図１７Ｄは、抽出機械ドロワ１７４０をさらに詳細に示している。ドロワ１７４０は、側壁部分１７４４および底部１７４６によって境界を定められた凹所１７４２を有してもよい。ドロワ１７４０は、前側端部１７４８と、後側端部１７５０と、前側端部１７４８と後側端部１７５０との間に延びる側部１７５４とを有してもよい。ドロワ１７４０は、湾曲を有する前側端部１７４８を有してもよい。ここで説明されるように、第１の飲料ポッド収容部１７６０および第２の飲料ポッド収容部１７８０は、凹所１７４２内に着座させられてもよい。
【０１３０】
幾つかの実施の形態では、ドロワ１７４０は、抽出機械１７００の１つまたは複数の他の構成部材と係合するための１つまたは複数の特徴を有してもよい。例えば、側壁１７４４の各側部１７５４は、係合突出部１７５２を有してもよい。図１７Ｄに示したように、ドロワ１７４０は、側壁１７４４の側部１７５４の外側底縁部の少なくとも一部に沿って係合突出部１７５２を有してもよい。幾つかの実施の形態では、係合突出部１７５２は、第１の開口１７１４を通るドロワ１７４０の移動を案内するために、抽出機械１７００の１つまたは複数のその他の構成部材における対応する溝に挿入されるように成形および／または寸法決めされていてもよい。様々な実施の形態では、ドロワ１７４０は、突出部１７５２と、対応する軌道特徴との間の摺動係合を介してハウジング１７０１に対して摺動する。
【０１３１】
図１７Ｄに示したように、ドロワ１７４０は、１つまたは複数の飲料ポッド収容部係合特徴１７５６を有してもよい。飲料ポッド収容部係合特徴１７５６は、側壁部分１７４４の前側端部１７４８にあってもよいかつ／または飲料ポッド収容部における１つまたは複数の対応する特徴と係合するように構成されていてもよい。図１７Ｄは、飲料ポッド収容部における２つの対応するドロワ係合突出部を収容するように構成された２つの飲料ポッド収容部係合凹所１７５６を示している。２つの飲料ポッド収容部係合凹所１７５６は、飲料ポッド収容部の望ましくない移動を低減または防止するために、飲料ポッド収容部における２つの対応するドロワ係合突出部（例えば、第１の飲料ポッド収容部における１７７０）と結合するように構成されていてもよい。
【０１３２】
さらに、図１７Ｄを参照すると、ドロワ１７４０は、ドロワ底部１７４６における開口１７５８を有してもよい。幾つかの実施の形態では、開口１７５８は、ドロワ１７４０の前側部分に着座させられた飲料ポッド収容部（例えば、第１の飲料ポッド収容部１７６０または第２の飲料ポッド収容部１７８０）の開口と整列するように構成されていてもよく、これにより、飲料ポッド収容部内に配置されたポッドによって生ぜしめられた飲料は、まず飲料ポッド収容部の開口を通り、次いで開口１７５８を通って、飲料容器へ通過してもよい。例えば、カップなどの飲料容器は、開口１７５８の下方に配置され、開口１７５８と整列させられてもよく、これにより、飲料を、抽出機械から第１の開口１７５８を通ってカップ内へ排出することができる。
【０１３３】
図１８Ａ〜図１８Ｄは、抽出機械１８００内へかつ少なくとも部分的に抽出機械１８００外へ移動させることができるドロワ１８４０を有する、抽出機械１８００の実施例を示している。様々な実施の形態では、抽出機械１８００は、抽出機械１７００のいずれの特徴をも有することができる。例えば、抽出機械１８００は、ドロワ１７４０、第１の飲料ポッド収容部１７６０および／または第２の飲料ポッド収容部１７８０を有することができる。
【０１３４】
図１８Ａは、第１の構成における抽出機械１８００の側方斜視図を示している。図示したように、抽出機械１８００は、前側端部１８０２と、反対側の後側端部１８０４と、前側端部１８０２と後側端部１８０４との間に延びる側部１８０６とを有してもよい。抽出機械１８００は、面における抽出機械１８００の配置を容易にするように構成された底端部１８０８と、反対側の上端部１８１０とを有してもよい。幾つかの実施の形態では、抽出機械１８００はハウジング１８０１を有してもよい。
【０１３５】
抽出機械１８００は、前側端部１８０２において第１の開口１８１４および第２の開口１８１６を有してもよく、第２の開口１８１６は第１の開口１８１４の下方にあることができる。幾つかの実施の形態では、第２の開口１８１６は、抽出機械１８００によって製造された飲料のための飲料容器を収容するように構成されていてもよい。
【０１３６】
図１８Ａに示したように、ドロワ１８４０の少なくとも一部は第１の開口１８１４を通って移動させられてもよく、これにより、ドロワ１８４０が、ハウジング１８０１内へまたは少なくとも部分的にハウジング１８０１外へ移動させられてもよい。抽出機械１８００の前側端部１８０２は、抽出機械１８００のユーザに面するように構成されていてもよい。図１８Ａは、第１の飲料ポッド収容部１８６０がユーザへ提供されるように抽出機械１８００の前側端部１８０２から部分的に延長させられたドロワ１８４０を示している。
【０１３７】
抽出機械１８００は、レバー１８１２を有してもよい。ユーザは、ドロワ１８４０を移動させるためにレバー１８１２を移動させてもよい。例えば、レバー１８１２は、ユーザによってレバー１８１２に加えられた力をドロワ１８４０に伝達してもよく、これにより、ドロワ１８４０は、いかなる電動式構成部材もなしに第１の開口１８１４を通って移動させられてもよい。幾つかの実施の形態では、レバー１８１２を、（例えば、機械的なリンクによって）ドロワ１８４０に直接的または間接的に連結することができ、これにより、レバー１８１２に加えられる回転力を、ドロワ１８４０による線形移動に変換することができる。例えば、レバー１８１２は、ユーザに向かってまたはユーザから離れるように回転させられてもよく、これにより、ドロワ１８４０を、第１の開口１８１４を通って線形に移動させ、ドロワ１８４０を、少なくとも部分的にハウジング１８０１内へまたはハウジング１８０１外へ移動させる。
【０１３８】
図１８Ｂは、第１の構成における抽出機械１８００の一部のトップダウン斜視図を示している。第１の飲料ポッド収容部１８６０は、第１の構成においてドロワ１８４０によってユーザに提供される。図１８Ｂに示したように、第２の飲料ポッド収容部１８８０は、第１の飲料ポッド収容部１８６０の背後においてドロワ１８４０内に着座させられてもよい。
【０１３９】
図１８Ｃは、第２の構成における抽出機械１８００の一部のトップダウン斜視図を示している。図１８Ｃに示したように、第２の飲料ポッド収容部１８８０は、第２の構成においてドロワ１８４０によってユーザに提供される。
【０１４０】
図１８Ｄは、ドロワ１８４０の凹所１８４２内に着座させられた第１の飲料ポッド収容部１８６０および第２の飲料ポッド収容部１８８０のトップダウン斜視図を示している。凹所１８４２は、側壁部分１８４４と、底部とによって境界を定められてもよい。ドロワ１８４０は、前側端部１８４６と、反対側の後側端部１８４８と、前側端部１８４６と反対側の後側端部１８４８との間に延びる側部１８５０とを有することができる。図１８Ｄに示したように、１つの構成（例えば、図１８Ａおよび図１８Ｂの第１の構成）では、第１の飲料ポッド収容部１８６０は、第２の飲料ポッド収容部１８８０の前方に着座させられてもよい。
【０１４１】
幾つかの実施の形態では、第１の飲料ポッド収容部１８６０は、まず前側部分においてドロワ１８４０に着座させられてもよく、これにより、ドロワ１８４０の少なくとも一部が第１の開口１８１４を通って延長させられかつハウジング１８０１の外側に配置されると、第１の飲料ポッド収容部１８６０がハウジング１８０１の外側に配置される。幾つかの実施の形態では、第１の飲料ポッド収容部１８６０は、第２の飲料ポッド収容部１８８０よりも大きなサイズを有する飲料ポッドを収容するように構成されていてもよい。ドロワ１８４０内での第１の飲料ポッド収容部１８６０および第２の飲料ポッド収容部１８８０の配置は、どちらの飲料ポッド収容部にユーザがアクセスすることを望んでいるかに応じて交替させられてもよい。
【０１４２】
幾つかの実施の形態では、ドロワ１８４０内での第１の飲料ポッド収容部１８６０と第２の飲料ポッド収容部１８８０との位置の交替を、手動で行うことができる。例えば、第１の構成では、ユーザに、第１の飲料ポッド収容部１８６０が提供されてもよい。第１の飲料ポッド収容部１８６０がドロワ１８４０の前側部分に着座させられてもよく、第２の飲料ポッド収容部１８８０を第１の飲料ポッド収容部１８６０の背後に着座させることができる。ユーザが代わりに第２の飲料ポッド収容部１８８０にアクセスすることを望むときは、ユーザは、第１の飲料ポッド収容部１８６０をドロワ１８４０から取り外してもよい。ユーザは、その後、第２の飲料ポッド収容部１８８０を前方へ引っ張ってもよい。例えば、第２の飲料ポッド収容部１８８０をドロワ１８４０における軌道に沿って摺動させることができる。幾つかの実施の形態では、ユーザは第２の飲料ポッド収容部１８８０を取り外すことができる。ユーザは、第１の飲料ポッド収容部１８６０をドロワに再挿入し、第１の飲料ポッド収容部１８６０をドロワの背後へ押し付けてもよい。ユーザは、第２の飲料ポッド収容部１８８０をドロワ１８４０の前側部分に配置することによって第２の飲料ポッド収容部１８８０を再びドロワ１８４０内に配置してもよい。
【０１４３】
第２の飲料ポッド収容部１８８０がユーザに提供されると、ユーザは、第２の飲料ポッド収容部１８８０を取り外し、飲料ポッド収容部の配置を交替させるために同様のプロセスを行ってもよく、これにより、第２の飲料ポッド収容部１８８０がドロワ１８４０の後側部分に配置され、第１の飲料ポッド収容部１８６０がドロワ１８４０の前側部分に配置される。
【０１４４】
幾つかの実施の形態では、ドロワ１８４０内での第１の飲料ポッド収容部１８６０と第２の飲料ポッド収容部１８８０との交替は、１つまたは複数の電動式構成部材によって行うことができる。例えば、抽出機械１８００は、（例えば、プロセッサと通信するユーザインターフェースを介して）第１の飲料ポッド収容部１８６０または第２の飲料ポッド収容部１８８０へのアクセスを要求する入力をユーザから受け取ってもよく、抽出機械１８００は、初期構成がユーザに所望の飲料ポッド収容部を提供しないならば、第１の飲料ポッド収容部１８６０および第２の飲料ポッド収容部１８８０の位置を交替させるために、１つまたは複数の電動式構成部材への１つまたは複数の指令を開始してもよい。幾つかの実施の形態では、ドロワ１８４０内での第１の飲料ポッド収容部１８６０と第２の飲料ポッド収容部１８８０との交替は、手動操作と電動式構成部材との組合せによって行うことができる。
【０１４５】
図１８Ｄに示したように、ドロワ１８４０は、側壁１８４４の側部の底縁部から横方向に延びる係合突出部１８５２を有してもよい。係合突出部１８５２は、側壁１８４４の側部１８５０の外側底縁部の少なくとも一部に沿って延びていてもよい。幾つかの実施の形態では、図１８Ｃに示したように、係合突出部１８５２は、抽出機械１８００の対応する溝１７５３に挿入されるように成形および／または寸法決めされていてもよい。これは、（例えば、第１の開口１８１４を通るおよび／または線形に外方への）ドロワ１８４０の移動を案内することを容易にすることができる。
【０１４６】
図１９〜図２１は、抽出機械１９００の一部の実施例を示している。抽出機械１９００は、ドロワ内に収容された２つの飲料ポッド収容部のうちの一方をユーザに提供するように線形に移動させることができるドロワを有することができる。
【０１４７】
図１９Ａは、第１の構成における抽出機械部分１９００の側方斜視図を示している。抽出機械部分１９００は、シェル部分１９０２を有することができる。幾つかの実施の形態では、シェル部分１９０２は、抽出機械１９００のハウジングの一部であってもよい。説明のために、シェル部分１９０２は透視して示されている。シェル部分１９０２は、前側部分１９０４と、反対側の後側部分１９０６と、前側部分１９０４と反対側の後側部分１９０６との間に延びる右側部分１９０８および左側部分１９１０とを有してもよい。幾つかの実施の形態では、前側部分１９０４は、ユーザに面するように構成されていてもよい。
【０１４８】
抽出機械部分１９００は、トレー１９２０およびドロワ１９７０を有することができる。ドロワ１９７０は、トレー１９２０に着座させられていてもよい。例えば、図１９Ａに示したように、シェル部分１９０２は、右側部分１９０８に開口１９１４を有してもよく、（例えば、締結具１９１６をトレー１９２０における対応する開口にも挿入することによって）トレー１９２０をシェル部分１９０２に結合するために締結具１９１６が開口１９１４に挿入されてもよい。
【０１４９】
ドロワ１９７０は、（例えば、図２０Ｇに示したように）第１の飲料ポッド収容部２０００および第２の飲料ポッド収容部２０６０を収容するように構成されていてもよい。例えば、第１の飲料ポッド収容部２０００は、第１のタイプの飲料ポッド（例えば、エスプレッソ飲料ポッド）を収容するように構成されていてもよく、第２の飲料ポッド収容部２０６０は、第２のタイプの飲料ポッド（例えば、コーヒー飲料ポッド）を収容するように構成されていてもよい。幾つかの実施の形態では、第１の飲料ポッド収容部２０００および第２の飲料ポッド収容部２０６０は、それぞれエスプレッソ飲料ポッドおよびコーヒー飲料ポッド以外の飲料ポッドを収容するように構成されていてもよい。例えば、第２の飲料ポッド収容部２０６０は、茶、ジュース、サイダー、ホットチョコレートまたはその他の飲料を製造するための飲料ポッドを収容するように構成されていてもよい。図１９Ａに示したように、第２の飲料ポッド収容部２０６０は、第１の構成においてドロワ１９７０に第１の飲料ポッド収容部２０００の背後に配置されてもよい。第１の飲料ポッド収容部２０００および第２の飲料ポッド収容部２０６０は、シャワーヘッド２０８０と係合するように構成されていてもよい。例えば、第１の飲料ポッド収容部２０００または第２の飲料ポッド収容部２０６０と、シャワーヘッド２０８０との間に、液密シールが形成されていてもよい。
【０１５０】
シェル部分１９０２の前側部分１９０４は、第１の飲料ポッド収容部２０００または第２の飲料ポッド収容部２０６０がユーザに提供されるように構成された開口１９１２を有してもよい。図１９Ａは、ドロワ１９７０の一部を抽出機械部分１９００のハウジングの外側に配置するためにドロワ１９７０の一部が開口１９１２を通って延びていてもよい構成を示している。これは、第１の飲料ポッド収容部２０００を抽出機械部分１９００のハウジングの外側または実質的に外側に配置することができ、ひいては、ユーザに第１の飲料ポッド収容部２０００を提供することができる。これは、飲料ポッドを挿入するまたは使用された飲料ポッドを取り出すために、ユーザが、外側に配置された第１の飲料ポッド収容部２０００にアクセスすることを可能にすることができる。
【０１５１】
図１９Ａおよび図１９Ｂに示したように、幾つかの実施の形態は、レバー２１００、回転体２１２０および／またはドロワ１９７０の右側に結合されたコネクタ構成部材２１７０（例えば、アーム）を有する。幾つかの変化態様は、ドロワ１９７０の左側に結合された第２のコネクタ構成部材２１７０を有する。シェル部分１９０２の左側部分１９１０は、（例えば、トレー１９２０における対応する開口をも通って締結具１９１６を挿入することによって）トレー１９２０をシェル部分１９０２に結合するための開口１９１４を有してもよい。例えば、右側部分１９０８および左側部分１９１０が開口１９１４を有してもよく、これらの開口１９１４に、シェル部分１９０２へのトレー１９２０の固定を容易にするために、対応する締結具１９１６が挿入されてもよい。
【０１５２】
シェル部分１９０２は、コネクタシャフト２１０２を収容するように構成された、左側部分１９１０における開口１９１８を有してもよい。コネクタシャフト２１０２は、以下でさらに詳細に説明するように、ドロワ１９７０の移動を行うために回転体２１２０をレバー２１００に結合するように構成されていてもよい。
【０１５３】
幾つかの実施の形態では、第２の構成において、抽出機械部分１９００は、第２の飲料ポッド収容部２０６０をユーザに提供するように構成されていてもよい。例えば、第２の飲料ポッド収容部２０６０は、ドロワ１９７０の前側部分に着座させられてもよく、これにより、ドロワ１９７０の前側部分を抽出機械部分１９００の外側に配置するようにドロワ１９７０の一部が開口１９１２を通って延長させられたときに、第２の飲料ポッド収容部２０６０が抽出機械部分１９００の外側に配置される。
【０１５４】
幾つかの実施の形態では、ドロワ１９７０内での第１の飲料ポッド収容部２０００および第２の飲料ポッド収容部２０６０の配置は、どちらの飲料ポッド収容部にユーザがアクセスすることを望んでいるかに応じて交替させられてもよい。例えば、（例えば、ドロワ１９７０がシェル部分１９０２の開口１９１２を通って延長させられたときに第１の飲料ポッド収容部２０００が抽出機械部分１９００のハウジングの外側に配置されるように）第１の飲料ポッド収容部２０００がドロワ１９７０の前側部分に着座させられているのに対し、第２の飲料ポッド収容部２０６０はドロワ１９７０の後側部分に着座させられていてもよく、また、その逆であってもよい。第２の飲料ポッド収容部２０６０または第１のポッド収容部２０００は、シェル部分１９０２内または実質的にシェル部分１９０２内に配置されていてもよいのに対し、第１の飲料ポッド収容部２０００または第２の飲料ポッド収容部２０６０はそれぞれユーザに提供される。幾つかの実施の形態では、第２の飲料ポッド収容部２０６０または第１のポッド収容部２０００の一部はシェル部分１９０２の外側に配置されてもよく、第２の飲料ポッド収容部２０６０または第１のポッド収容部２０００の残りの部分はシェル部分１９０２内に配置されてもよいのに対し、第１の飲料ポッド収容部２０００または第２の飲料ポッド収容部２０６０はそれぞれユーザに提供される。ドロワ１９７０内での第１の飲料ポッド収容部２０００または第２の飲料ポッド収容部２０６０の配置は、ユーザおよび／または１つまたは複数の電動式機構によって行うことができる。
【０１５５】
幾つかの実施の形態では、ドロワ１９７０内での第１の飲料ポッド収容部２０００または第２の飲料ポッド収容部２０６０の配置を手動で行うことができる。例えば、ユーザは、ドロワ１９７０内の第１の飲料ポッド収容部２０００と第２の飲料ポッド収容部２０６０との位置の交替を行ってもよい。
【０１５６】
幾つかの実施の形態では、抽出機械は、ユーザインターフェース（例えば、スクリーンまたはボタン）などを介して、抽出機械内の飲料ポッド収容部へのアクセスを要求するユーザ入力を受け取ってもよい。応答して、抽出機械は、ドロワ１９７０内に収容された２つの飲料ポッド収容部のうちの一方をユーザに提供するように構成されていてもよい。例えば、抽出機械は、ドロワ１９７０の一部がシェル部分１９０２の外側にありかつドロワ１９７０に収容された２つの飲料ポッド収容部のうちの一方が提供されるように、ドロワ１９７０を移動させてもよい。ユーザは、所望の収容部にない飲料ポッド収容部において、２つの飲料ポッド収容部の位置を交替させてもよい。幾つかの実施の形態では、ユーザは、ドロワ１９７０の一部がシェル部分１９０２の外側にありかつドロワ１９７０に収容された２つの飲料ポッド収容部のうちの一方が提供されるように、ドロワ１９７０を移動させてもよい。
【０１５７】
例えば、図１９Ａおよび図１９Ｂに示したように、第１の飲料ポッド収容部２０００はドロワ１９７０の前側部分に着座させられてもよく、第２の飲料ポッド収容部２０６０はドロワ１９７０の後側部分に着座させられてもよく、これにより、ドロワ１９７０がシェル部分１９０２の開口１９１２を通って延長させられたときに、第１の飲料ポッド収容部２０００がユーザに提供される。以下でさらに詳細に説明するように、幾つかの実施の形態では、第２の飲料ポッド収容部２０６０は第１の飲料ポッド収容部２０００内へ摺動することができる。幾つかの態様は、挿入可能なアダプタなどのポッドホルダを有し、このポッドホルダは、ドロワ１９７０（例えば、第１の飲料ポッド収容部２０００）に配置することができかつ／または外側に（例えば、抽出機械の外側に）配置することができる。幾つかの実施態様は、ユーザによって交替させることができる、ドロワ１９７０における２つのポッド収容部を有する。
【０１５８】
上述のように、ドロワ１９７０内の飲料ポッド収容部２０００，２０６０の位置を、例えばユーザによって手動でまたは電動式システムを介して、交替させることができる。複数の実施態様では、第２の飲料ポッド収容部２０６０を、第１の飲料ポッド収容部２０００に滑り込ませるなど、第１の飲料ポッド収容部２０００に収容することができる。幾つかの実施の形態では、飲料ポッド収容部２０００，２０６０は、上述の飲料ポッド収容部１７６０，１７８０と同様に作動する。幾つかの実施の形態では、第１の飲料ポッド収容部２０００が提供されたときに第２の飲料ポッド収容部２０６０にアクセスするために、ユーザは、第１の飲料ポッド収容部２０００をドロワ１９７０から取り外してもよいかつ／または（例えば、第２の飲料ポッド収容部２０６０を引っ張ることによって）第２の飲料ポッド収容部２０６０を前方へ移動させてもよい。幾つかの実施の形態では、ユーザは、第２の飲料ポッド収容部２０６０をドロワ１９７０から取り外し、第１の飲料ポッド収容部２０００をドロワ１９７０内に配置し、その後、例えば摺動させることによって、第１の飲料ポッド収容部２０００をドロワ１９７０の後側部分に押し付けてもよい。第２の飲料ポッド収容部２０６０は、次いで、ドロワ１９７０内に再配置され、ドロワ１９７０の前側部分に配置されてもよい。ユーザは、次いで、所望の飲料を製造するために飲料ポッドを第２の飲料ポッド収容部２０６０に配置してもよい。
【０１５９】
第２の飲料ポッド収容部２０６０がまずユーザに提供され、ユーザが、第１の飲料ポッド収容部２０００へアクセスすることを望むならば、ユーザは、第２の飲料ポッド収容部２０６０を取り外し、飲料ポッド収容部を交替させるために同様のプロセスを行ってもよく、これにより、第２の飲料ポッド収容部２０６０がドロワ１９７０の後側部分に配置され、第１の飲料ポッド収容部２０００がドロワ１９７０の前側部分に配置される。例えば、ユーザは、第１の飲料ポッド収容部２０００および第２の飲料ポッド収容部２０６０のうちの一方または両方を取り外し、第２の飲料ポッド収容部２０６０をドロワ１９７０の後側部分へ配置してもよい。例えば、ユーザは、第２の飲料ポッド収容部２０６０をドロワ１９７０内に配置し、第２の飲料ポッド収容部２０６０をドロワ１９７０の後側部分へ摺動させてもよい。第１の飲料ポッド収容部２０００はドロワ１９７０の前側部分に配置されてもよい。
【０１６０】
幾つかの実施の形態では、ドロワ１９７０内での第１の飲料ポッド収容部２０００と第２の飲料ポッド収容部２０６０との配置を交替することを、１つまたは複数の電動式構成部材によって行うことができる。例えば、抽出機械は、ユーザインターフェースなどを介して、ユーザから、第１の飲料ポッド収容部２０００または第２の飲料ポッド収容部２０６０へのアクセスを要求する入力を受け取ってもよい。応答して、抽出機械は、第１の飲料ポッド収容部２０００および第２の飲料ポッド収容部２０６０の位置を交替させるために、１つまたは複数の電動式構成部材に対して１つまたは複数の指令を開始してもよい。幾つかの実施の形態では、ドロワ１９７０内での第１の飲料ポッド収容部２０００と第２の飲料ポッド収容部２０６０との配置を交替させることを、手動操作と電動式構成部材との組合せによって行うことができる。
【０１６１】
幾つかの実施の形態では、第１の飲料ポッド収容部２０００または第２の飲料ポッド収容部２０６０がそれぞれ使用されていないときは、第１の飲料ポッド収容部２０００または第２の飲料ポッド収容部２０６０は、ドロワ１９７０の外側に貯蔵されていてもよい。幾つかの実施の形態では、第１の飲料ポッド収容部２０００または第２の飲料ポッド収容部２０６０がそれぞれ使用されていないときは、第１の飲料ポッド収容部２０００または第２の飲料ポッド収容部２０６０は、抽出機械部分１９００のハウジングの外側に貯蔵されていてもよい。例えば、第１の飲料ポッド収容部２０００が使用されず、第２の飲料ポッド収容部２０６０が使用されているときは、第１の飲料ポッド収容部２０００はドロワ１９７０の外側に貯蔵されてもよい。幾つかの実施の形態では、第１の飲料ポッド収容部２０００を代わりに使用することができるように、第２の飲料ポッド収容部２０６０がドロワ１９７０の前側部分から取り外されてもよく、第１の飲料ポッド収容部２０００がドロワ１９７０内に配置されてもよい。幾つかの実施の形態では、第１の飲料ポッド収容部２０００が、ドロワ１９７０内に配置され、ドロワ１９７０の前側部分における所定の位置に摺動させられ、ドロワ１９７０の前側部分における第２の飲料ポッド収容部２０６０と置き換えられてもよい。これらの操作のうちの１つまたは複数は、ユーザによって手動でおよび／または電動式構成部材によって行われてもよい。上述のように、幾つかの実施の形態は、アダプタなどのポッドホルダを有することができる。第１の飲料ポッド収容部２０００および／または第２の飲料ポッド収容部２０６０を、異なる飲料ポッドタイプを収容するためのサイズおよび形状などの、異なるサイズまたは形状に変換するように、アダプタを構成することができる。幾つかの実施の形態では、アダプタは、抽出機械の外側に貯蔵されるなど、取り外されかつ／または外側に貯蔵されるように構成されている。
【０１６２】
図２０Ａは、トレー１９２０のトップダウン斜視図を示している。トレー１９２０は、前端部１９３０と、反対側の後端部１９３４と、右側１９３２と、左側１９３６とを有してもよい。トレー１９２０は、底部１９２８と、右の側壁部分１９２２と、後ろの側壁部分１９２４と、左の側壁部分１９２６とを有してもよい。
【０１６３】
図２０Ａに示したように、トレー底部１９２８は、上面１９４０と、反対側の下面１９４２とを有することができる。ここで説明するように、ドロワ１９７０はトレー１９２０に着座させられてもよい。幾つかの実施の形態では、ドロワ１９７０を、トレー底部１９２８の上面１９４０に着座させることができる。
【０１６４】
図２０Ａは、トレーの右の側壁部分１９２２と左の側壁部分１９２６とのそれぞれが、トレー１９２０の内部へ横方向に延びるドロワ係合突出部１９４６を有してもよいことを示している。幾つかの実施の形態では、ドロワ係合突出部１９４６は、右の側壁部分１９２２および左の側壁部分１９２６のそれぞれの全長または実質的に全長に沿って延びていてもよい。図２０Ａに示したように、ドロワ係合突出部１９４６は、トレー底部１９２８とドロワ係合突出部１９４６との間に溝１９４８を提供するために、トレー底部１９２８の上面１９４０の上方の所定の距離に配置されていてもよい。幾つかの実施の形態では、ドロワ係合突出部１９４６を、トレー底部１９２８の上面１９４０から所定の距離に配置することができ、これにより、ドロワ１９７０における１つまたは複数の対応するトレー係合突出部が、溝１９４８内に配置されてもよい。
【０１６５】
ここでさらに詳細に説明するように、ドロワ１９７０は、トレー１９２０に対して移動（例えば、摺動）するように構成されていてもよい。幾つかの実施の形態では、ドロワ１９７０を、トレー１９２０に対して前後に移動するように構成することができる。例えば、ドロワ１９７０は、トレー１９２０に対して線形に前後に移動してもよい。ドロワ１９７０における１つまたは複数のトレー係合突出部は、溝１９４８に挿入されてもよく、これにより、ドロワ１９７０における１つまたは複数のトレー係合突出部は、溝１９４８内で前後に摺動してもよい。
【０１６６】
図２０Ａに示したように、ドロワ係合突出部１９４６の後側部分は、例えば、１つまたは複数の対応するトレー係合突出部が溝１９４８内に配置されているときにトレー１９２０におけるドロワ１９７０の安定化を容易にするために、ドロワ係合突出部１９４６の前側部分よりも大きな幅を有してもよい。
【０１６７】
トレー底部１９２８は、矩形または実質的に矩形の開口などの、一対の開口１９４４を有してもよい。開口１９４４は、ドロワ１９７０の移動を行うように構成された１つまたは複数の構成部材がこれらの開口を通って延びるように成形および／または寸法決めされていてもよい。例えば、開口１９４４は、コネクタ構成部材２１７０および／または回転体２１２０がこれらの開口を通って延びるように構成されていてもよい。幾つかの実施の形態では、各開口１９４４は、トレー底部１９２８の長さの一部に沿って延びていてもよく、コネクタ構成部材２１７０および／または回転体２１２０の一部がこれらの開口を通って延びるように、それぞれ右の側壁部分１９２２および左の側壁部分１９２６それぞれの近傍に配置されていてもよい。
【０１６８】
再び図２０Ａを参照すると、トレー底部１９２８は、例えば中央部分に沿って、第１の開口１９５０、第２の開口１９５２および／または第３の開口１９５４を有してもよい。例示目的のために、図２０Ａは、円形または実質的に円形の第１の開口１９５０、第２の開口１９５２および第３の開口１９５４のそれぞれを示している。その他の形状も適切であり得る。幾つかの実施の形態では、第１の開口１９５０は、飲料ポッド収容部（例えば、第１の飲料ポッド収容部２０００または第２の飲料ポッド収容部２０６０）の開口およびドロワ１９７０の対応する開口と整列するように構成されていてもよく、これにより、飲料ポッド収容部内に配置されたポッドによって生ぜしめられた飲料が、飲料ポッド収容部およびドロワ１９７０の開口、次いで、トレー１９２０における第１の開口１９５０を通過し、飲料容器へ排出されてもよい。例えば、カップなどの飲料容器は、第１の開口１９５０の下方に配置され、第１の開口１９５０と整列させられてもよく、これにより、飲料を、抽出機械から第１の開口１９５０を通ってカップ内へ排出することができる。幾つかの実施の形態では、第２の開口１９５２および第３の開口１９５４は、重量および／またはトレー１９２０を形成するために使用される材料を減じるために設けられてもよい。例えば、第２の開口１９５２および第３の開口１９５４は、所望の重量を備えるトレーをも提供しながら所望の構造的強度を有するトレーを提供することができるように、トレー１９２０に形成されてもよい。
【０１６９】
図２０Ａに示したように、右の側壁部分１９２２および後ろの側壁部分１９２４のそれぞれは、トレー１９２０の後側端部１９３４の近傍に開口１９５６を有してもよい。開口１９５６は、シェル部分１９０２へのトレー１９２０の固定を可能にするように構成されていてもよい。例えば、トレー１９２０をシェル部分１９０２に固定するために、ピンおよび／またはその他の締結具が、開口１９５６およびシェル部分１９０２における対応する開口内に挿入されてもよい。
【０１７０】
図２０Ｂを参照すると、トレー１９２０の底側斜視図が示されている。トレー底部１９２８は、底面１９４２から延びる一対の回転体係合突出部１９６０を有してもよい。回転体係合突出部１９６０は、回転体２１２０とのトレー１９２０の所望の係合を容易にするために、底面１９４２に配置されていてもよい。例えば、図２０Ｂに示したように、回転体係合突出部１９６０は、開口１９４４の少なくとも一部に沿って底面１９４２から延びていてもよく、開口１９４４と第１の開口１９５０との間に配置されていてもよい。（例えば、図２１Ｅに関連して）以下でさらに詳細に説明するように、突出部１９６０は、トレー１９２０に対するドロワ１９７０の移動を容易にするように構成することができる。
【０１７１】
幾つかの実施の形態では、各回転体係合突出部１９６０は、概して三角形または実質的に三角形であってもよい。例えば、回転体係合突出部１９６０は、第１の縁部１９６２および第２の縁部１９６４を有してもよく、第１の縁部１９６２はトレー１９２０の後端部１９３４に面しており、第２の縁部１９６４はトレー１９２０の前端部１３８０に面している。幾つかの実施の形態では、第１の縁部１９６２は、第２の縁部１９６４よりも短い長さを有してもよい。
【０１７２】
幾つかの実施の形態では、第１の縁部１９６２は、線形または実質的に線形であってもよい。幾つかの実施の形態では、第２の縁部１９６４は、凹面状の円弧１９６６を有する部分を有してもよい。凹面状の円弧１９６６は、カム２１２８などの、回転体２１２０と係合するように構成されていてもよい。凹面状の円弧１９６６は、第１の縁部１９６２が第２の縁部１９６４に接続する箇所の近傍で第２の縁部１９６４に配置されていてもよい。第１の縁部１９６２および第２の縁部１９６４の相対的長さおよび／または第２の縁部１９６４における凹面状の円弧１９６６の形状および／または配置は、トレー１９２０に対するドロワ１９７０の移動を容易にするために、回転体２１２０とのトレー１９２０の所望の係合を提供するように選択されていてもよい。
【０１７３】
図２０Ｃを参照すると、ドロワ１９７０の上側斜視図が示されている。ドロワ１９７０は、側壁１９７４と底部１９７６とによって境界を定められた凹所１９７２を有することができる。前述のように、第１の飲料ポッド収容部２０００および第２の飲料ポッド収容部２０６０は、凹所１９７２に収容されてもよい。側壁１９７４は、前の側壁部分１９７８と、後ろの側壁部分１９８０と、右の側壁部分１９８２と、反対側の左の側壁部分１９８４とを有することができる。幾つかの実施の形態では、前の側壁部分１９７８は、湾曲を有してもよい。例えば、前の側壁部分１９７８の湾曲は、実質的に飲料ポッド収容部の湾曲に対応するように選択されていてもよい。
【０１７４】
幾つかの実施の形態では、前の側壁部分１９７８は、飲料ポッド収容部に係合するための１つまたは複数の特徴を有することができる。図２０Ｃに示したように、ドロワ１９７０の前の側壁部分１９７８は、飲料ポッド収容部（例えば、第１の飲料ポッド収容部２０００）における対応する突出部を収容するための複数の飲料ポッド収容部係合開口１９８６を有してもよい。３つのこのような飲料ポッド収容部係合開口１９８６が、図２０Ｃに示されている。より多くのまたはより少ないこのような開口が設けられてもよく、飲料ポッド収容部における対応する突出部の数に依存してもよい。飲料ポッド収容部係合開口１９８６は、飲料ポッド収容部における対応する突出部を収容するように構成された形状および／または寸法を有してもよく、これにより、対応する突出部は、ドロワ１９７０内での飲料ポッド収容部の移動（例えば、回転）を防止するまたは減じるために、開口１９８６内へおよび／または開口１９８６を通って挿入されてもよい。
【０１７５】
ドロワ１９７０は、トレー１９２０における１つまたは複数の対応する溝（例えば、トレー１９２０の溝１９４８）と係合するように構成されたトレー係合突出部１９９０を有してもよい。トレー係合突出部１９９０は、ドロワの後ろの側壁部分１９８０の底側縁部からおよび／または左の側壁部分１９８４および右の側壁部分１９８２の少なくとも一部の底側縁部から横方向に延びていてもよい。図２０Ｃに示したように、幾つかの実施の形態では、トレー係合突出部１９９０は、ドロワ１９７０の右側、左側および後側に対して横方向に延びる部分を有してもよい。トレー係合突出部１９９０がドロワ１９７０から横方向に延びる程度は、ドロワ１９７０がトレー１９２０に対して所望の位置で着座させられるように選択されてもよい。例えば、トレー係合突出部１９９０は、ドロワ１９７０の右側および左側から所定の長さだけ延びていてもよく、これにより、トレー係合突出部１９９０が、トレー１９２０における対応する溝１９４８に挿入されたとき、ドロワ１９７０の右の側壁部分１９８２および左の側壁部分１９８４は、それぞれトレー１９２０の右の側壁および左の側壁から等距離または実質的に等距離になる。
【０１７６】
図２０Ｃに示したように、トレー係合突出部１９９０は、ドロワ１９７０の後側に対して横方向に延びる部分を有してもよい。幾つかの実施の形態では、トレー係合突出部１９９０がドロワ１９７０の後側に対して横方向に延びる程度は、トレー１９２０へのドロワ１９７０の確実な結合を提供するための所望のサイズを有するトレー係合突出部１９９０を提供するように決定されてもよい。
【０１７７】
図２０Ｃは、連続的または実質的に連続的な突出部としてのトレー係合突出部１９９０を示している。幾つかの実施の形態では、トレー係合突出部１９９０は、複数の別個の突出部を有してもよい。例えば、トレー係合突出部１９９０は、それぞれドロワ１９７０から横方向に延びる、第１の突出部および第２の別個の突出部を有してもよい。
【０１７８】
幾つかの実施の形態では、トレー係合突出部は、ドロワ１９７０の他のところに配置されてもよい。例えば、トレー係合突出部は、右の側壁部分１９８２の底側縁部に沿っておよび／または左の側壁部分１９８４の底側縁部に沿って配置されていてもよい。例えば、ドロワ１９７０は、ドロワ１９７０の右の側壁部分１９８２および／または左の側壁部分１９８４の底側縁部に沿って配置された複数の別個のトレー係合突出部を有してもよい。
【０１７９】
ドロワ１９７０の底部１９７６は、複数の開口を有してもよい。図２０Ｃに示したように、底部１９７６は、ドロワ１９７０の前側部分おける第１の開口１９９２と、ドロワ１９７０の後側部分において底部１９７６を貫通して延びる３つの開口１９９４とを有してもよい。例示目的のために、図２０Ｃは、第１の開口１９９２および３つの開口１９９４のそれぞれを、円形または実質的に円形のものとして示している。その他の形状も適切であり得る。第１の開口１９９２は、ドロワ底部１９７６の前側部分に配置されていてもよい。幾つかの実施の形態では、第１の開口１９９２は、飲料ポッド収容部（例えば、第１の飲料ポッド収容部２０００または第２の飲料ポッド収容部２０６０）の開口およびトレー１９２０の開口と整列するように構成されていてもよく、これにより、飲料ポッド収容部内に配置されたポッドによって生ぜしめられた飲料が、飲料容器へ排出されるために、飲料ポッド収容部の開口、第１の開口１９９２およびトレー１９２０における対応する開口を通過してもよい。幾つかの実施の形態では、３つの開口１９９４は、重量および／またはドロワ１９７０を形成するために使用される材料を減じるために設けられてもよい。例えば、３つの開口１９９４は、ドロワ１９７０に形成されていてもよく、これにより、所望の重量を備えるドロワをも提供しながら、所望の構造的強度を有するドロワを提供することができる。
【０１８０】
ドロワ１９７０は、ドロワ１９７０とコネクタ構成部材２１７０との間の結合を容易にするように構成された、右の側壁部分１９８２および左の側壁部分１９８４のそれぞれにおける締結具収容特徴１９９６を有してもよい。
【０１８１】
図２０Ｄは、第１の飲料ポッド収容部２０００の基部２０１０の底部斜視図を示している。図２０Ｅは、基部２０１０の上側斜視図を示している。第１の飲料ポッド収容部の基部２０１０は、基部側壁２０１４と、基部底部２０１６とによって境界を定められた凹所２０１２を有してもよい。ここでさらに詳細に説明するように、（例えば、図２０Ｆに示されているように）第１の飲料ポッド収容部挿入体２０４０が、凹所２０１２に配置されてもよく、飲料ポッドは、ひいては、挿入体２０４０に収容されてもよい。
【０１８２】
第１の飲料ポッド収容部の基部２０１０は、縁部２０２０を有してもよい。幾つかの実施の形態では、縁部２０２０は、シャワーヘッド２０８０と第１の飲料ポッド収容部２０００との間に液密シールを提供するために、シャワーヘッド２０８０における第１の飲料ポッド収容部係合特徴２０８４に結合するように構成されていてもよい。
【０１８３】
幾つかの実施の形態では、図２０Ｄに示したように、第１の飲料ポッド収容部の基部２０１０は、複数の支持特徴２０２２を有してもよい。例えば、支持特徴２０２２は、抽出機械部分１９００内で凹所２０１２を所望の位置に配置する（例えば、第１の飲料ポッド収容部の基部２０１０の底部２０１６を所望の位置へ持ち上げる）ように構成されていてもよい。幾つかの実施の形態では、支持特徴２０２２は、（例えば、第１の飲料ポッド収容部２０００がドロワ１９７０内に確実に配置されるようにドロワ１９７０の１つまたは複数の側壁との接触を提供することにより）ドロワ１９７０内での第１の飲料ポッド収容部２０００の横方向移動を低減または排除するように構成されていてもよい。幾つかの実施の形態では、支持特徴２０２２は、基部２０１０内に収容された飲料ポッドから飲料を生ぜしめるために使用される１つまたは複数の高圧プロセス（例えば、約９ｂａｒよりも高い圧力）の間、基部２０１０の構造形態および／または一体性を維持することを容易にするように構成されていてもよい。
【０１８４】
幾つかの実施の形態では、支持特徴２０２２は、基部２０１０とドロワ１９７０との間の摩擦を減じてもよく、例えば、ドロワ１９７０に対する基部２０１０の摺動を容易にする。幾つかの実施の形態では、支持特徴２０２２は、ドロワ１９７０内での基部２０１０の移動を容易にするために、基部２０１０とドロワ１９７０との間の低減された表面積接触を提供してもよい。図２０Ｄに示したように、幾つかの実施の形態では、底面における支持特徴２０２２は、基部２０１０の前端部から基部２０１０の反対側の後端部まで延びる、複数の線形の平行なまたは実質的に線形の平行な部分を有してもよい。
【０１８５】
幾つかの実施の形態では、基部２０１０は、ドロワ１９７０内で移動（例えば、摺動）するように構成されていてもよい。例えば、基部２０１０は、ドロワ１９７０内で基部２０１０の移動を案内するために、ドロワ１９７０における対応する特徴と係合するように構成された、基部２０１０の側部から横方向に延びる１つまたは複数の突出部を有してもよい。幾つかの実施の形態では、ドロワ１９７０は、ドロワ１９７０内での基部２０１０の移動を案内するために突出部が摺動可能に係合させられてもよい軌道特徴を有してもよい。
【０１８６】
第１の飲料ポッド収容部の基部２０１０は、複数のドロワ係合突出部２０２４を有してもよい。ドロワ係合突出部２０２４は、ドロワ１９７０における対応する開口へ挿入するために構成された形状および／または寸法を有してもよい。ここで説明するように、例えば、ドロワ１９７０における対応する開口（例えば、開口１９８６）へのドロワ係合突出部２０２４の挿入は、第１の飲料ポッド収容部２０００の望ましくない移動を低減または排除してもよい。
【０１８７】
図２０Ｄに示したように、第１の飲料ポッド収容部の基部２０１０は、開口２０２６を有してもよい。開口２０２６は底部２０１６を貫通して延びていてもよく、これにより、流体は凹所２０１２から開口２０２６を通過してもよい。ここでさらに詳細に説明するように、開口２０２６は、挿入体、ドロワ１９７０および／またはトレー１９２０の対応する開口と整列するように構成されていてもよい。
【０１８８】
図２０Ｆは、第１の飲料ポッド収容部２０００の挿入体２０４０の上側斜視図を示している。幾つかの実施の形態では、挿入体２０４０を、基部２０１０に収容することができるかつ／または基部２０１０上に配置することができる。例えば、挿入体２０４０の少なくとも一部は、飲料ポッドが挿入体２０４０の凹所２０４２に収容されるように、基部２０１０の凹所２０１２内に着座させられてもよい。
【０１８９】
挿入体２０４０は、側壁２０４４および底部２０４６によって境界を定められた凹所２０４２を有してもよい。底部は、開口２０４８を有してもよい。幾つかの実施の形態では、開口２０４８は、第１の飲料ポッド収容部の基部２０１０の対応する開口（例えば、開口２０２６）、ドロワ１９７０の対応する開口（例えば、開口１９９２）および／またはトレー１９２０の対応する開口（例えば、開口１９５０）と整列するように構成することができる。幾つかの実施の形態では、開口２０４８は、基部２０１０、ドロワ１９７０およびトレー１９２０の対応する開口と整列するように構成されていてもよく、これにより、第１の飲料ポッド収容部２０００内に配置されたポッドによって生ぜしめられた飲料は、飲料容器へ排出されるために、開口２０４８と、基部２０１０、ドロワ１９７０およびトレー１９２０の開口とを通過してもよい。様々な実施の形態では、挿入体２０４０は、エスプレッソ飲料ポッドを収容するように構成されていてもよい。幾つかの実施の形態では、挿入体２０４０は、エスプレッソ以外の飲料のためのポッドを収容するように構成されていてもよい。
【０１９０】
図２０Ｇは、第２の飲料ポッド収容部２０６０の上側斜視図を示している。幾つかの実施の形態では、第２の飲料ポッド収容部２０６０は、第１の飲料ポッド収容部２０００よりも大きなサイズを有する飲料ポッドを収容するように構成されていてもよい。第２の飲料ポッド収容部２０６０は、側壁２０６４および底部２０６６によって境界を定められた凹所２０６２を有してもよい。底部は、開口２０６８を有してもよい。幾つかの実施の形態では、開口２０６８は、ドロワ１９７０の対応する開口（例えば、開口１９９２）および／またはトレー１９２０の対応する開口（例えば、開口１９５０）と整列するように構成することができる。幾つかの実施の形態では、開口２０６８は、ドロワ１９７０およびトレー１９２０の対応する開口と整列するように構成されていてもよく、これにより、飲料ポッド収容部２０６０内に配置されたポッドによって生ぜしめられた飲料は、飲料容器へ排出されるために、開口２０６８と、ドロワ１９７０およびトレー１９２０の開口とを通過してもよい。様々な実施の形態では、第２の飲料ポッド収容部２０６０は、コーヒー飲料ポッドを収容するように構成されている。幾つかの実施の形態では、第２の飲料ポッド収容部２０６０は、コーヒー以外の飲料のためのポッドを収容するように構成されている。
【０１９１】
図２０Ｈは、シャワーヘッド２０８０の上側斜視図を示している。シャワーヘッド２０８０は、シャワーヘッド２０８０の中央または実質的に中央において開口２０８２を有してもよい。シャワーヘッド２０８０は、第１の飲料ポッド収容部２０００および第２の飲料ポッド収容部２０６０上に取り付けることができるように寸法決めすることができる。例えば、シャワーヘッド２０８０は、第１の飲料ポッド収容部２０００または第２の飲料ポッド収容部２０６０とシールを形成してもよい。開口２０８２は、例えば所望の飲料を生ぜしめるために、第１の飲料ポッド収容部２０００または第２の飲料ポッド収容部２０６０へのシャワーヘッド２０８０を通じた流体の排出を可能にするように構成することができる。
【０１９２】
図２０Ｉは、シャワーヘッド２０８０の底側斜視図を示している。シャワーヘッド２０８０は、第１の飲料ポッド収容部係合特徴２０８４および第２の飲料ポッド収容部係合特徴２０８６を有してもよい。第１の飲料ポッド収容部係合特徴２０８４および第２の飲料ポッド収容部係合特徴２０８６はそれぞれ、第１の飲料ポッド収容部２０００および第２の飲料ポッド収容部２０６０と液密シールを形成するように構成されていてもよい。幾つかの実施の形態では、第１の飲料ポッド収容部係合特徴２０８４および第２の飲料ポッド収容部係合特徴２０８６は、対応する飲料ポッド収容部との所望の係合を提供するための形状および／または寸法を有してもよい。例えば、図２０Ｉに示したように、第１の飲料ポッド収容部係合特徴２０８４および第２の飲料ポッド収容部係合特徴２０８６のそれぞれは、（例えば、対応する飲料ポッド収容部における円形または実質的に円形の特徴と係合するために）円形または実質的に円形であってもよい。例えば、第１の飲料ポッド収容部係合特徴２０８４または第２の飲料ポッド収容部係合特徴２０８６が、対応する飲料ポッド収容部と係合させられると、飲料を生ぜしめるためにシャワーヘッド２０８０における開口２０８２を通って飲料ポッド収容部における飲料ポッドへ排出される液体は、望ましくは、飲料ポッド収容部およびシャワーヘッド２０８０によって形成された閉鎖空間内でシールされた状態となる。幾つかの実施の形態では、ここに説明するように、シャワーヘッド２０８０と第１の飲料ポッド収容部２０００との間に液密シールを提供するために、第１の飲料ポッド収容部係合特徴２０８４は第１の飲料ポッド収容部の基部２０１０の縁部２０２０に結合するように構成されていてもよい。
【０１９３】
図２１Ａは、回転体２１２０の後側斜視図を示している。図２１Ｂは、ロータ２１２０の前側斜視図を示している。回転体２１２０は、第１のアーム２１２２と、第２のアーム２１２４と、第１のアーム２１２２と第２のアーム２１２４との間に延びるコネクタロッド２１２６とを有してもよい。第１のアーム２１２２および第２のアーム２１２４は、コネクタロッド２１２６に対して垂直または実質的に垂直であってもよい。
【０１９４】
回転体２１２０の第１のアーム２１２２および第２のアーム２１２４のそれぞれは開口２１３０を有してもよく、回転体２１２０をレバー２１００に結合するためにこれらの開口２１３０にコネクタ（例えば、シャフト）が挿入されてもよい。コネクタロッド２１２６は、ロッドの長さを貫通して延びる対応する孔を有してもよく、これにより、コネクタは、第１のアーム２１２２における開口２１３０、コネクタロッド２１２６、次いで第２のアーム２１２４における開口２１３０を通って挿入されてもよい。例えば、レバー２１００を回転させるためにレバー２１００に加えられる力は、コネクタに伝達され、次いで、回転体２１２０に伝達することができる。
【０１９５】
回転体２１２０は、一対のトレー係合特徴２１２８を有してもよい。トレー係合特徴２１２８は、コネクタロッド２１２６にあってもよい。トレー係合特徴２１２８の少なくとも一部は、湾曲を有する外面を有してもよい。湾曲は、非対称であってもよい。幾つかの実施の形態では、湾曲した面の少なくとも一部は、トレーの回転体係合突出部１９６０における対応する湾曲１９６６と係合してもよく、これにより、回転体２１２０の回転は、トレー１９２０に対するドロワの移動を行い得る。幾つかの実施の形態では、トレー係合特徴２１２８の少なくとも一部は、線形部分を有する。幾つかの実施態様は、開口２１３２，２１３４および／またはスリット２１３６を有し、そのうちの１つまたは複数を、コネクタ構成部材２１７０に取り付けることができる。
【０１９６】
図２１Ｃは、コネクタ構成部材２１７０の第１の側方斜視図を示している。図２１Ｄは、コネクタ構成部材２１７０の第２の側方斜視図を示している。第１の側方斜視図では、コネクタ構成部材２１７０の第１の面２１７２が示されている。第２の斜視図では、コネクタ構成部材２１７０の第２の反対側の面２１７４が示されている。
【０１９７】
コネクタ構成部材２１７０は、第１の端部２１７６および第２の反対側の端部２１７８を有してもよい。コネクタ構成部材２１７０は、第１の端部２１７２の近傍の第１の開口２１８０と、第２の反対側の端部２１７８の近傍の第２の開口２１８２とを有してもよい。ここで説明するように、コネクタ構成部材２１７０は、回転体２１２０とドロワ１９７０との間にリンクを提供するように構成されていてもよい。幾つかの実施の形態では、コネクタ構成部材２１７０をドロワ１９７０に結合するために、締結具が第１の開口２１８０に挿入されてもよい。幾つかの実施の形態では、コネクタ構成部材２１７０は、回転可能な接続（例えば、ピン留めされた接続）などによって、回転体２１２０と接続されている。
【０１９８】
図２１Ｅは、抽出機械部分１９００の下側斜視図を示している。トレー底部１９２８の下面１９４２が図２１Ｅに示されている。図２１Ｅに示したように、底面１９４２における回転体係合突出部１９６０の対は、回転体２１２０と係合するように構成されていてもよい。幾つかの実施の形態では、回転体２１２０におけるトレー係合特徴２１２８は、トレー下面１９４２における対応する回転体係合突出部１９６０と接触していてもよい。例えば、トレー係合特徴２１２８の湾曲した面の一部は、回転体係合突出部１９６０の凹面状の湾曲部分１９６６と接触していてもよい。
【０１９９】
幾つかの実施の形態では、レバー２１００に加えられる回転力は、ドロワ１９７０の線形移動に変換されてもよい。例えば、ユーザによってレバー２１００に加えられる回転力は、レバー２１００に結合されかつ回転体２１２０の開口２１３０を通って挿入されたコネクタシャフト構成部材２１０２を介して、回転体２１２０へ伝達されてもよい。例えば、レバー２１００に加えられる回転力は、コネクタシャフト構成部材２１０２を回転させてもよく、ひいては、回転体２１２０を回転させてもよく、これにより、トレー１９２０に対して回転体２１２０の第１のアーム２１２２および第２のアーム２１２４を回転させる。回転体２１２０は、回転体２１２０におけるトレー係合特徴２１２８と、トレー１９２０における対応する回転体係合突出部１９６０との間の接触により、トレー１９２０に押し付けられてもよく、これにより、回転体２１２０の回転する第１のアーム２１２２および第２のアーム２１２４は、ドロワ１９７０の右側および左側のそれぞれに結合されたコネクタ構成部材２１７０を移動させてもよく、ドロワ１９７０の線形移動を生ぜしめる。
【０２００】
図２１Ｆおよび図２１Ｇは、ドロワ１９７０の移動を行うための、レバー２１００、回転体２１２０およびコネクタ構成部材２１７０の移動の実施例を示している。例えば、コネクタ構成部材２１７０は、コネクタ構成部材２１７０の一部がトレー１９２０の下方になるように、回転させられてもよい。
【０２０１】
図２１Ｈおよび図２１Ｉは、ドロワ１９７０の移動を行うための、レバー２１００、回転体２１２０およびコネクタ構成部材２１７０の移動の別の実施例を示している。例えば、コネクタ構成部材２１７０は、ドロワ１９７０がトレー１９２０に対して移動させられたときにトレー１９２０の上方にとどまってもよい。
【０２０２】
周方向にずれた部材を備えるレバーリンクアセンブリ
図２２は、抽出機械２２００の１つの実施の形態の斜視図を示している。図示したように、抽出機械２２００は、抽出チャンバユニット２２３０を開閉させるように構成することができるレバーアセンブリを有することができる。例えば、抽出機械２２００は、ユーザが飲料ポッドを挿入しまたは取り出すことができるように抽出チャンバユニット２２３０を開放するように構成することができ、抽出チャンバユニット２２３０において飲料を製造することを容易にするために抽出チャンバユニット２２３０を閉鎖するように構成することができる。
【０２０３】
抽出機械２２００は、レバー２２１０と、摺動軌道２２２０と、ハウジング２２５０とを有することができる。図示したように、幾つかの実施の形態は、流体入口２２６０と接続された抽出チャンバユニット２２３０を有する。ハウジング２２５０は、例えば、飲料をカップに排出するためにユーザがカップを抽出チャンバユニット２２３０の下側に配置することができるように、カップ収容凹所２２５５を有することができる。抽出チャンバユニット２２３０は、閉鎖位置と開放位置との間で移動するように構成された可動な部材２２３０Ａを有することができる。抽出チャンバユニット２２３０は、一回分飲料ポッドなどの飲料ポッドを収容するように構成することができる。
【０２０４】
図示したように、ハウジング２２５０は、箱形であることができる。幾つかの実施の形態は、第１の側壁２２５２と、第２の側壁２２５４と、第１および第２の側壁２２５２，２２５４を接続する上面２２５６とを有する。摺動軌道２２２０を第１および第２の側壁２２５２，２２５４に配置することができる。様々な実施の形態では、ハウジング２２５０は、抽出チャンバユニット２２３０の移動を支持しかつ可能にするように構成されている。
【０２０５】
抽出チャンバユニット２２３０は、前述の抽出チャンバユニットのいずれかと類似または同一であることができ、前述の抽出チャンバユニットの特徴のいずれか１つまたはいずれかの組合せを有することができる。例えば、抽出チャンバユニット２２３０は、図３Ａの抽出チャンバユニット３００と類似または同一であることができる。図２２に示したように、抽出チャンバユニット２２３０は、可動な部材２２３０Ａと結合するように構成された定置の部材２２３０Ｂを有することができる。例えば、定置の部材２２３０Ｂは、前述の蓋４００と類似または同一であることができ、可動な部材２２３０Ａは、（例えば、内側部分５００を含む）前述の外側部分３１０と類似または同一であることができる。様々な実施の形態では、定置の部材２２３０Ｂおよび可動な部材２２３０Ａは、互いに対して移動し、これにより、抽出チャンバユニット２２３０を開閉させる。これにより、抽出チャンバユニット２２３０は、（例えば、開放位置において）飲料ポッドを収容するおよび／または（例えば、閉鎖位置において）飲料ポッドを包囲することができる。可動な部材２２３０Ａは、上述のように、排出アセンブリなどの流体出口を有することができる。
【０２０６】
図示したように、レバー２２１０は細長い部材の形状を有することができ、これは、可動な部材２２３０Ａを移動させることにおいて機械的な利点を提供することを助けることができる。幾つかの実施の形態では、レバー２２１０は、第１の側壁２２５２に接続されたハンドルバーと、クランク部材とを有することができる。幾つかの実施の形態では、抽出チャンバユニット２２３０の開放位置と閉鎖位置の間で、レバー２２１０は、少なくとも約４５°、６０°、８０°、９０°、１００°、１２０°、前記値の間の値またはその他の値だけ回転させられるように構成されている。
【０２０７】
幾つかの実施態様では、抽出機械２２００は、図２３に概略的に示された摺動軌道などの摺動軌道を有する。摺動軌道２３２０は、側壁２２５２などにおける、ハウジング２２５０における凹んだスロットであることができる。幾つかの実施態様では、摺動軌道２３２０は、抽出チャンバユニット２２３０をユーザに向かって傾斜させるなど、開放位置において抽出チャンバユニット２２３０を傾斜させることを助けるように構成されている。
【０２０８】
幾つかの実施の形態では、摺動軌道２３２０は突出部を有することができる。幾つかの実施の形態では、摺動軌道２３２０は、内側側壁を有するＴ字形レール構成などのレールを有することができる。摺動軌道２３２０は、直線部分２３２０Ａおよび長手方向軸線２３２５を有することができる。幾つかの実施の形態では、長手方向軸線２３２５は、直線部分２３２０Ａの長手方向軸線を含むことができる。
【０２０９】
幾つかの実施態様では、摺動軌道２３２０は、傾斜部分２３２０Ｂを有する。傾斜部分２３２０Ｂは、直線部分２３２０Ａの幅よりも大きな幅を概して有する凹んだ領域を有することができる。例えば、図２３に示したように、傾斜部分２３２０Ｂは、直線部分２３２０Ａと、幅がテーパしている摺動軌道２３２０の端部への傾斜部分２３２０Ｂとの接合部において著しく増大した幅を有する部分から始まる、凹んだ部分を有することができる。幾つかの実施の形態では、図３０Ａに示したように、傾斜部分３０２６Ｂは、摺動軌道における切欠構造を有する部分を有することができる。幾つかの実施の形態では、図２４Ａに示したように、傾斜部分２２２０Ｂは、直線部分２２２０Ａと角度を形成する長手方向軸線を有する部分を有することができる。
【０２１０】
直線部分２３２０Ａの鉛直方向長さは、傾斜部分２３２０Ｂの長さの少なくとも約１．５倍であることができる。直線部分２３２０Ａの鉛直方向長さは、傾斜部分２３２０Ｂの長さの少なくとも約２倍であることができる。直線部分２３２０Ａの鉛直方向長さは、傾斜部分２３２０Ｂの長さの少なくとも約２．５〜約１０倍であることができる。直線部分２３２０Ａの鉛直方向長さは、傾斜部分２３２０Ｂの長さの少なくとも約３〜約８倍であることができる。直線部分２３２０Ａの鉛直方向長さは、傾斜部分２３２０Ｂの長さの少なくとも約３．５〜約６倍であることができる。
【０２１１】
図２４Ａは、開放位置における抽出機械を示す部分的な概略図である。図示したように、抽出チャンバユニット２２３０を鉛直方向軸線に対して傾斜させることができる。例えば、抽出チャンバユニット２２３０は、鉛直方向軸線に対して非平行かつ非垂直の軸方向軸線２２３２Ａを有することができる。ハウジング２２５０に対する抽出チャンバユニット２２３０の傾斜および／または移動を容易にするために、抽出機械は、ハウジング２２５０の側壁２２５４に配置された軌道などの、摺動軌道を有することができる。摺動軌道は、第１の軌道２４２２および第２の軌道２２２４を有することができる。図２４Ａに示したように、第１の軌道２４２２は、直線部分２２２０Ａおよび傾斜部分２２２０Ｂを有することができる。傾斜部分２２２０Ｂは、直線部分２２２０Ａの長手方向角度に対して角度を形成していることができる。角度２２２１は、少なくとも約２度であることができる。角度２２２１は、少なくとも約５度および／または約９０度以下であることができる。角度２２２１は、少なくとも約１０度および／または約７０度以下であることができる。角度２２２１は、少なくとも約２０度および／または約６０度以下であることができる。
【０２１２】
第２の軌道２２２４は、長手方向軸線２２２５を有することができる。幾つかの実施の形態では、第２の軌道２２２４の長手方向軸線２２２５は、概して、第１の軌道の直線部分２２２０Ａの長手方向軸線に対して平行であることができる。
【０２１３】
幾つかの実施の形態では、抽出チャンバユニット２２３０は、概して円筒状であることができる。前述のように、抽出チャンバユニット２２３０は、軸方向中心軸線２２３２Ａを有することができる。図示したように、抽出チャンバユニット２２３０は、本体部分２２３１と、半径方向軸線２２３２Ｂと、周方向軸線２２３２Ｃとを有することができる。
【０２１４】
幾つかの実施の形態では、抽出チャンバユニット２２３０は、抽出チャンバユニット２２３０の概して円筒状の本体から外方へ突出したカムまたはアームなどの、１つまたは複数の固定構造を有する。図示したように、固定構造は、互いに周方向にずれていることができる。これは、以下でより詳細に説明するように、複数の異なる固定構造が別個の軌道に係合することを可能にすることができる。
【０２１５】
固定構造は、軌道に沿って摺動するように構成することができる。例えば、第１の固定構造２２３５Ａは第１の軌道２２２４に沿って摺動するように構成することができ、第２の固定構造２２３５Ｂは、第２の軌道２２２４に沿って摺動するように構成することができる。第１および第２の固定構造２２３５Ａ，２２３５Ｂは、互いにずれているおよび／または間隔を置かれていることができる。例えば、固定構造のうちの１つ（例えば、構造２２３５Ａ）を、別の固定構造（例えば、構造２２３５Ｂ）よりも抽出チャンバユニット２２３０の上部の近くに配置することができる。
【０２１６】
図２４Ａは、開放位置における抽出チャンバユニット２２３０の位置の一例を示している。図示したように、第１の固定構造２２３５Ａを傾斜部分２２２０Ｂに配置することができる。開放位置において、飲料ポッドを抽出チャンバユニット２２３０に挿入しまたは抽出チャンバユニット２２３０から取り出すことができるように、（図２２に示された）定置の部材２２３０Ｂなどの定置の部材を可動な部材２２３０Ａから間隔を置いて配置することができる。
【０２１７】
図示したように、可動な部材２２３０Ａを鉛直方向軸線に対して傾斜させる（例えば、角度付ける）ことができる。例えば、ユーザによるアクセスを容易にするために、可動な部材２２３０Ａを抽出機械２２００の前方に向かって傾斜させることができる。幾つかの実施の形態では、開放位置において、軸方向中心軸線２２３２は、長手方向軸線２２２５と角度２２３４を形成することができる。角度２２３４は、少なくとも約２度であることができる。角度２２３４は、少なくとも約５度および／または約９０度以下であることができる。角度２２３４は、少なくとも約１０度および／または約７０度以下であることができる。角度２２３４は、少なくとも約２０度および／または約６０度以下であることができる。幾つかの実施の形態では、可動な部材２２３０Ａを、固定構造２２３５Ａの位置を調節することなどによって、角度２２３４を手動で調節するように構成することができる。
【０２１８】
傾斜は、開放位置において生じることができる。例えば、開放位置において、第１の固定構造２２３５Ａは、直線部分２２２０Ａと角度２２２１を形成する第１の軌道２２２２の傾斜部分２２２０Ｂにあることができる。開放位置において、第２の固定構造２２３５Ｂは、概して直線的な長手方向軸線２２２５を有する第２の軌道２２２４にとどまることができる。軌道２２２２，２２２４に対する固定構造２２３５Ａ，２２３５Ｂの位置の変化は、可動な部材２２３０Ａを傾斜させることができる。
【０２１９】
図２４Ｂは、閉鎖位置における抽出チャンバユニット２２３０の位置の一例を示している。閉鎖位置において、軸方向中心軸線２２３２は、長手方向軸線２２２５に対して実質的に平行であることができる。閉鎖位置において、定置の部材２２３０Ｂは、飲料を抽出するための抽出チャンバ２２３０を形成するために、可動な部材２２３０Ａとシールするように接続することができる。第１の固定構造２２３５Ａは、第１の軌道２２２２の直線部分２２２０Ａにあることができる。第１の固定構造２２３５Ａから一定の距離における第２の固定構造２２３５Ｂは、第２の軌道２２２４にとどまることができる。第１の固定構造２２３５Ａと第２の固定構造２２３５Ｂとの間の一定の距離は、可動な部材２２３０Ａを方向付けることができ、これにより、可動な部材２２３０Ａを、定置の部材２２３０Ｂとシールするように接続することができる。
【０２２０】
閉鎖位置は、図２５Ｃにも示されており、以下でより詳細に説明される。図２５Ａ〜図２５Ｄは、図２２の抽出機械の様々な異なる図を示している。図２５Ａは、図２２の抽出機械の正面図を示している。図２５Ｂは、図２２の抽出機械の後面図を示している。図２５Ｃは、図２２のレバーアセンブリの側面図を示している。図２５Ｄは、図２２の抽出機械の平面図を示している。図示したように、抽出機械は、クランプタイプ機構を有することができるレバーアセンブリを有することができる。クランプタイプ機構を、抽出チャンバユニットを開閉させるために使用することができる。レバーアセンブリ２５００はレバー２５１０を有することができる。図示したように、レバー２５１０は、接続ピン２５１２、クランクロッド２５１４および／またはハンドルバー２５１８を有することができる。ハンドルバー２５１８をハウジングに回動可能に接続することができる。幾つかの実施の形態では、レバー２５１０は、１つまたは複数のフック部材２５１９を有する。抽出チャンバユニットが閉鎖位置にあるおよび／または閉鎖位置の近くにあるときに第１の固定構造に係合するようにフック部材２５１９を構成することができる。フック部材２５１９は、フック本体部分２５１９Ａおよび引っ掛け部分２５１９Ｂを有することができる。フック本体部分２５１９Ａを、ハンドルバー２５１８に固定接続することができる。引っ掛け部分２５１９Ｂはフック形状を有することができ、引っ掛け部分２５１９Ｂを、抽出チャンバユニットが閉鎖位置にあるときに抽出チャンバユニットの固定構造２４３５Ａ，２４３５Ｂのうちの１つまたは複数の周囲に引っ掛かるように構成することができる。例えば、図２５Ｃに示したように、引っ掛け部分２５１９Ｂは固定構造２４３５Ａと係合することができる。フック部材２５１９は、第１のフック部材２５１９Ｃおよび第２のフック部材２５１９Ｄを有することができる。第１および第２のフック部材２５１９Ｃ，２５１９Ｄはそれぞれ、ハウジング２５５０の第１の側壁２５５２および第２の側壁２５５４それぞれの近くで抽出チャンバユニット２５３０の側部に配置されている。
【０２２１】
図２５Ｃは、閉鎖位置における抽出チャンバユニット２２３０の位置の一例を示している。閉鎖位置において、定置の部材２５３０Ｂを可動な部材２５３０Ａとシールするように接続することができる。可動な部材２５３０Ａの軸方向中心軸線と、定置の部材２５３０Ｂの軸方向中心軸線とは、同軸的であることができる。可動な部材は開放位置から閉鎖位置へ移動することができるのに対し、固定構造２５３５Ａ，２５３５Ｂは第１および第２の軌道２５２２，２５２４に沿って摺動する。可動な部材２５３０Ａが定置の部材２５３０Ｂとシールするように接続される前に、第１の固定構造２５３５Ａは、第１の軌道の傾斜部分２２２０Ｂから出て、（図２４Ｂに示された）第１の軌道の直線部分２２２０Ａに沿って摺動することができる。抽出チャンバユニット２５３０を、閉鎖位置において傾斜させないことができる。例えば、可動な部材２５３０Ａおよび定置の部材２５３０Ｂの同軸的な中心軸線は、抽出機械２２００の鉛直方向軸線に対して実質的に平行であることができる。
【０２２２】
幾つかの実施の形態では、レバー２５１０は、１つまたは複数の回転ロッド２５１６を有する。回転ロッド２５１６は、それぞれハウジング２５５０の第１の側壁２５５２および第２の側壁２５５４の近くで抽出チャンバユニット２５３０の側部にそれぞれ配置された第１の回転ロッド２５１６Ａおよび第２の回転ロッド２５１６Ｂを有することができる。第１の回転ロッド２５１６Ａなどの回転ロッドは、第１の開口および第２の開口を有することができる。第１の回転ロッド２５１６Ａは、一方の端部においてクランクロッド２５１４に回転可能に、他方の端部において固定構造２５３５Ａに回転可能に接続することができる。フック部材２５１９を、ハンドルバー２５１８および／またはクランクロッド２５１４に固定接続することができる。
【０２２３】
幾つかの実施の形態は、ユーザがハンドルバーを回動させることによってハンドルバー２５１８を操作することができるように構成されている。例えば、幾つかの実施の形態では、ユーザは、（例えば、図２５Ｃの視点から見て）上方へまたは時計回り方向にハンドルバー２５１８を回動させることによってレバーアセンブリ２５００を開放することができる。ユーザは、（例えば、図２５Ｃの視点から見て）下方へまたは反時計回り方向へハンドルバー２５１８を回動させることによってレバーアセンブリ２５００を閉鎖することができる。ハンドルバー２５１８の全回動範囲が約１８０度未満であることができるようにレバー２５１０を構成することができる。例えば、ハンドルバー２５１８の全回動範囲は、約５０度〜約１２０度であることができる。ハンドルバー２５１８の全回動範囲は、約９０度であることができる。回動は、装置の前方に限定することができる。幾つかの実施の形態では、レバー２５１０は、複数の入力を含む電子作動機構を有することができる。ユーザは、このような入力を操作することによってレバーを開放位置と閉鎖位置との間で操作してもよい。
【０２２４】
周方向に整列した部材を備えるリンクアセンブリ
図２６は、抽出機械２６００の別の実施の形態の斜視図を示している。図示したように、抽出機械２６００は、回転ロッド（例えば、Ｌ字形回転ロッド）を有することができるレバーアセンブリを有することができる。レバーアセンブリ２６００は、ハウジング２６５０と、摺動軌道２６２０と、レバー２６１０と、流体入口２６６０とを有することができる。ハウジング２６５０は、カップ収容凹所２６５５を有することができる。
【０２２５】
幾つかの実施の形態は抽出チャンバユニット２６３０を含む。抽出チャンバユニット２６３０は、閉鎖位置と開放位置との間で可動な、可動な部材２６３０Ａを有することができる。幾つかの実施の形態は、定置の部材２６３０Ｂを有する。抽出チャンバユニット２６３０は、開放位置において飲料ポッドを収容するように構成することができる。抽出チャンバユニット２６３０は、抽出チャンバユニット３００などの前述の抽出チャンバユニットのいずれかに類似または同一であることができ、前述の抽出チャンバユニットの特徴のいずれか１つまたはいずれかの組合せを有することができる。
【０２２６】
幾つかの実施の形態では、抽出チャンバユニット２６３０は、１つまたは複数の固定構造２６３５Ａ，２６３５Ｂを有する。図示したように、幾つかの実施の形態では、固定構造２６３５Ａ，２６３５Ｂは、抽出チャンバユニット２６３０の本体部分から外方へ突出するカムまたはアームを有する。図示したように、固定構造は、軸方向で互いに整列させることもできる。これは、複数の異なる固定構造を共通の軌道に係合させることを可能にすることができる。例えば、図示したように、各固定構造２６３５Ａ，２６３５Ｂを、軌道２６２０に収容することができる。
【０２２７】
幾つかの実施の形態では、抽出チャンバユニット２６３０の閉鎖位置において、両固定構造２６３５Ａ，２６３５Ｂは、軌道２６２０の概して直線的な部分２６２０Ａに収容されている。幾つかの態様では、例示したように、抽出チャンバユニット２６３０の閉鎖位置において、固定構造２６３５Ａ，２６３５Ｂは、概して、鉛直方向軸線に沿って整列させられている（例えば、鉛直線を、固定構造２６３５Ａ，２６３５Ｂの半径方向中心に通過させることができる）。幾つかの実施の形態では、開放位置において、固定構造２６３５Ａ，２６３５Ｂは、軌道２６２０の傾斜した部分および／または概して三角形の部分２６２０Ｂに収容されている。幾つかの態様では、抽出チャンバユニット２６３０の開放位置において、固定構造２６３５Ａ，２６３５Ｂは、鉛直方向軸線に沿って整列させられていない。図２７Ａは、図２６のレバーアセンブリの正面図を示している。ハウジング２６５０は、摺動軌道２６２０およびハウジングヒンジタブ２６５１を有することができる。ハウジングヒンジタブ２６５１は、第１のヒンジタブ２６５１Ａおよび第２のヒンジタブ２６５１Ｂを有することができる。図２７Ｂは、図２６のレバーアセンブリの側面図を示している。可動な部材２６３０Ａは、第１の固定構造２６３５Ａおよび第２の固定構造２６３５Ｂを有することができる。第１および第２の固定構造２６３５Ａ，２６３５Ｂを、距離２６３６を形成するように離間させることができる。距離２６３６は、第１の固定構造２６３５Ａの周における１つの点と、第２の固定構造２６３５Ｂの周における１つの点との間の最も遠い線を含むことができる。摺動軌道２６２０は、傾斜部分２６２０Ｂを含むことができる。傾斜部分は、レバーアセンブリの鉛直方向軸線から離れるように所定の角度で傾斜させられた傾斜長さ２６３７を有することができる。傾斜長さ２６３７は、距離２６３６よりも大きいことができる。
【０２２８】
幾つかの実施の形態では、レバー２６１０は、１つまたは複数の接続ロッド２６１６（例えば、Ｌ字形接続ロッド）と、ハンドル２６１５（例えば、Ｕ字形ハンドル）と、接続ピン２６１２とを有することができる。接続ロッド２６１６は、第１のロッド２６１６Ａおよび第２のロッド２６１６Ｂを有することができる。第１および第２のロッド２６１６Ａ，２６１６Ｂをそれぞれ抽出チャンバユニット２６３０の側部に配置することができる。例えば、第１および第２のロッド２６１６Ａ，２６１６Ｂをそれぞれハウジング２６５０の第１の側壁２６５２および第２の側壁２６５４の近くに配置することができる。回転ピン２６１２は第１および第２のロッド２６１６Ａ，２６１６Ｂを接続することができる。
【０２２９】
図２７Ｃは、図２６のレバーアセンブリのある構成部材のトップダウン斜視図を示している。図２７Ｃに示したように、各接続ロッド２６１６Ａ，２６１６Ｂは、第１の接続ロッド部分２６１６Ｃおよび第２の接続ロッド部分２６１６Ｄを有することができる。第１および第２の接続ロッド部分２６１６Ｃ，２６１６Ｄは、ロッド角度２６１７を形成することができる。ロッド角度２６１７は、開先角度であることができる。ロッド角度２６１７は、約２０度〜約１２０度であることができる。ロッド角度２６１７は、約４０度〜約１００度であることができる。ロッド角度２６１７は、約９０度であることができる。
【０２３０】
幾つかの実施の形態では、ロッド２６１６Ａ，２６１６Ｂのうちの１つまたは複数は、停止構造２６１６Ｅを有する。停止構造２６１６Ｅを、ロッド２６１６の回転を制限するように構成することができる。例えば、反時計回り方向に開放位置から閉鎖位置へ回転するロッド２６１６において、停止構造２６１６Ｅは、閉鎖位置においてＵ字形ハンドル２６１５の一部に当接することによって反時計回り方向でのロッド２６１６のさらなる移動を阻止または防止することができる。
【０２３１】
ハンドル２６１５は、ハンドル部分２６１５Ａ、接続ピン部分２６１５Ｂおよび回転アーム部分２６１５Ｃを有することができる。ハンドル２６１５をハウジング２６５０に回転可能に接続することができる。例えば、ハンドル２６１５の一部を第１のヒンジタブ２６５１Ａに接続することができる。回転アーム部分２６１５Ｃをロッドに回転可能に接続することができる。ハンドル２６１５を、ハウジング２６５０の第１の側壁２６５２に接続することができる。幾つかの実施の形態では、レバー２６１０は、ハンドル２６１５と反対側で、第２の側壁２５５４の近くに配置された回転ロッド２５１６を有することができる。回転ロッド２６１５Ｄを、回転アーム部分２６１５Ｃとして成形およびサイズ決めすることができる。回転ロッド２６１５Ｄを、第２のヒンジタブ２６５１Ｂに回転可能に接続することができる。
【０２３２】
閉鎖位置において、レバー２６１０は、概して鉛直の向きであることができる。例えば、レバーのハンドル２６１５は、概して、抽出機械２６００の鉛直方向軸線に沿っていることができる。ユーザは、レバーを操作することによって、例えばレバー２６１０を引っ張ることによって、抽出機械２６００を開放位置へ操作してもよい。レバー２６１０を回転させるためにユーザに向かって引っ張ることができる。回転アーム部分２７１５は、レバー２６１０の回転とともに回転することができ、接続ピン２６１２はユーザに向かって移動することができる。接続ピン２６１２が回転すると、回転アーム部分２６１５に接続された回転ロッド２６１６Ａ，２６１６Ｂが回転することができる。例えば、レバー２６１０が反時計回り方向に回転すると、第１の接続ロッド部分２６１６Ｃは時計回り方向に回転することができる。可動な部材２６３０Ａの第１の固定構造２６３５Ａに接続された回転ロッド２６１６Ａ，２６１６Ｂは、レバー２６１０が引っ張られると、第１の固定構造２６３５Ａを鉛直方向下方へ移動させることができる。例えば、第１の固定構造２６３５Ａは、回転ロッド２６１６Ａ，２６１６Ｂが回転すると、摺動軌道２６１０に沿って摺動することができる。
【０２３３】
開放位置において、可動な部材２６３０Ａは、（図２４Ａに示された）可動な部材２２３０Ａのように、傾斜した構成にあることができる。例えば、可動な部材は、可動な部材２６３０Ａの軸方向中心線に対して概して平行な線を形成する第１および第２の構造２６３５Ａ，２６３５Ｂを有することができる。第１および第２の構造２６３５Ａ，２６３５Ｂによって形成された線は、第１および第２の構造２６３５Ａ，２６３５Ｂが傾斜部分２６２０Ｂへ移動するときに傾斜することができる。第１の固定構造２６３５Ａは、開放位置においてユーザに向かって回転させられている。
【０２３４】
開放位置において、レバー２６１０は、概して水平の向きであることができる。例えば、レバーのハンドル２６１５は、抽出機械２６００の鉛直方向軸線に対して約９０度を形成することができる。ユーザは、レバー２６１０を操作することによって、例えばレバー２６１０を押すことによって、抽出機械２６００を開放位置から閉鎖位置へ操作することができる。レバー２６１０を回転させるためにユーザから離れるように押すことができる。ユーザがレバーを押すと、接続ピン２６１２はユーザから離れるように移動することができる。第１の接続ロッド部分２６１６Ｃは、閉鎖するときにレバー２６１０が時計回り方向に回転すると、反時計回り方向に回転することができる。回転ロッド２６１６Ａ，２６１６Ｂは、第１の固定構造２６３５Ａを鉛直方向上方へ移動させることができる。
【０２３５】
閉鎖位置では、可動な部材２６３０Ａは、図２７Ａ〜図２７Ｃに示された直立構成にあることができる。例えば、可動な部材は、可動な部材２６３０Ａの軸方向中心線に対して平行な線を形成する第１および第２の構造２６３５Ａ，２６３５Ｂを有することができる。ユーザが閉鎖するように抽出機械２６００を操作すると、第１および第２の構造２６３５Ａ，２６３５Ｂは、直線部分２３２０（図２３参照）などの、摺動軌道の直線部分に沿って摺動する。
【０２３６】
並進する蓋
図２８Ａ〜図２８Ｅは、可動なおよび／または回動可能な上側部分を備える抽出チャンバユニットを備える抽出機械の図を示している。例えば、抽出チャンバユニットの蓋は、抽出チャンバユニットの下側部分に対して移動するように構成することができる。幾つかの実施態様では、このような設計は、アルミニウム缶を押し潰す装置と類似することにより“缶押し潰し”配列と呼ばれる。
【０２３７】
抽出チャンバユニットは、前述の抽出チャンバユニットのいずれかに類似または同一であることができ、前述の抽出チャンバユニットの特徴のいずれか１つまたはいずれかの組合せを有することができる。例えば、抽出チャンバユニットは、図３Ａの抽出チャンバユニット３００に類似または同一であることができる。図示したように、抽出チャンバユニット２８３０は、可動な部材２８３０Ａおよび定置の部材２８３０Ｂを有することができる。
【０２３８】
レバーアセンブリ２８００は、ハウジング２８５０と、摺動軌道２８２０と、レバー２８１０とを有することができる。ハウジングは、開放した前面２８５５を有することができる。レバー２８１０は、回動する蓋２８１８および回転ロッド２８１６を有することができる。図２８Ｃは、閉鎖位置における図２８Ａのレバーアセンブリの斜視図を示している。図２８Ｃに示したように、閉鎖位置において、開放した前面２８５５の一部を被覆するように、回動する蓋２８１８を構成することができる。回動する蓋２８１８は、蓋ハンドル２８１１を有することができる。
【０２３９】
幾つかの実施の形態では、抽出チャンバユニットの可動な部材２８３０Ａは、本体部分２８２９および／または可動部材ヒンジタブ２８３１Ａ，２８１３Ｂを有することができる。可動な部材２８３０Ａは、（例えば、図２８Ｃおよび図２８Ｅに示したような）閉鎖位置と、（例えば、図２８Ａおよび図２８Ｂに示したような）開放位置との間で可動であることができる。閉鎖運動または操作の間、可動な部材２８３０Ａを、概して下方へ移動するように構成することができる。開放運動または操作の間、可動な部材２８３０Ａを、概して上方へ移動するように構成することができる。
【０２４０】
図２８Ｂは、図２８Ａのレバーアセンブリの下側斜視図を示している。回動する蓋２８１８は、回動する蓋における１つまたは複数のアーム２８１４を有することができる。アームは、第１のアーム２８１４Ａおよび第２のアーム２８１４Ｂを有することができる。アーム２８１４を、回転ロッド２８１６に回転可能に接続することができる。回転ロッド２８１６を、アーム２８１４および可動な部材２８１４に回転可能に接続することができる。例えば、回転ロッド２８１６を、可動部材ヒンジタブ２８３１Ａ，２８１３Ｂに回転可能に接続することができる。様々な実施の形態では、蓋の回転を、可動な部材２８３０Ａの並進に変換することができる。例えば、蓋が外方へおよび／または定置の部材２８３０Ｂから離れるように回転させられると、可動な部材２８３０Ａは、上方へおよび／または定置の部材２８３０Ｂから離れるように並進する。これは、飲料ポッドを挿入するまたは取り出すなどのために、抽出チャンバユニットの内部へのユーザアクセスを許容することができる。幾つかの実施態様では、蓋が下方へおよび／または定置の部材２８３０Ｂに向かって回転させられると、可動な部材２８３０Ａは、下方へおよび／または定置の部材２８３０Ｂに向かって並進する。これは、部材２８３０Ａ，２８３０Ｂにシールするように係合することができるかつ／またはさもなければ内部で飲料を製造するための抽出チャンバユニットを構成することができる。
【０２４１】
図２８Ｃに示したように、幾つかの実施の形態では、蓋２８１８は、抽出機械のためのカバーおよび／またはシールドを提供する。例えば、抽出チャンバユニットの閉鎖位置において、蓋２８１８は、ユーザが指で抽出チャンバユニットにアクセスすることを阻止または防止することができ、これにより、怪我の可能性を低減する。幾つかの態様では、抽出チャンバユニットの閉鎖位置においておよび／または抽出機械の非作動（例えば、貯蔵）の間、蓋２８１８は、抽出チャンバユニットの視覚的観察を覆い隠すことができる。これは、流線形かつクリーンな外観を提供することができるかつ／または抽出機械の美観を高めることができる。
【０２４２】
図２８Ｄは、図２８Ａのレバーアセンブリのある構成部材のトップダウン斜視図を示している。図２８Ｄに示したように、可動な部材２８３０Ａは、固定構造２８３５を有することができる。固定構造２８３５は、概して平坦な遠位面を有するフランジ形状を有することができる。固定構造２８３５のフランジ形状は、図２８Ｅに示された摺動軌道２８２０に沿って摺動するように構成することができる。図２８Ｅは、閉鎖位置における図２８Ａのレバーアセンブリのある構成部材の斜視図を示している。摺動軌道２８２０は、固定構造２８３５を収容するように構成されたサイドレール２８２０Ａ，２８２０Ｂを有することができる。
【０２４３】
湾曲した軌道
図２９Ａは、カムアセンブリを有することができる抽出機械２９００の別の実施の形態の斜視図を示している。図２９Ｂは、図２９Ａのカムアセンブリの複数の構成部材の側面図を示している。カムアセンブリは、案内軌道２９２６を有することができるハウジング２９５０を有することができる。幾つかの実施の形態では、カムアセンブリは、ハウジング２９５０に回動可能に接続することができる作動ハンドル２９１０を有する。作動ハンドル２９１０は、第１および第２のサイドバー２９１０Ａ，２９１０Ｂおよび接続ハンドル２９１０Ｃを有することができる。
【０２４４】
図示したように、抽出機械は抽出チャンバユニット２９３０を有することができる。抽出チャンバユニット２９３０は、前述の抽出チャンバユニットのいずれかに類似または同一であることができ、前述の抽出チャンバユニットの特徴のいずれか１つまたはいずれかの組合せを有することができる。例えば、抽出チャンバユニットは、図３Ａの抽出チャンバユニット３００に類似または同一であることができる。図示したように、抽出チャンバユニット２９３０は、可動な部材２９３０Ａおよび定置の部材２９３０Ｂを有することができる。
【０２４５】
幾つかの実施の形態では、抽出機械は回転カム２９１５を有する。回転カム２９１５は、開放位置と閉鎖位置との間を回転可能である。開放位置において、飲料ポッドを抽出チャンバユニット２９３０に挿入しまたは抽出チャンバユニット２９３０から取り出すことができるように、定置の部材２９３０Ｂを可動な部材から離れるように離間させることができる。閉鎖位置において、定置の部材２９３０Ｂは、内部で飲料を抽出するための抽出チャンバ２９３０を形成するために、可動な部材２９３０Ａの本体部分２９３１とシールするように接続することができる。様々な実施の形態では、回転カム２９１５は、作動ハンドル２９１０によって回転させられるように構成されている。例えば、作動ハンドル２９１０の回転が回転カム２９１５の回転を生じるように、作動ハンドル２９１０を回転カム２９１５に固定接続することができる。
【０２４６】
回転カム２９１５はカムプレート２９１７を有することができる。各カムプレート２９１７は摺動軌道２９２０を有することができる。摺動軌道２９２０は、第１の摺動軌道２９２２および第２の摺動軌道２９２４を有することができる。第１の摺動軌道２９２２は、第１の摺動軌道２９２２に沿って第１の長さを有することができる。第２の摺動軌道２９２４は、第１の長さより短い、第２の摺動軌道２９２４に沿った第２の長さを有することができる。図示したように、軌道２９２２，２９２４を湾曲させることができる。幾つかの実施の形態では、軌道２９２２，２９２４は、同心円の円弧である。可動な部材２９３０Ａの本体部分２９３１の１つまたは複数の固定構造２９３５を摺動可能に収容するように摺動軌道２９２０を構成することができる。これは、抽出チャンバユニットが、飲料ポッドを収容するために開放される（例えば、可動な部材２９３０Ａが、定置の部材２９３０Ｂから離れるように移動させられる）および／または飲料製造操作のために閉鎖される（例えば、可動な部材２９３０Ａが定置の部材２９３０Ｂと係合するように移動させられる）ことを可能にすることができる。
【０２４７】
上述のように、ハウジング２９５０は案内軌道２９２６を有することができる。幾つかの実施の形態では、案内軌道２９２６は、ほぼ直角で接続された２つの部分を有する。例えば、案内軌道２９２６は、概してＬ字形の軌道を有することができる。幾つかの態様では、案内軌道２９２６は、水平部分２９２６Ａと、水平部分２９２６Ａに接続された鉛直部分２９２６Ｂとを有する。水平部分２９２６Ａおよび鉛直部分２９２６Ｂは、所定の角度を形成することができる。水平部分２９２６Ａと鉛直部分２９２６Ｂとの間に形成された角度は、約９０度であることができる。回転カム２９１５は、カムプレート２９１７を接続するブリッジ部分２９１８を有することができる。１つまたは複数の固定構造２９３５は、第１の軌道２９２２に沿って摺動するように構成された第１の固定構造２９３５Ａと、第２の軌道２９２４に沿って摺動するように構成された第２の固定構造２９３５Ｂとを有することができる。
【０２４８】
図２９Ａおよび図２９Ｂは、開放位置における抽出機械２９００を示している。案内軌道２９２６は、第２の固定構造２９３５Ｂが第２の軌道２９２４に沿って移動するときに第２の固定構造２９３５Ｂを案内することができる。例えば、抽出機械２９００を閉鎖するために、ユーザは、カムプレート２９１７を回転させるためにハンドル２９１０Ｃを引っ張ってもよい。第１および第２の構造２９３５Ａ，２９３５Ｂは、第１および第２の軌道２９２２，２９２４に沿って摺動することができ、第２の固定構造２９３５Ｂは、回転中に案内軌道２９２６に沿って摺動することができる。第１の固定構造２９３５Ａは、水平部分２９２６Ａに沿って概して水平面において移動することができる。第１の固定構造２９３５Ａは、水平部分２９２６Ａから鉛直部分２９２６Ｂへ移動することができる。第１の固定構造２９３５Ａは、鉛直部分２９２６Ｂに沿って概して鉛直平面において移動することができる。第１の固定構造２９３５Ａは、閉鎖位置において鉛直部分２９２６Ｂにあることができる。第１の固定構造２９３５Ａは、開放位置において水平部分２９２６Ａにあることができる。
【０２４９】
回転可能カムは様々な形状を有することができる。図３０Ａは、湾曲した（例えば、円形の）カムを有するカムアセンブリを備える抽出機械の別の実施の形態の側方斜視図を示している。図３０Ｂは、図３０Ａの円形カムを概略的に示している。カムアセンブリ３０００は、ハウジング３０５０と、回転カム３０１５と、作動ハンドル３０１０と、可動な部材３０３０Ａとを有することができる。ハウジング３０５０は案内軌道３０２６を有することができる。案内軌道３０２６は、直線部分３０２６Ａおよび傾斜部分３０２６Ｂを有することができる。案内軌道３０２６は長手方向軸線を有することができ、可動な部材３０３０Ａは、軸方向中心軸線を有することができる。中心軸線は、開放位置において長手方向軸線に対して所定の角度を形成することができる。可動な部材が開放位置にあるとき、本体部分の上側に対して概して平行な平面は、長手方向軸線に対して非平行かつ非垂直である。
【０２５０】
図３０Ｂは、図３０Ａの円形カムを概略的に示している。回転カム３０１５は、回転軸線３０１６および摺動軌道３０２０を有することができる。回転カム３０１５を、回転軸線３０１６において作動ハンドルに固定接続することができる。図３０Ｂに示したように、固定構造３０３５を、回転可能カム３０１５が回転軸線を中心に回転するときに摺動軌道３０２０に沿って摺動もしながら案内軌道３０２６に沿って摺動するように構成することができる。これは、作動ハンドル３０１０の位置によって制御することができる回転カム３０１５の回転位置に応じて、可動な部材３０３０Ａが案内軌道３０２６に沿って並進させられることを可能にすることができる。
【０２５１】
フリップアップアセンブリ
図３１Ａは、回動可能な飲料容器アセンブリの１つの実施の形態の透視図を示している。飲料容器アセンブリ３０００は、第１の収容部３１１０と、第２の収容部３１２０と、ヒンジタブ３１３０とを有することができる。第１の収容部３１１０は、外周を有することができる。第１の収容部３１１０は、エスプレッソを製造するための飲料ポッドなど、第１の直径を有する飲料ポッドを収容するように構成されている。第１の収容部３１１０は、第１の収容部３１１０の外周から延びるヒンジアーム３１３５を有することができる。ヒンジアーム３１３５を、ヒンジタブ３１３０にヒンジ式に接続することができる。第１の収容部３１１０は、軸方向長さを有することができる。
【０２５２】
第２の収容部３１２０は、軸方向中心軸線３１２５を有することができる。第２の収容部３１２０は、第１の収容部３１１０および／または第１の直径よりも大きな第２の直径を有する抽出ポッドを収容するように構成することができる。幾つかの実施の形態では、第２の収容部３１２０は、抽出コーヒーを製造するためのポッドを収容するように構成されている。第１の収容部３１１０は、係合しなくなるように離れる方向へまたは（図示のように）係合するように向かうようになど、第２の収容部３１２０に対して回動させることができる。例えば、第１の収容部３１１０を、第２の収容部３１２０の軸方向中心軸線３１２５に対して概して垂直な回動軸線を中心に回動するように構成することができ、これにより、第１の収容部３１１０を第２の収容部３１２０に対して回動させることができる。幾つかの態様では、第１の収容部３１１０が第２の収容部３１２０から離れるように回動させられたときに軸方向中心軸線３１２５と重なり合う第１の収容部３１１０の部分がなくなるように、第１の収容部３１１０は第２の収容部３１２０から離れるように回動する。ヒンジタブ３１３０は、ヒンジスロット３１３２およびヒンジピン３１３４を有することができる。
【０２５３】
図３１Ｂ〜図３１Ｄは、図３１Ａの回動可能な飲料容器アセンブリを有する抽出機械の斜視図を示している。抽出機械は、飲料容器およびハウジングを有することができる。飲料容器は、第１の収容部３１１０と、第２の収容部３１２０と、ヒンジタブ３１３０とを有することができる。飲料容器を、ヒンジタブ３１３０によって第１の収容部３１１０に接続することができる。ハウジング３１０１は、可動なトレー３１４０および収容スロット３１５０を有することができる。可動なトレー３１４０は、鉛直方向距離に沿って可動であることができる。収容スロット３１５０は、第１の収容部３１１０を収容するように構成することができる。例えば、収容スロット３１５０は、第１の収容部３１１０の外周よりも大きな内周を有することができる。収容スロット３１５０は、第１の収容部３１１０の軸方向長さよりも大きな軸方向深さを有することができる。
【０２５４】
図３１Ｂは、第２の収容部３１２０が大型の飲料ポッドを収容することができるように、可動なトレー３１４０が開放位置にありかつ第２の収容部３１２０にアクセス可能である構成における抽出機械を示している。図３１Ｃは、第１の収容部３１１０が第２の収容部３１２０に収容された別の構成における抽出機械を示している。この構成では、回動により第２の収容部から離れるように第１の収容部３１１０を移動させることができ、この回動は図３１Ｃに“Ｐ”の文字によって示されている。図３１Ｄに示したように、幾つかの実施の形態では、可動なトレー３１４０を概して鉛直方向に移動（例えば、上昇）させることができる。幾つかの態様では、収容スロット３１５０に収容された第１の収容部３１１０の少なくとも一部を超えるように可動なトレー３１４０を移動させることができる。
【０２５５】
半径方向ポッドアクセス
図３２Ａ〜図３２Ｃは、抽出機械３２００の斜視図を示している。様々な実施の形態では、抽出機械の抽出チャンバに飲料ポッドが半径方向に挿入されるように抽出機械を構成することができる。幾つかの実施の形態では、抽出機械３２００はスリーブ機構を有する。幾つかの実施態様は、外側部分３２１０および内側部分３２３０を有することができる。飲料の製造を容易にしかつチャンバ３２１５を有するために飲料ポッドを収容するように外側部分３２１０を構成することができる。チャンバ３２１５は案内レール３２１８を有することができる。案内レールは、チャンバ３２１５の内面に沿って鉛直方向に延びていることができる。スリーブ機構は、周縁ドア３２１９を有することができる。周縁ドア３２１９を外側部分３２１０に配置することができる。例えば、開放位置と閉鎖位置との間を外側部分３２１０の周縁の一部に沿って摺動するように周縁ドア３２１９を構成することができる。開放位置において、飲料ポッドが半径方向でチャンバ３２１５に進入するように、外側部分３２１０は、飲料ポッドを通過させるように構成された半径方向開口３２１２を有することができる。閉鎖位置において、図３２Ｃに示したように、外側部分３２１０は半径方向開口を有さず、チャンバ３２１５は、チャンバ３２１５において飲料を抽出するように構成されている。
【０２５６】
チャンバ３２１５内に配置された飲料ポッドを支持するように内側部分３２３０を構成することができる。内側部分３２３０は、収容部ホルダ３２３２およびスクリュシャフト３２３４を有することができる。収容部ホルダ３２３２を概して外側部分の内部に配置することができる。スクリュシャフト３２３４を収容部ホルダに接続することができる。
【０２５７】
外側部分３２１０は、締結具構造３２２０を有することができる。例えば、締結具構造３２２０を周縁ドア３２１９に接続することができる。締結具構造３２２０と結合するようにスクリュシャフト３２３４を構成することができる。例えば、スクリュシャフト３２３４は、締結具構造３２２０において対応する構造に沿って摺動するように構成された複数のらせん形ねじ山３２３５を有することができる。
【０２５８】
エスプレッソポッドなどのより小さな飲料ポッド３２４０を収容するための収容部をスリーブ機構とともに使用することができる。図３４Ａ〜図３４Ｃは、小さな飲料収容部を有する飲料形成装置のためのスリーブ機構の斜視図を示している。抽出機械３２００の収容部ホルダ３２５５は、収容部ホルダ３２３２の直径よりも小さな第１の直径を有する飲料ポッド収容部を有することができる。
【０２５９】
図３３Ａは、図３２Ａ〜図３２Ｃのスリーブ機構における締結具構造およびスクリュシャフトの断面図を概略的に示している。図３３Ｂは、図３２Ａ〜図３２Ｃのスリーブ機構におけるスクリュシャフトの側面図を概略的に示している。締結具構造３２２０は、環状の底部プレート３２２２を有することができる。環状の底部プレート３２２２は、複数の凹んだ切欠３２２４を有することができる。複数のらせん形ねじ山３２３５の形状に対応するように、複数の凹んだ切欠３２２４を成形およびサイズ決めすることができる。スクリュシャフト３２３４は、流体出口３２３６を有することができる。幾つかの実施の形態では、凹んだ切欠３２２４はらせん形であることができる。
【０２６０】
収容部ホルダ３２３２を概してチャンバ３２１５の内部に配置することができる。収容部ホルダ３２３２は、案内凹所（図示せず）を有することができる。案内レール３２１８に沿って摺動するように案内凹所を構成することができる。収容部ホルダ３２３２は、環状の底部プレート３２２２を回転させることによって案内レール３２１８に沿って外側部分３２１０の内部で鉛直方向に可動であることができる。
【０２６１】
図３２Ａは、開放位置における抽出機械３２００を示している。開放位置において、収容部ホルダ３２３２は、チャンバ３２１５の底部にあることができる。ユーザは、周縁ドア３２１９を回転させることによって抽出機械３２００を閉鎖するように抽出機械３２００を操作してもよい。環状の底部プレート３２２２は、周縁ドア３２１９とともに回転することができる。例えば、周縁ドアが時計回り方向に回転すると、環状の底部プレート３２２２が時計回り方向に回転することができる。環状の底部プレート３２２２が回転すると、スクリュシャフト３２３４が回転するようにらせん形ねじ山３２３５が凹んだ切欠３２２４に沿って摺動することができる。例えば、周縁ドア３２１９が時計回り方向に回転するとスクリュシャフト３２３４は反時計回り方向に回転することができる。
【０２６２】
図３２Ｂに示したように、らせん形ねじ山３２３５が、凹んだ切欠３２２４に沿って摺動するときに、スクリュシャフト３２３４は鉛直方向に移動することができる。例えば、周縁ドア３２１９が時計回り方向に回転するとスクリュシャフト３２３４は上方へ移動することができる。スクリュシャフト３２３４に接続された収容部ホルダ３２３２は、チャンバ３２１５の底部からチャンバ３２１５の上部へ移動することができる。
【０２６３】
図３２Ｃは、閉鎖位置における抽出機械３２００を示している。周縁ドア３２１９は、閉鎖位置における半径方向開口３２１２を被覆するように構成することができる。例えば、周縁ドア３２１９が半径方向開口３２１２を閉鎖すると、収容部ホルダをチャンバ３２１５の上部に配置することができ、これにより、飲料ポッド３２５０の上部における面は、外側部分３２１０の上部を有するプレートにまたはその近くにあることができる。
【０２６４】
実施の形態の例
幾つかの実施の形態が以下に列挙される。これらの実施の形態は、例示的であり、限定的であることは意図されていない。
【０２６５】
実施の形態１：飲料を製造するための抽出機械であって、該抽出機械は、
ハウジングと、
液体源と、
該液体源から液体の流れを供給するように構成された導管と、
前記ハウジングによって支持された抽出チャンバユニットと、を備え、
該抽出チャンバユニットは、
飲料製造作動中に前記液体の流れを受け取るように構成されており、
第１の直径を有する第１の飲料ポッドを収容するように構成されたチャンバを有する第１の本体部分と、
前記第１の直径よりも小さい第２の直径を有する第２の飲料ポッドを収容するように構成されたチャンバを有する第２の本体部分であって、該第２の本体部分は、少なくとも部分的に前記第１の本体部分の前記チャンバ内に配置されており、前記第２の本体部分は、概して前記抽出チャンバユニットの軸方向軸線に対して平行な方向に前記第１の本体部分に対して移動するように構成されている、第２の本体部分と、
前記第１の本体部分の前記チャンバに配置されかつ前記第１の本体部分と前記第２の本体部分との間で圧縮されるように構成されたばねと、
前記第１の本体部分に取り付けられるように構成された蓋と、を有しており、
前記抽出機械は、
前記第１の飲料ポッドが前記第１の本体部分の前記チャンバに収容されたとき、前記第２の本体部分が前記ばねの付勢力に対抗して前記第１の本体部分内へ下方に移動させられ、
前記第１の飲料ポッドが前記第１の本体部分の前記チャンバから取り出されたとき、前記第２の本体部分が前記ばねの付勢力によって上方へ移動させられるように、
構成されている、飲料を製造するための抽出機械。
【０２６６】
実施の形態２：前記抽出機械は、さらに、前記第２の飲料ポッドが前記第２の本体部分の前記チャンバに収容されたときには、前記第２の本体部分が前記第１の本体部分に対して実質的に固定されたままであるように構成されている、実施の形態１記載の抽出機械。
【０２６７】
実施の形態３：前記第１の本体部分は、さらに、ロッキング機構を有し、
前記第２の本体部分は、さらに、溝を有し、
前記第１の本体部分の前記ロッキング機構は、
前記蓋が前記第１の本体部分に取り付けられたときには前記第２の本体部分の前記溝に少なくとも部分的に配置され、
前記蓋が前記第１の本体部分に取り付けられていないときには前記第２の本体部分の前記溝の外側に配置されるように、構成されている、実施の形態１または実施の形態２記載の抽出機械。
【０２６８】
実施の形態４：前記ロッキング機構は、前記抽出チャンバユニットの前記軸方向軸線に対して概して垂直な平面において並進するように構成されている、実施の形態３記載の抽出機械。
【０２６９】
実施の形態５：前記ロッキング機構は半径方向外方へ付勢されている、実施の形態４記載の抽出機械。
【０２７０】
実施の形態６：前記第１の本体部分は、第１の開口を有し、前記第２の本体部分は、第２の開口を有し、前記第１の開口および前記第２の開口は、これらの開口を通じて飲料を排出するように構成されており、前記第１の開口および前記第２の開口は半径方向に整列させられている、実施の形態１から５までのいずれか１つに記載の抽出機械。
【０２７１】
実施の形態７：前記第１の本体部分は、さらに、作動部材を備える係合アセンブリを有し、
前記第２の本体部分は、さらに、開閉するように構成された弁を有し、
前記作動部材は、前記第１の飲料ポッドが前記第１の本体部分に収容されるときに前記弁に係合し、これにより、該弁を開放させるように構成されている、実施の形態６記載の抽出機械。
【０２７２】
実施の形態８：前記弁は、前記抽出チャンバユニットの前記軸方向軸線に対して概して平行に並進するように構成されている、実施の形態７記載の抽出機械。
【０２７３】
実施の形態９：前記弁は、さらに、該弁の長さを通って軸方向に延びる通路を有する、実施の形態８記載の抽出機械。
【０２７４】
実施の形態１０：前記抽出チャンバユニットは、さらに、前記蓋が前記第１の本体部分に取り付けられていないときには前記第２の本体部分の一部が前記第１の本体部分から軸方向に延びるように構成されている、実施の形態１から９までのいずれか１つに記載の抽出機械。
【０２７５】
実施の形態１１：前記第２の本体部分は、前記第１の飲料ポッドが前記第１の本体部分の前記チャンバに収容されたときに前記第１の飲料ポッドの基部に当接するように構成された上縁部を有する、実施の形態１から１０までのいずれか１つに記載の抽出機械。
【０２７６】
実施の形態１２：前記抽出チャンバユニットは、さらに、前記第１の飲料ポッドが前記第１の本体部分の前記チャンバに収容されたときに、前記第２の本体部分が前記第１の本体部分の前記チャンバの底面に当接するように構成されている、実施の形態１から１１までのいずれか１つに記載の抽出機械。
【０２７７】
実施の形態１３：前記蓋は、さらに、第１のシーリングリングおよび第２のシーリングリングを有し、前記第１のシーリングリングは前記第１の飲料ポッドに係合するように構成されており、前記第２のシーリングリングは前記第２の飲料ポッドに係合するように構成されている、実施の形態１から１２までのいずれか１つに記載の抽出機械。
【０２７８】
実施の形態１４：飲料を製造するために抽出機械を使用する方法であって、
開口と、該開口の周囲に配置された係合アセンブリとを有する第１の本体部分と、
該第１の本体部分内に配置されかつ弁アセンブリを有する第２の本体部分と、
前記第１の本体部分内に配置されかつ前記第２の本体部分を付勢するように構成された付勢部材と、
前記第１の本体部分に取り付けられるように構成された蓋と、
を備える飲料容器アセンブリ内へ飲料ポッドを収容し、
該飲料ポッドを前記第２の本体部分の上側部分に着座させ、
前記飲料ポッドを介して前記第２の本体部分に下向きの力を加え、
前記ばねの付勢力に対抗して前記第２の本体部分を移動させ、
前記蓋を前記第１の本体部分に取り付け、これにより、抽出チャンバを形成し、
飲料を製造するために液体を前記抽出チャンバ内の前記飲料ポッド内へ導入し、
前記飲料を排出する、
ことを含む、飲料を製造するために抽出機械を使用する方法。
【０２７９】
実施の形態１５：さらに、前記第１の本体部分の突出した先端部によって前記第２の本体部分における弁アセンブリを作動させ、これにより、前記弁アセンブリを開放させることを含む、実施の形態１４記載の方法。
【０２８０】
実施の形態１６：前記ばねの付勢力に対抗して前記第２の本体部分を移動させることが、前記第１の本体部分の内側底面に対して前記第２の本体部分を当接させることを含む、実施の形態１４または実施の形態１５記載の方法。
【０２８１】
実施の形態１７：飲料ポッドアセンブリであって、
複数の開口を有する基部と、
該基部と接続された概して円筒状の側壁と、
膜によって被覆された開口を備える上端部と、
前記基部上に配置されたフィルタであって、固体を通過させず、液体を通過させるように構成されたフィルタと、
前記基部から上方へ延びる複数の突出部を有するバフリング構造であって、前記基部と前記フィルタとの間に物理的妨害を提供し、これにより、前記フィルタを前記基部から離間させ、前記フィルタを前記第１の基部と前記フィルタとの間に配置されたから離間させるように構成されている、バフリング構造と、
を備える、飲料ポッドアセンブリ。
【０２８２】
実施の形態１８：平面図で見て、前記バフリング構造は、複数の同心円として成形されている、実施の形態１７記載の飲料ポッドアセンブリ。
【０２８３】
実施の形態１９：前記基部における前記複数の開口は、複数の概して円形および概してカプセル状の開口を含む、実施の形態１７または実施の形態１８記載の飲料ポッドアセンブリ。
【０２８４】
実施の形態２０：前記膜は、取外し可能な箔を含む、実施の形態１７から１９までのいずれか１つに記載の飲料ポッドアセンブリ。
【０２８５】
用語
本明細書において使用されるときは、“飲料”という用語は、その通常かつ慣用の意味を有しており、特に、あらゆる食用の液体または実質的に液体の物質、または流動品質を有する製品（例えば、ジュース、コーヒー飲料、茶、フローズンヨーグルト、ビール、ワイン、カクテル、酒、スピリット、サイダー、ソフトドリンク、フレーバーウォータ、エナジードリンク、スープ、だし汁、これらの組合せ、または同様のもの）を含むことができる。
【０２８６】
本明細書において使用される“ポッド”という用語は、その通常かつ慣用の意味を有しており、特に、ポッドへの入口および／またはポッドからの出口を形成するためにこのようなポッドが穿孔または裂断されることができるかどうかかつ／または穿孔または裂断されるように構成されているかどうかにかかわらず、カートリッジ、カプセル、キャニスタ、パック、パッド、および同様のものを含む。
【０２８７】
本明細書において使用される場合、“一回分”という用語は、その通常かつ慣用の意味を有しており、特に、一人の人によって慣用的に消費される飲料の分量を含む。例えば、幾つかの一回分飲料ポッドは、約２０液量オンス（約６００ミリリットル）以下の飲料を製造するように構成されている。
【０２８８】
“することができる”、“してもよい”などの条件的な用語は、別段の定めがない限りまたは使用される文脈において別の理解がなされない限り、概して、ある実施の形態が、ある特徴、要素および／またはステップを含むが、他の実施の形態はそれらを含まないことを示唆しようとするものである。つまり、このような条件的な用語は、概して、これらの特徴、要素および／またはステップが１つまたは複数の実施の形態のために必要とされること、または、これらの特徴、要素および／またはステップがいずれかの特定の実施の形態に含まれるまたはいずれかの特定の実施の形態において行われるかどうかを、ユーザ入力またはプロンプティングを用いてまたは用いずに決定するためのロジックを必然的に有すること、を示唆することを概して意図したものではない。
【０２８９】
“Ｘ、ＹおよびＺのうちの少なくとも１つ”という言い方のような接続的な文言は、別段の定めのない限り、概して、ある１つのアイテム、用語などがＸ、ＹまたはＺのいずれかであってよいことを伝えるために、使用される文脈においてさもなければ理解される。つまり、このような接続的な文言は、概して、ある複数の実施の形態がＸの少なくとも１つ、Ｙの少なくとも１つおよびＺの少なくとも１つの存在を要求することを示唆することを意図したものではない。
【０２９０】
明示的に別段の定めがない限り、“ａ”または“ａｎ”などの冠詞は、概して、１つまたは複数の当該対象物を含むと解釈されるべきである。したがって、“〜するように構成された装置”などの文章は、１つまたは複数の言及された装置を含むことが意図されている。このような１つまたは複数の言及された装置は、述べられた詳細を実施するように集合的に構成することもできる。例えば、“詳細Ａ、ＢおよびＣを実施するように構成されたプロセッサ”は、詳細ＢおよびＣを実施するように構成された第２のプロセッサと関連して作動する、詳細Ａを実施するように構成された第１のプロセッサを含むことができる。
【０２９１】
“含む”、“包含する”、“有する”などの用語は、同義であって、包括的に、オープンエンド式に使用されており、付加的な要素、特徴、行為、操作などを排除しない。同様に、“幾つかの”、“ある”および同様のものは、同義であって、オープンエンド式に使用されている。また、“または”という用語は、包括的な意味で使用されており（排他的な意味では使用されない）、例えば複数の要素の１つのリストをつなげるために使用されるときには、“または”という用語は、そのリストに挙げられた要素のうちの１つ、幾つかまたは全てを意味する。
【０２９２】
本明細書で使用される“ほぼ”、“約”および“実質的に”という用語は、依然として所望の機能を行いまたは所望の結果を達成する、言及された量に近い量を意味する。例えば、幾つかの実施の形態において、文脈が決定し得るように、“ほぼ”、“約”および“実質的に”という用語は、言及された量の１０％以下の範囲の量をいうことがある。本明細書において使用される“概して”という用語は、特定の値、量または特性を主に有するまたは特定の値、量または特性に向けた傾向がある、値、量または特性を表す。一例として、幾つかの実施の形態では、文脈が決定し得るように、“概して平行”という用語は、完全に平行な状態から２０度以下だけ逸脱していることをいうことができ、“概して垂直”という用語は、完全に垂直な状態から２０度以下だけ逸脱していることをいうことができる。
【０２９３】
全体的に、請求項の文言は、請求項において使用された文言に基づいて広く解釈されるべきである。請求項の文言は、本開示に例示および説明された非排他的な実施の形態および実施例または出願の審査中に議論された非排他的な実施の形態および実施例に限定されるべきでない。
【０２９４】
概要
この開示は、飲料製造システムの複数の実施の形態および実施例を記載しているが、さらに別の実施の形態または許容可能な実施例を形成するために、本開示に示されかつ説明された方法および装置の多くの態様が、異なって組み合わされてもよいかつ／または変更されてもよい。全てのこのような変更およびバリエーションは、本開示の範囲内に含まれることが意図されている。事実上、広範囲の様々な設計およびアプローチが可能であり、本開示の範囲に含まれる。例えば、液体の水がポッドに導入される幾つかの実施の形態が開示されているが、その他の液体（例えば牛乳）および／またはその他の相（例えば蒸気）の導入もまた考えられる。例示的な実施の形態が本明細書に記載されているが、あらゆるおよび全ての実施の形態の範囲は、本開示に基づいて当業者によって認識されるような同等の要素、変更、省略、（例えば様々な実施の形態を横断する態様の）組合せ、適応および／または改変を有する。
【０２９５】
また、上記または本明細書の他のところで明示的に述べられていない本開示の範囲内の幾つかの実施の形態が存在し得るが、本開示は、本開示が示しかつ記載しているものの範囲内の全ての実施の形態を想定しかつ含む。さらに、本開示は、本明細書のどこかに開示されたあらゆる構造、材料、ステップまたはその他の特徴と、本明細書のどこかに開示されたあらゆるその他の構造、材料、ステップまたはその他の特徴とのあらゆる組合せを含む実施の形態を想定しかつ含む。
【０２９６】
さらに、別々の実施態様に関連して本開示に記載された特徴は、１つの実施態様において組み合わせて実施することもできる。逆に、１つの実施態様に関連して記載された様々な特徴は、複数の実施態様において別々に、またはあらゆる適切なサブコンビネーションにおいて実施することもできる。さらに、複数の特徴が、ある組合せにおいて機能するものとして上述されている場合があるが、請求項に記載された組合せのうちの１つまたは複数の特徴は、幾つかの場合、その組合せから削除することができ、その組合せは、サブコンビネーションまたはサブコンビネーションの変化態様として請求されてもよい。
【０２９７】
この開示の目的で、本明細書には、ある態様、利点および新規の特徴が記載されている。必ずしも全てのこのような利点があらゆる特定の実施の形態に従って達成され得るわけではない。すなわち、例えば、開示内容が、本明細書に教示された１つの利点または複数の利点のグループを達成する形式で、必ずしも本明細書に教示または示唆され得る他の利点を達成することなく、実現または実施されてもよいことを当業者は認識するであろう。
【０２９８】
幾つかの実施の形態は、添付の図面に関連して説明されている。しかしながら、図面は実寸ではない。距離、角度などは、単に例示的であり、必ずしも例示された装置の実際の寸法およびレイアウトに対する正確な関係を有するわけではない。構成要素を、付加、排除および／または再配置することができる。さらに、様々な実施の形態に関連するあらゆる特定の特徴、態様、方法、特質、特性、品質、属性、要素などの本明細書における開示は、本明細書に示された全ての他の実施の形態において使用することができる。また、本明細書に記載されたあらゆる方法は、言及したステップを行うために適したあらゆる装置を使用して実行されてもよい。
【０２９９】
さらに、構成部材および操作は、特定の配列または順序で図面に示されかつ明細書に記載されている場合があるが、このような構成部材および操作は、所望の結果を達成するためには、示された特定の配列および順序で配列および実施される必要はなく、順番に配列および実施される必要はなく、全ての構成部材および操作を含む必要もない。示されていないまたは説明されていないその他の構成部材および操作を、実施の形態および実施例に組み込むことができる。例えば、１つまたは複数の付加的な操作を、説明した操作のいずれかの前、後、同時、またはそれらの間に行うことができる。さらに、操作は、他の実施態様において配置転換または順序変更されてもよい。また、上述の実施態様における様々なシステム構成部材の分離は、全ての実施態様においてこのような分離を必要とすると理解すべきではなく、記載された構成部材およびシステムは、概して、１つの製品に統合することができるかまたは複数の製品にまとめることができると理解すべきである。
【０３００】
要約するならば、飲料準備システム、構成部材および関連する方法の様々な例示的な実施の形態および実施例が開示されている。システムはこれらの実施の形態および実施例の文脈において開示されているが、本開示は、特に開示された実施の形態を超えて、他の択一的な実施の形態および／または実施の形態の他の使用、およびある複数の変更およびその均等物にまで拡張する。この開示は、開示された実施の形態の様々な特徴および態様を互いに組み合わせることができるまたは互いのために代用することができることを明らかに想定している。したがって、本開示の範囲は、上述の特定の開示された実施の形態によって限定されるべきではなく、以下につづく請求項の適正な読み取りおよび均等物のそれらの完全な範囲によってのみ決定されるべきである。
【図１Ａ】
2018521740.tif 000003
【図１Ｂ】
2018521740.tif 000004
【図２Ａ】
2018521740.tif 000005
【図２Ｂ】
2018521740.tif 000006
【図３Ａ】
2018521740.tif 000007
【図３Ｂ】
2018521740.tif 000008
【図３Ｃ】
2018521740.tif 000009
【図４Ａ】
2018521740.tif 000010
【図４Ｂ】
2018521740.tif 000011
【図５Ａ】
2018521740.tif 000012
【図５Ｂ】
2018521740.tif 000013
【図５Ｃ】
2018521740.tif 000014
【図６Ａ】
2018521740.tif 000015
【図６Ｂ】
2018521740.tif 000016
【図６Ｃ】
2018521740.tif 000017
【図７Ａ】
2018521740.tif 000018
【図７Ｂ】
2018521740.tif 000019
【図７Ｃ】
2018521740.tif 000020
【図８Ａ】
2018521740.tif 000021
【図８Ｂ】
2018521740.tif 000022
【図９Ａ】
2018521740.tif 000023
【図９Ｂ】
2018521740.tif 000024
【図９Ｃ】
2018521740.tif 000025
【図１０】
2018521740.tif 000026
【図１１】
2018521740.tif 000027
【図１２Ａ】
2018521740.tif 000028
【図１２Ｂ】
2018521740.tif 000029
【図１２Ｃ】
2018521740.tif 000030
【図１２Ｄ】
2018521740.tif 000031
【図１３Ａ】
2018521740.tif 000032
【図１３Ｂ】
2018521740.tif 000033
【図１３Ｃ】
2018521740.tif 000034
【図１３Ｄ】
2018521740.tif 000035
【図１４Ａ】
2018521740.tif 000036
【図１４Ｂ】
2018521740.tif 000037
【図１４Ｃ】
2018521740.tif 000038
【図１４Ｄ】
2018521740.tif 000039
【図１５Ａ】
2018521740.tif 000040
【図１５Ｂ】
2018521740.tif 000041
【図１５Ｃ】
2018521740.tif 000042
【図１６Ａ】
2018521740.tif 000043
【図１６Ｂ】
2018521740.tif 000044
【図１６Ｃ】
2018521740.tif 000045
【図１６Ｄ】
2018521740.tif 000046
【図１６Ｅ】
2018521740.tif 000047
【図１６Ｆ】
2018521740.tif 000048
【図１７Ａ】
2018521740.tif 000049
【図１７Ｂ】
2018521740.tif 000050
【図１７Ｃ】
2018521740.tif 000051
【図１７Ｄ】
2018521740.tif 000052
【図１８Ａ】
2018521740.tif 000053
【図１８Ｂ】
2018521740.tif 000054
【図１８Ｃ】
2018521740.tif 000055
【図１８Ｄ】
2018521740.tif 000056
【図１９Ａ】
2018521740.tif 000057
【図１９Ｂ】
2018521740.tif 000058
【図２０Ａ】
2018521740.tif 000059
【図２０Ｂ】
2018521740.tif 000060
【図２０Ｃ】
2018521740.tif 000061
【図２０Ｄ】
2018521740.tif 000062
【図２０Ｅ】
2018521740.tif 000063
【図２０Ｆ】
2018521740.tif 000064
【図２０Ｇ】
2018521740.tif 000065
【図２０Ｈ】
2018521740.tif 000066
【図２０Ｉ】
2018521740.tif 000067
【図２１Ａ】
2018521740.tif 000068
【図２１Ｂ】
2018521740.tif 000069
【図２１Ｃ】
2018521740.tif 000070
【図２１Ｄ】
2018521740.tif 000071
【図２１Ｅ】
2018521740.tif 000072
【図２１Ｆ】
2018521740.tif 000073
【図２１Ｇ】
2018521740.tif 000074
【図２１Ｈ】
2018521740.tif 000075
【図２１Ｉ】
2018521740.tif 000076
【図２２】
2018521740.tif 000077
【図２３】
2018521740.tif 000078
【図２４Ａ】
2018521740.tif 000079
【図２４Ｂ】
2018521740.tif 000080
【図２５Ａ】
2018521740.tif 000081
【図２５Ｂ】
2018521740.tif 000082
【図２５Ｃ】
2018521740.tif 000083
【図２５Ｄ】
2018521740.tif 000084
【図２６】
2018521740.tif 000085
【図２７Ａ】
2018521740.tif 000086
【図２７Ｂ】
2018521740.tif 000087
【図２７Ｃ】
2018521740.tif 000088
【図２８Ａ】
2018521740.tif 000089
【図２８Ｂ】
2018521740.tif 000090
【図２８Ｃ】
2018521740.tif 000091
【図２８Ｄ】
2018521740.tif 000092
【図２８Ｅ】
2018521740.tif 000093
【図２９Ａ】
2018521740.tif 000094
【図２９Ｂ】
2018521740.tif 000095
【図３０Ａ】
2018521740.tif 000096
【図３０Ｂ】
2018521740.tif 000097
【図３１Ａ】
2018521740.tif 000098
【図３１Ｂ】
2018521740.tif 000099
【図３１Ｃ】
2018521740.tif 000100
【図３１Ｄ】
2018521740.tif 000101
【図３２Ａ】
2018521740.tif 000102
【図３２Ｂ】
2018521740.tif 000103
【図３２Ｃ】
2018521740.tif 000104
【図３３Ａ】
2018521740.tif 000105
【図３３Ｂ】
2018521740.tif 000106
【図３４Ａ−３４Ｂ】
2018521740.tif 000107
【図３４Ｃ】
2018521740.tif 000108
【手続補正書】
【提出日】平成30年2月16日(2018.2.16)
【手続補正１】
【補正対象書類名】特許請求の範囲
【補正対象項目名】全文
【補正方法】変更
【補正の内容】
【特許請求の範囲】
【請求項１】
飲料を製造するための抽出機械であって、該抽出機械は、
ハウジングと、
該ハウジングによって支持された抽出チャンバユニットと、を備え、
該抽出チャンバユニットは、
飲料製造作動中に液体源から液体の流れを受け取るように構成されており、
第１の直径を有する第１の飲料ポッドを収容するように構成されたチャンバを有する第１の本体部分と、
前記第１の直径よりも小さい第２の直径を有する第２の飲料ポッドを収容するように構成されたチャンバを有する第２の本体部分であって、該第２の本体部分は、少なくとも部分的に前記第１の本体部分の前記チャンバ内に配置されており、前記第２の本体部分は、概して前記抽出チャンバユニットの軸方向軸線に対して平行な方向に前記第１の本体部分に対して移動するように構成されている、第２の本体部分と、
前記第１の本体部分の前記チャンバに配置されかつ前記第１の本体部分と前記第２の本体部分との間で圧縮されるように構成されたばねと、
前記第１の本体部分に取り付けられるように構成された蓋と、を有しており、
前記抽出機械は、
前記第１の飲料ポッドが前記第１の本体部分の前記チャンバに収容されたとき、前記第２の本体部分が前記ばねの付勢に対抗して前記第１の本体部分内へ下方に移動させられ、
前記第１の飲料ポッドが前記第１の本体部分の前記チャンバから取り出されたとき、前記第２の本体部分が前記ばねの付勢によって上方へ移動させられるように、
構成されている、飲料を製造するための抽出機械。
【請求項２】
前記抽出機械は、さらに、前記第２の飲料ポッドが前記第２の本体部分の前記チャンバに収容されたときには、前記第２の本体部分が前記第１の本体部分に対して実質的に固定されたままであるように構成されている、請求項１記載の抽出機械。
【請求項３】
前記第１の本体部分は、さらに、ロッキング機構を有し、前記第２の本体部分は、さらに、溝を有し、前記第１の本体部分の前記ロッキング機構は、前記蓋が前記第１の本体部分に取り付けられたときには前記第２の本体部分の前記溝に少なくとも部分的に配置され、前記蓋が前記第１の本体部分に取り付けられていないときには前記第２の本体部分の前記溝の外側に配置されるように、構成されている、請求項１記載の抽出機械。
【請求項４】
前記ロッキング機構は、前記抽出チャンバユニットの前記軸方向軸線に対して概して垂直な平面において並進するように構成されている、請求項３記載の抽出機械。
【請求項５】
前記ロッキング機構は半径方向外方へ付勢されている、請求項４記載の抽出機械。
【請求項６】
前記第１の本体部分は、第１の開口を有し、前記第２の本体部分は、第２の開口を有し、前記第１の開口および前記第２の開口は、これらの開口を通じて飲料を排出するように構成されており、前記第１の開口および前記第２の開口は半径方向に整列させられている、請求項１記載の抽出機械。
【請求項７】
前記第１の本体部分は、さらに、作動部材を備える係合アセンブリを有し、前記第２の本体部分は、さらに、開閉するように構成された弁を有し、前記作動部材は、前記第１の飲料ポッドが前記第１の本体部分に収容されるときに前記弁に係合し、これにより、該弁を開放させるように構成されている、請求項６記載の抽出機械。
【請求項８】
前記弁は、前記抽出チャンバユニットの前記軸方向軸線に対して概して平行に並進するように構成されている、請求項７記載の抽出機械。
【請求項９】
前記弁は、さらに、該弁の長さを通って軸方向に延びる通路を有する、請求項８記載の抽出機械。
【請求項１０】
前記抽出チャンバユニットは、さらに、前記蓋が前記第１の本体部分に取り付けられていないときには前記第２の本体部分の一部が前記第１の本体部分から軸方向に延びるように構成されている、請求項１記載の抽出機械。
【請求項１１】
前記第２の本体部分は、前記第１の飲料ポッドが前記第１の本体部分の前記チャンバに収容されたときに前記第１の飲料ポッドの基部に当接するように構成された上縁部を有する、請求項１記載の抽出機械。
【請求項１２】
前記抽出チャンバユニットは、さらに、前記第１の飲料ポッドが前記第１の本体部分の前記チャンバに収容されたときに、前記第２の本体部分が前記第１の本体部分の前記チャンバの底面に当接するように構成されている、請求項１記載の抽出機械。
【請求項１３】
前記蓋は、さらに、第１のシーリングリングおよび第２のシーリングリングを有し、前記第１のシーリングリングは前記第１の飲料ポッドに係合するように構成されており、前記第２のシーリングリングは前記第２の飲料ポッドに係合するように構成されている、請求項１記載の抽出機械。
【請求項１４】
飲料を製造するために抽出機械を使用する方法であって、
開口と、該開口の周囲に配置された係合アセンブリとを有する第１の本体部分と、
該第１の本体部分内に配置されかつ弁アセンブリを有する第２の本体部分と、
前記第１の本体部分内に配置されかつ前記第２の本体部分を付勢するように構成された付勢部材と、
前記第１の本体部分に取り付けられるように構成された蓋と、
を備える飲料容器アセンブリ内へ飲料ポッドを収容し、
該飲料ポッドを前記第２の本体部分の上側部分に着座させ、
前記飲料ポッドを介して前記第２の本体部分に下向きの力を加え、
前記ばねの付勢力に対抗して前記第２の本体部分を移動させ、
前記蓋を前記第１の本体部分に取り付け、これにより、抽出チャンバを形成し、
飲料を製造するために液体を前記抽出チャンバ内の前記飲料ポッド内へ導入し、
前記飲料を排出する、
ことを含む、飲料を製造するために抽出機械を使用する方法。
【請求項１５】
さらに、前記第１の本体部分の突出した先端部によって前記第２の本体部分における弁アセンブリを作動させ、これにより、前記弁アセンブリを開放させることを含む、請求項１４記載の方法。
【請求項１６】
前記ばねの付勢力に対抗して前記第２の本体部分を移動させることは、前記第１の本体部分の内側底面に対して前記第２の本体部分を当接させることを含む、請求項１４記載の方法。
【請求項１７】
飲料ポッドアセンブリであって、
複数の開口を有する基部と、
該基部と接続された概して円筒状の側壁と、
膜によって被覆された開口を備える上端部と、
前記基部上に配置されたフィルタであって、固体を通過させず、液体を通過させるように構成されたフィルタと、
前記基部から上方へ延びる複数の突出部を有するバフリング構造であって、前記基部と前記フィルタとの物理的干渉を提供し、これにより、前記フィルタを前記基部から離間させるように構成されている、バフリング構造と、
を備える、飲料ポッドアセンブリ。
【請求項１８】
平面図で見て、前記バフリング構造は、複数の同心円として成形されている、請求項１７記載の飲料ポッドアセンブリ。
【請求項１９】
前記基部における前記複数の開口は、複数の概して円形および概してカプセル状の開口を含む、請求項１７記載の飲料ポッドアセンブリ。
【請求項２０】
前記膜は、取外し可能な箔を含む、請求項１７記載の飲料ポッドアセンブリ。
【国際調査報告】
2018521740.tif 000109
2018521740.tif 000110
2018521740.tif 000111